(57)【特許請求の範囲】
【請求項１】
方法であって、前記方法は、
無線デバイスによって、複数のセルの構成パラメータを含む少なくとも１つのメッセージを受信することであって、前記複数のセルは、複数の物理アップリンク制御チャネル（ＰＵＣＣＨ）グループにグループ化され、前記複数のＰＵＣＣＨグループは、
一次ＰＵＣＣＨを用いる一次セルを含む一次ＰＵＣＣＨグループと、
二次ＰＵＣＣＨを用いるＰＵＣＣＨ二次セルを含む二次ＰＵＣＣＨグループと
を含む、ことと、
サブフレームｍにおいて、前記一次ＰＵＣＣＨグループ内の二次セルのアクティブ化を示す第１の媒体アクセス制御制御要素（ＭＡＣ  ＣＥ）を受信することと、
サブフレームｍ＋８から前記二次セルのチャネル状態情報（ＣＳＩ）フィールドの伝送を開始することと、
サブフレームｎにおいて、前記ＰＵＣＣＨ二次セルのアクティブ化を示す第２のＭＡＣ  ＣＥを受信することと、
サブフレームｎ＋８＋ｋから前記ＰＵＣＣＨ二次セルに関するＣＳＩフィールドの伝送を開始することであって、ｋは、前記ＰＵＣＣＨ二次セルが前記無線デバイスによって正常に検出されたときに少なくとも部分的に依存する整数である、ことと
を含む、方法。
【請求項２】
サブフレームｍ＋８において前記二次セルと関連付けられた第１の非アクティブ化タイマを始動させることと、
サブフレームｎ＋８において前記ＰＵＣＣＨ二次セルと関連付けられた第２の非アクティブ化タイマを始動させることと
をさらに含む、請求項１に記載の方法。
【請求項３】
サブフレームｎ＋８＋ｋから前記二次ＰＵＣＣＨグループ内の第１の二次セルのＣＳＩフィールドの伝送を開始することをさらに含み、前記第２のＭＡＣ  ＣＥは、前記第１の二次セルのアクティブ化をさらに示す、請求項１に記載の方法。
【請求項４】
前記無線デバイスは、サブフレームｎ＋８＋ｋにおいて前記ＰＵＣＣＨ二次セルに関する前記ＣＳＩフィールドのＣＳＩフィールドを伝送するためのアップリンクリソースが存在しない場合、前記ＣＳＩフィールドを伝送するための次の利用可能なアップリンクリソースを採用する、請求項１に記載の方法。
【請求項５】
サブフレームｎ＋８＋ｋから前記二次ＰＵＣＣＨグループ内のアクティブ化されたセルのＣＳＩフィールドの伝送を開始することをさらに含む、請求項１に記載の方法。
【請求項６】
前記ＰＵＣＣＨ二次セルは、セルアクティブ化遅延の間に検出可能なままである、請求項１に記載の方法。
【請求項７】
前記ＰＵＣＣＨ二次セルは、最初の試行において検出される、請求項１に記載の方法。
【請求項８】
範囲外ＣＱＩを含むＣＳＩフィールドが、ゼロと異なるチャネル品質指数（ＣＱＩ）を伴う有効ＣＳＩフィールドが利用可能ではないときに伝送される、請求項１に記載の方法。
【請求項９】
方法であって、前記方法は、
無線デバイスによって、基地局から、複数のセルの構成パラメータを含む少なくとも１つのメッセージを受信することであって、前記複数のセルは、複数の物理アップリンク制御チャネル（ＰＵＣＣＨ）グループにグループ化され、前記複数のＰＵＣＣＨグループは、
一次ＰＵＣＣＨを用いる一次セルを含む一次ＰＵＣＣＨグループと、
二次ＰＵＣＣＨを用いるＰＵＣＣＨ二次セルを含む二次ＰＵＣＣＨグループと
を含む、ことと、
サブフレームｍにおいて、複数の二次セルのアクティブ化を示す第１の媒体アクセス制御制御要素（ＭＡＣ  ＣＥ）を受信することであって、前記複数の二次セルは、
前記一次ＰＵＣＣＨグループ内の二次セルと、
前記ＰＵＣＣＨ二次セルと
を含む、ことと、
サブフレームｍ＋８から前記一次ＰＵＣＣＨグループ内の二次セルのチャネル状態情報（ＣＳＩ）フィールドの伝送を開始することと、
サブフレームｍ＋８＋ｋから前記ＰＵＣＣＨ二次セルに関するＣＳＩフィールドの伝送を開始することであって、ｋは、前記ＰＵＣＣＨ二次セルが前記無線デバイスによって正常に検出されたときに少なくとも部分的に依存する整数である、ことと
を含む、方法。
【請求項１０】
サブフレームｍ＋８において前記二次セルと関連付けられた第１の非アクティブ化タイマを始動させることと、
サブフレームｍ＋８において前記ＰＵＣＣＨ二次セルと関連付けられた第２の非アクティブ化タイマを始動させることと
をさらに含む、請求項９に記載の方法。
【請求項１１】
サブフレームｍ＋８＋ｋから前記二次ＰＵＣＣＨグループ内の第１の二次セルのＣＳＩフィールドの伝送を開始することをさらに含み、前記第１のＭＡＣ  ＣＥは、前記第１の二次セルのアクティブ化をさらに示す、請求項９に記載の方法。
【請求項１２】
ゼロと異なるチャネル品質指数（ＣＱＩ）を伴う有効ＣＳＩフィールドが利用可能ではないときに、範囲外ＣＱＩを含むＣＳＩフィールドを伝送することをさらに含む、請求項９に記載の方法。
【請求項１３】
無線デバイスであって、前記無線デバイスは、
１つまたは複数のプロセッサと、
命令を記憶するメモリであって、前記命令は、前記１つまたは複数のプロセッサによって実行されると、
複数のセルの構成パラメータを含む少なくとも１つのメッセージを受信することであって、前記複数のセルは、複数の物理アップリンク制御チャネル（ＰＵＣＣＨ）グループにグループ化され、前記複数のＰＵＣＣＨグループは、
一次ＰＵＣＣＨを用いる一次セルを含む一次ＰＵＣＣＨグループと、
二次ＰＵＣＣＨを用いるＰＵＣＣＨ二次セルを含む二次ＰＵＣＣＨグループと
を含む、ことと、
サブフレームｍにおいて、前記一次ＰＵＣＣＨグループ内の二次セルのアクティブ化を示す第１の媒体アクセス制御制御要素（ＭＡＣ  ＣＥ）を受信することと、
サブフレームｍ＋８から前記二次セルのチャネル状態情報（ＣＳＩ）フィールドの伝送を開始することと、
サブフレームｎにおいて、前記ＰＵＣＣＨ二次セルのアクティブ化を示す第２のＭＡＣ  ＣＥを受信することと、
サブフレームｎ＋８＋ｋから前記ＰＵＣＣＨ二次セルに関するＣＳＩフィールドの伝送を開始することであって、ｋは、前記ＰＵＣＣＨ二次セルが前記無線デバイスによって正常に検出されたときに少なくとも部分的に依存する整数である、ことと
を前記無線デバイスに行わせる、メモリと
を備える、無線デバイス。
【請求項１４】
前記命令は、実行されると、
サブフレームｍ＋８において前記二次セルと関連付けられた第１の非アクティブ化タイマを始動させることと、
サブフレームｎ＋８において前記ＰＵＣＣＨ二次セルと関連付けられた第２の非アクティブ化タイマを始動させることと
を前記無線デバイスにさらに行わせる、請求項１３に記載の無線デバイス。
【請求項１５】
前記命令は、実行されると、サブフレームｎ＋８＋ｋから前記二次ＰＵＣＣＨグループ内の第１の二次セルのＣＳＩフィールドの伝送を開始することを前記無線デバイスにさらに行わせ、前記第２のＭＡＣ  ＣＥは、前記第１の二次セルのアクティブ化をさらに示す、請求項１３に記載の無線デバイス。
【請求項１６】
前記無線デバイスは、サブフレームｎ＋８＋ｋにおいて前記ＰＵＣＣＨ二次セルに関する前記ＣＳＩフィールドのＣＳＩフィールドを伝送するためのアップリンクリソースが存在しない場合、前記ＣＳＩフィールドを伝送するための次の利用可能なアップリンクリソースを採用する、請求項１３に記載の無線デバイス。
【請求項１７】
前記命令は、実行されると、サブフレームｎ＋８＋ｋから前記二次ＰＵＣＣＨグループ内のアクティブ化されたセルのＣＳＩフィールドの伝送を開始することを前記無線デバイスにさらに行わせる、請求項１３に記載の無線デバイス。
【請求項１８】
前記ＰＵＣＣＨ二次セルは、セルアクティブ化遅延の間に検出可能なままである、請求項１３に記載の無線デバイス。
【請求項１９】
前記ＰＵＣＣＨ二次セルは、最初の試行において検出される、請求項１３に記載の無線デバイス。
【請求項２０】
範囲外ＣＱＩを含むＣＳＩフィールドが、ゼロと異なるチャネル品質指数（ＣＱＩ）を伴う有効ＣＳＩフィールドが利用可能ではないときに伝送される、請求項１３に記載の無線デバイス。
【発明の詳細な説明】
【技術分野】
【０００１】
（関連出願の相互参照）
本願は、２０１５年３月１６日に出願された米国仮出願第６２／１３，９３４号および２０１５年３月１６日に出願された米国仮出願第６２／１３３，９４７号の利益を主張するものであり、それらの全体は、参照により本明細書中に援用される。
【発明の概要】
【課題を解決するための手段】
【０００２】
本発明の例示的実施形態は、複数の物理アップリンク制御チャネル（ＰＵＣＣＨ）グループの動作をイネーブルにする。本明細書に開示される技術の実施形態は、マルチキャリア通信システムの技術分野において採用され得る。より具体的には、本明細書に開示される技術の実施形態は、ＰＵＣＣＨグループの動作に関し得る。
本発明は、例えば、以下を提供する。
（項目１）
方法であって、
無線デバイスによって、
基地局に伝送される一次物理アップリンク制御チャネル（ＰＵＣＣＨ）を用いる一次セルと、
前記基地局に伝送される二次ＰＵＣＣＨを用いるＰＵＣＣＨ二次セルと、
を含む、複数のセルの構成パラメータを含む少なくとも１つのメッセージを受信するステップと、
サブフレームｎにおいて、前記ＰＵＣＣＨ二次セルのアクティブ化を示す媒体アクセス制御制御要素を受信するステップと、
サブフレームｎ＋８＋ｋから前記ＰＵＣＣＨ二次セルに関するチャネル状態情報（ＣＳＩ）フィールドの伝送を開始するステップであって、ｋは、少なくとも部分的に、前記ＰＵＣＣＨ二次セルが前記無線デバイスによって正常に検出されたときに依存する、整数である、ステップと、
を含む、方法。
（項目２）
サブフレームｎ＋８において前記ＰＵＣＣＨ二次セルと関連付けられた非アクティブ化タイマを始動させるステップをさらに含む、項目１に記載の方法。
（項目３）
前記無線デバイスは、サブフレームｎ＋８＋ｋにおいて前記ＣＳＩフィールドの伝送のためのアップリンクリソースが存在しない場合、前記ＣＳＩフィールドを伝送するための次の利用可能なアップリンクリソースを採用する、項目１に記載の方法。
（項目４）
前記複数のセルは、
前記一次セルを含む一次ＰＵＣＣＨグループと、
前記ＰＵＣＣＨ二次セルを含む二次ＰＵＣＣＨグループと、
を含む、複数のＰＵＣＣＨグループにグループ化される、項目１に記載の方法。
（項目５）
サブフレームｎ＋８＋ｋから前記二次ＰＵＣＣＨグループ内のアクティブ化されたセルのＣＳＩフィールドの伝送を開始するステップをさらに含む、項目４に記載の方法。
（項目６）
前記ＰＵＣＣＨ二次セルは、セルアクティブ化遅延の間に検出可能なままである、項目１に記載の方法。
（項目７）
前記ＰＵＣＣＨ二次セルは、最初の試行において検出される、項目１に記載の方法。
（項目８）
範囲外ＣＱＩを含むＣＳＩフィールドが、ゼロと異なるチャネル品質指数（ＣＱＩ）を伴う有効ＣＳＩフィールドが利用可能ではないときに伝送される、項目１に記載の方法。
（項目９）
方法であって、
無線デバイスによって、複数のセルの構成パラメータを含む少なくとも１つのメッセージを受信するステップであって、前記複数のセルは、
一次ＰＵＣＣＨを用いる一次セルを含む一次ＰＵＣＣＨグループと、
二次ＰＵＣＣＨを用いるＰＵＣＣＨ二次セルを含む二次ＰＵＣＣＨグループと、
を含む、複数の物理アップリンク制御チャネル（ＰＵＣＣＨ）グループにグループ化される、ステップと、
サブフレームｍにおいて、前記一次ＰＵＣＣＨグループ内の二次セルのアクティブ化を示す第１の媒体アクセス制御制御要素（ＭＡＣ  ＣＥ）を受信するステップと、
サブフレームｍ＋８から前記二次セルのチャネル状態情報（ＣＳＩ）フィールドの伝送を開始するステップと、
サブフレームｎにおいて、前記ＰＵＣＣＨ二次セルのアクティブ化を示す第２のＭＡＣ  ＣＥを受信するステップと、
サブフレームｎ＋８＋ｋから前記ＰＵＣＣＨ二次セルに関するＣＳＩフィールドの伝送を開始するステップであって、ｋは、少なくとも部分的に、前記ＰＵＣＣＨ二次セルが前記無線デバイスによって正常に検出されたときに依存する、整数である、ステップと、
を含む、方法。
（項目１０）
サブフレームｍ＋８において前記二次セルと関連付けられた第１の非アクティブ化タイマを始動させるステップと、
サブフレームｎ＋８において前記ＰＵＣＣＨ二次セルと関連付けられた第２の非アクティブ化タイマを始動させるステップと、
をさらに含む、項目９に記載の方法。
（項目１１）
サブフレームｎ＋８＋ｋから前記二次ＰＵＣＣＨグループ内の第１の二次セルのＣＳＩフィールドの伝送を開始するステップをさらに含み、前記第２のＭＡＣ  ＣＥはさらに、前記第１の二次セルのアクティブ化を示す、項目９に記載の方法。
（項目１２）
前記無線デバイスは、サブフレームｎ＋８＋ｋにおいて前記ＰＵＣＣＨ二次セルに関する前記ＣＳＩフィールドのＣＳＩフィールドを伝送するためのアップリンクリソースが存在しない場合、前記ＣＳＩフィールドを伝送するための次の利用可能なアップリンクリソースを採用する、項目９に記載の方法。
（項目１３）
サブフレームｎ＋８＋ｋから前記二次ＰＵＣＣＨグループ内のアクティブ化されたセルのＣＳＩフィールドの伝送を開始するステップをさらに含む、項目９に記載の方法。
（項目１４）
前記ＰＵＣＣＨ二次セルは、セルアクティブ化遅延の間に検出可能なままである、項目９に記載の方法。
（項目１５）
前記ＰＵＣＣＨ二次セルは、最初の試行において検出される、項目９に記載の方法。
（項目１６）
範囲外ＣＱＩを含むＣＳＩフィールドが、ゼロと異なるチャネル品質指数（ＣＱＩ）を伴う有効ＣＳＩフィールドが利用可能ではないときに伝送される、項目９に記載の方法。
（項目１７）
方法であって、
無線デバイスによって、基地局から、複数のセルの構成パラメータを含む少なくとも１つのメッセージを受信するステップであって、前記複数のセルは、
一次ＰＵＣＣＨを用いる一次セルを含む一次ＰＵＣＣＨグループと、
二次ＰＵＣＣＨを用いるＰＵＣＣＨ二次セルを含む二次ＰＵＣＣＨグループと、
を含む、複数の物理アップリンク制御チャネル（ＰＵＣＣＨ）グループにグループ化される、ステップと、
サブフレームｍにおいて、
前記一次ＰＵＣＣＨグループ内の二次セルと、
前記ＰＵＣＣＨ二次セルと、
を含む、複数の二次セルのアクティブ化を示す第１の媒体アクセス制御制御要素（ＭＡＣ  ＣＥ）を受信するステップと、
サブフレームｍ＋８から前記二次セルのチャネル状態情報（ＣＳＩ）フィールドの伝送を開始するステップと、
サブフレームｍ＋８＋ｋから前記ＰＵＣＣＨ二次セルに関するＣＳＩフィールドの伝送を開始するステップであって、ｋは、少なくとも部分的に、前記ＰＵＣＣＨ二次セルが前記無線デバイスによって正常に検出されたときに依存する、整数である、ステップと、
を含む、方法。
（項目１８）
サブフレームｍ＋８において前記二次セルと関連付けられた第１の非アクティブ化タイマを始動させるステップと、
サブフレームｍ＋８において前記ＰＵＣＣＨ二次セルと関連付けられた第２の非アクティブ化タイマを始動させるステップと、
をさらに含む、項目１７に記載の方法。
（項目１９）
サブフレームｍ＋８＋ｋから前記二次ＰＵＣＣＨグループ内の第１の二次セルのＣＳＩフィールドの伝送を開始するステップをさらに含み、前記第１のＭＡＣ  ＣＥはさらに、前記第１の二次セルのアクティブ化を示す、項目１７に記載の方法。
（項目２０）
ゼロと異なるチャネル品質指数（ＣＱＩ）を伴う有効ＣＳＩフィールドが利用可能ではないときに、範囲外ＣＱＩを含むＣＳＩフィールドを伝送するステップをさらに含む、項目１７に記載の方法。
（項目２１）
方法であって、
無線デバイスによって、複数のセルの構成パラメータを含む少なくとも１つのメッセージを受信するステップであって、前記複数のセルは、
基地局に伝送される一次ＰＵＣＣＨを用いる一次セルを含む一次ＰＵＣＣＨグループと、
前記基地局に伝送される二次ＰＵＣＣＨを用いるＰＵＣＣＨ二次セルを含む二次ＰＵＣＣＨグループと、
を含む、複数の物理アップリンク制御チャネル（ＰＵＣＣＨ）グループにグループ化される、ステップと、
サブフレームｎにおいて、前記二次ＰＵＣＣＨグループ内の二次セルのアクティブ化を示す媒体アクセス制御制御要素を受信するステップと、
サブフレームｎ＋８＋ｋから前記二次セルに関するチャネル状態情報（ＣＳＩ）フィールドの伝送を開始するステップであって、
ｋは、前記ＰＵＣＣＨ二次セルのアクティブ化がサブフレームｎ＋８の前に完了された場合、ゼロに等しく、
ｋは、前記ＰＵＣＣＨ二次セルのアクティブ化がサブフレームｎ＋８においてまたはその後に完了された場合、０を上回り、前記ＰＵＣＣＨ二次セルのアクティブ化が完了されたときに依存する、
ステップと、
を含む、方法。
（項目２２）
サブフレームｎ＋８において前記二次セルと関連付けられた非アクティブ化タイマを始動させるステップをさらに含む、項目２１に記載の方法。
（項目２３）
前記無線デバイスは、サブフレームｎ＋８＋ｋにおいて前記ＣＳＩフィールドのＣＳＩフィールドを報告するためのアップリンクリソースが存在しない場合、サブフレームｎ＋８＋ｋにおいて前記ＣＳＩフィールドのＣＳＩフィールドを報告するために次の利用可能なアップリンクリソースを採用する、項目２１に記載の方法。
（項目２４）
サブフレームｎ＋８＋ｋから前記二次ＰＵＣＣＨグループ内のアクティブ化されたセルのＣＳＩフィールドの伝送を開始するステップをさらに含む、項目２１に記載の方法。
（項目２５）
ゼロと異なるチャネル品質指数を伴う有効ＣＳＩフィールドが利用可能ではないとき、範囲外ＣＱＩを含むＣＳＩフィールドが、伝送される、項目２１に記載の方法。
（項目２６）
前記構成パラメータは、
複数の共通パラメータと、
非アクティブ化タイマ値を含む、複数の専用パラメータと、
を含む、項目２１に記載の方法。
（項目２７）
前記媒体アクセス制御制御要素は、ビットマップを含む、項目２１に記載の方法。
（項目２８）
方法であって、
無線デバイスによって、複数のセルの構成パラメータを含む少なくとも１つのメッセージを受信するステップであって、前記複数のセルは、
一次ＰＵＣＣＨを用いる一次セルを含む一次ＰＵＣＣＨグループと、
二次ＰＵＣＣＨを用いるＰＵＣＣＨ二次セル（ＳＣｅｌｌ）を含む二次ＰＵＣＣＨグループと、
を含む、複数の物理アップリンク制御チャネル（ＰＵＣＣＨ）グループにグループ化される、ステップと、
サブフレームｎにおいて、
前記一次ＰＵＣＣＨグループ内の第１のＳＣｅｌｌと、
前記二次ＰＵＣＣＨグループ内の第２のＳＣｅｌｌと、
を含む、複数のＳＣｅｌｌのアクティブ化を示す媒体アクセス制御制御要素を受信するステップと、
サブフレームｎ＋８から前記第１のＳＣｅｌｌに関するチャネル状態情報（ＣＳＩ）フィールドの伝送を開始するステップと、
サブフレームｎ＋８＋ｋから前記第２のＳＣｅｌｌに関するＣＳＩフィールドの伝送を開始するステップであって、
ｋは、前記ＰＵＣＣＨ  ＳＣｅｌｌのアクティブ化がサブフレームｎ＋８の前に完了された場合、ゼロに等しく、
ｋは、前記ＰＵＣＣＨ  ＳＣｅｌｌのアクティブ化がサブフレームｎ＋８においてまたはその後に完了された場合、０を上回り、前記ＰＵＣＣＨ  ＳＣｅｌｌのアクティブ化が完了されたときに依存する、ステップと、
を含む、方法。
（項目２９）
サブフレームｎ＋８において前記第１のＳＣｅｌｌと関連付けられた第１の非アクティブ化タイマを始動させるステップと、
サブフレームｎ＋８において前記第２のＳＣｅｌｌと関連付けられた第２の非アクティブ化タイマを始動させるステップと、
をさらに含む、項目２８に記載の方法。
（項目３０）
前記無線デバイスは、前記ＣＳＩフィールドを報告するためのアップリンクリソースが存在しない場合、サブフレームｎ＋８＋ｋにおいて前記第２のＳＣｅｌｌに関する前記ＣＳＩフィールドのＣＳＩフィールドを報告するために次の利用可能なアップリンクリソースを採用する、項目２８に記載の方法。
（項目３１）
サブフレームｎ＋８＋ｋから前記二次ＰＵＣＣＨグループ内のアクティブ化されたセルのＣＳＩフィールドの伝送を開始するステップをさらに含む、項目３０に記載の方法。
（項目３２）
ゼロと異なるチャネル品質指数を伴う有効ＣＳＩフィールドが利用可能ではないとき、範囲外ＣＱＩを含むＣＳＩフィールドが、伝送される、項目２８に記載の方法。
（項目３３）
前記構成パラメータは、
複数の共通パラメータと、
非アクティブ化タイマ値を含む、複数の専用パラメータと、
を含む、項目２８に記載の方法。
（項目３４）
前記媒体アクセス制御制御要素は、ビットマップを含む、項目２８に記載の方法。
（項目３５）
方法であって、
基地局によって、無線デバイスに、複数のセルの構成パラメータを含む少なくとも１つのメッセージを伝送するステップであって、前記複数のセルは、
一次ＰＵＣＣＨを用いる一次セルを含む一次ＰＵＣＣＨグループと、
二次ＰＵＣＣＨを用いるＰＵＣＣＨ二次セル（ＳＣｅｌｌ）を含む二次ＰＵＣＣＨグループと、
を含む、複数の物理アップリンク制御チャネル（ＰＵＣＣＨ）グループにグループ化される、ステップと、
サブフレームｎにおいて、
前記一次ＰＵＣＣＨグループ内の第１のＳＣｅｌｌと、
前記二次ＰＵＣＣＨグループ内の第２のＳＣｅｌｌと、
を含む、複数のＳＣｅｌｌのアクティブ化を示す媒体アクセス制御制御要素を伝送するステップと、
前記無線デバイスから、サブフレームｎ＋８からの前記第１のＳＣｅｌｌに関するチャネル状態情報（ＣＳＩ）フィールドの受信を開始するステップと、
前記無線デバイスから、サブフレームｎ＋８＋ｋからの前記第２のＳＣｅｌｌに関するＣＳＩフィールドの受信を開始するステップであって、
ｋは、前記ＰＵＣＣＨ  ＳＣｅｌｌのアクティブ化がサブフレームｎ＋８の前に完了された場合、ゼロに等しく、
ｋは、前記ＰＵＣＣＨ  ＳＣｅｌｌのアクティブ化がサブフレームｎ＋８においてまたはその後に完了された場合、０を上回り、前記ＰＵＣＣＨ  ＳＣｅｌｌのアクティブ化が完了されたときに依存する、ステップと、
を含む、方法。
（項目３６）
サブフレームｎ＋８において前記第１のＳＣｅｌｌと関連付けられた第１の非アクティブ化タイマを始動させるステップと、
サブフレームｎ＋８において前記第２のＳＣｅｌｌと関連付けられた第２の非アクティブ化タイマを始動させるステップと、
をさらに含む、項目３５に記載の方法。
（項目３７）
前記基地局は、サブフレームｎ＋８＋ｋにおいて前記無線デバイスから前記ＣＳＩフィールドの前記第２のＳＣｅｌｌに関するＣＳＩフィールドを受信するためのアップリンクリソースが存在しない場合、前記無線デバイスからＣＳＩフィールドを受信するための次の利用可能なアップリンクリソースにおいて、サブフレームｎ＋８＋ｋにおける前記ＣＳＩフィールドの前記第２のＳＣｅｌｌに関するＣＳＩフィールドを受信する、項目３５に記載の方法。
（項目３８）
ゼロと異なるチャネル品質指数を伴う有効ＣＳＩフィールドが利用可能ではないとき、範囲外ＣＱＩを含むＣＳＩフィールドが、受信される、項目３５に記載の方法。
（項目３９）
前記構成パラメータは、
複数の共通パラメータと、
非アクティブ化タイマ値を含む、複数の専用パラメータと、
を含む、項目３５に記載の方法。
（項目４０）
前記媒体アクセス制御制御要素は、ビットマップを含む、項目３５に記載の方法。
（項目４１）
方法であって、
無線デバイスによって、基地局から、複数のセルの構成パラメータを含む少なくとも１つのメッセージを受信するステップであって、前記複数のセルは、
前記基地局に伝送される一次ＰＵＣＣＨを用いる一次セルを含む一次ＰＵＣＣＨグループと、
前記基地局に伝送される二次ＰＵＣＣＨを用いるＰＵＣＣＨ二次セルを含む二次ＰＵＣＣＨグループと、
を含む、複数の物理アップリンク制御チャネル（ＰＵＣＣＨ）グループにグループ化される、ステップと、
サブフレームｎにおいて、前記ＰＵＣＣＨ二次セルの非アクティブ化を示す媒体アクセス制御（ＭＡＣ）コマンドを受信するステップと、
サブフレームｎ＋８において前記二次ＰＵＣＣＨグループ内の第１の二次セルに関するチャネル状態情報の伝送を停止するステップであって、前記第１の二次セルは、前記ＰＵＣＣＨ二次セルと異なる、ステップと、
を含む、方法。
（項目４２）
サブフレームｎ＋８においてまたはその前に前記第１の二次セルと関連付けられた非アクティブ化タイマを停止するステップをさらに含む、項目４１に記載の方法。
（項目４３）
前記少なくとも１つのメッセージは、非アクティブ化タイマパラメータを含む複数の専用パラメータを含む、項目４１に記載の方法。
（項目４４）
前記ＭＡＣコマンドは、ビットマップを含む、項目４１に記載の方法。
（項目４５）
サブフレームｎ＋８においてまたはその前に前記第１の二次セルのダウンリンク制御チャネルの監視を停止するステップをさらに含む、項目４１に記載の方法。
（項目４６）
前記ＭＡＣコマンドはさらに、前記第１の二次セルの非アクティブ化を示す、項目４１に記載の方法。
（項目４７）
前記ＰＵＣＣＨ二次セル上でのアップリンク伝送を停止する前に、前記第１の二次セル上でのアップリンク伝送を停止するステップをさらに含む、項目４１に記載の方法。
（項目４８）
方法であって、
無線デバイスによって、基地局から、複数のセルの構成パラメータを含む少なくとも１つのメッセージを受信するステップであって、前記複数のセルは、
前記基地局に伝送される一次ＰＵＣＣＨを用いる一次セルを含む一次ＰＵＣＣＨグループと、
前記基地局に伝送される二次ＰＵＣＣＨを用いるＰＵＣＣＨ二次セルを含む二次ＰＵＣＣＨグループと、
を含む、複数の物理アップリンク制御チャネル（ＰＵＣＣＨ）グループにグループ化される、ステップと、
サブフレームｎにおいて、第１の二次セルおよび前記ＰＵＣＣＨ二次セルの非アクティブ化を示す媒体アクセス制御（ＭＡＣ）コマンドを受信するステップと、
サブフレームｎ＋８において前記ＰＵＣＣＨ二次セル上でのアップリンク伝送を停止するステップと、
サブフレームｎ＋８の前に前記第１の二次セル上でのアップリンク伝送を停止するステップと、
を含む、方法。
（項目４９）
サブフレームｎ＋８においてまたはその前に前記第１の二次セルと関連付けられた非アクティブ化タイマを停止するステップをさらに含む、項目４８に記載の方法。
（項目５０）
前記少なくとも１つのメッセージは、非アクティブ化タイマパラメータを含む複数の専用パラメータを含む、項目４８に記載の方法。
（項目５１）
前記ＭＡＣコマンドは、ビットマップを含む、項目４８に記載の方法。
（項目５２）
サブフレームｎ＋８においてまたはその前に前記第１の二次セルのダウンリンク制御チャネルの監視を停止するステップをさらに含む、項目４８に記載の方法。
（項目５３）
前記ＰＵＣＣＨ二次セルの非アクティブ化タイマは、ディスエーブルにされる、項目４８に記載の方法。
（項目５４）
無線デバイスであって、
１つまたはそれを上回るプロセッサと、
命令を記憶するメモリであって、前記命令は、実行されると、前記無線デバイスに、
基地局から、複数のセルの構成パラメータを含む少なくとも１つのメッセージを受信することであって、前記複数のセルは、
前記基地局に伝送される一次ＰＵＣＣＨを用いる一次セルを含む一次ＰＵＣＣＨグループと、
前記基地局に伝送される二次ＰＵＣＣＨを用いるＰＵＣＣＨ二次セルを含む二次ＰＵＣＣＨグループと、
を含む、複数の物理アップリンク制御チャネル（ＰＵＣＣＨ）グループにグループ化される、ことと、
サブフレームｎにおいて、前記ＰＵＣＣＨ二次セルの非アクティブ化を示す媒体アクセス制御（ＭＡＣ）コマンドを受信することと、
サブフレームｎ＋８において前記二次ＰＵＣＣＨグループ内の第１の二次セルに関するチャネル状態情報の伝送を停止することであって、前記第１の二次セルは、前記ＰＵＣＣＨ二次セルと異なる、ことと、
を行わせる、メモリと、
を備える、無線デバイス。
（項目５５）
前記命令は、実行されるとさらに、前記無線デバイスに、サブフレームｎ＋８においてまたはその前に前記第１の二次セルと関連付けられた非アクティブ化タイマを停止させる、項目５４に記載の無線デバイス。
（項目５６）
前記少なくとも１つのメッセージは、非アクティブ化タイマパラメータを含む複数の専用パラメータを含む、項目５４に記載の無線デバイス。
（項目５７）
前記ＭＡＣコマンドは、ビットマップを含む、項目５４に記載の無線デバイス。
（項目５８）
前記命令は、実行されるとさらに、前記無線デバイスに、サブフレームｎ＋８においてまたはその前に前記第１の二次セルのダウンリンク制御チャネルの監視を停止させる、項目５４に記載の無線デバイス。
（項目５９）
前記ＭＡＣコマンドはさらに、前記第１の二次セルの非アクティブ化を示す、項目５４に記載の無線デバイス。
（項目６０）
前記命令は、実行されるとさらに、前記無線デバイスに、前記ＰＵＣＣＨ二次セル上でのアップリンク伝送を停止する前に、前記第１の二次セル上でのアップリンク伝送を停止させる、項目５４に記載の無線デバイス。
【図面の簡単な説明】
【０００３】
本発明の種々の実施形態のうちのいくつかの実施例が、図面を参照して本明細書に説明される。
【０００４】
【図１】図１は、本発明の実施形態のある側面による、ＯＦＤＭサブキャリアの例示的セットを描写する、略図である。
【０００５】
【図２】図２は、本発明の実施形態のある側面による、キャリアグループ内の２つのキャリアに関する例示的伝送時間および受信時間を描写する、略図である。
【０００６】
【図３】図３は、本発明の実施形態のある側面による、ＯＦＤＭ無線リソースを描写する、図である。
【０００７】
【図４】図４は、本発明の実施形態のある側面による、基地局および無線デバイスのブロック図である。
【０００８】
【図５】図５Ａ、図５Ｂ、図５Ｃ、および図５Ｄは、本発明の実施形態のある側面による、アップリンクおよびダウンリンク信号伝送に関する例示的略図である。
【０００９】
【図６】図６は、本発明の実施形態のある側面による、ＣＡおよびＤＣを用いたプロトコル構造に関する例示的略図である。
【００１０】
【図７】図７は、本発明の実施形態のある側面による、ＣＡおよびＤＣを用いたプロトコル構造に関する例示的略図である。
【００１１】
【図８】図８は、本発明の実施形態のある側面による、例示的ＴＡＧ構成を示す。
【００１２】
【図９】図９は、本発明の実施形態のある側面による、二次ＴＡＧ内のランダムアクセスプロセスにおける例示的メッセージフローである。
【００１３】
【図１０】図１０は、本発明の実施形態のある側面による、ＰＵＣＣＨグループへのセルの例示的グループ化である。
【００１４】
【図１１】図１１は、本発明の実施形態のある側面による、１つまたはそれを上回るＰＵＣＣＨグループおよび１つまたはそれを上回るＴＡＧグループへのセルの例示的グループ化を図示する。
【００１５】
【図１２】図１２は、本発明の実施形態のある側面による、１つまたはそれを上回るＰＵＣＣＨグループおよび１つまたはそれを上回るＴＡＧグループへのセルの例示的グループ化を図示する。
【００１６】
【図１３】図１３は、本発明の実施形態のある側面による、例示的ＭＡＣ  ＰＤＵである。
【００１７】
【図１４】図１４Ａおよび１４Ｂは、本発明の実施形態のある側面による、例示的ＣＱＩテーブルである。
【００１８】
【図１５】図１５Ａおよび１５Ｂは、現在のＬＴＥアドバンスト送受信機に従う、いくつかのイベントのタイミングを図示する、例示的略図である。
【００１９】
【図１６】図１６Ａおよび１６Ｂは、本発明の実施形態のある側面による、いくつかのイベントのタイミングを図示する、例示的略図である。
【００２０】
【図１７】図１７は、本発明の実施形態のある側面による、いくつかのイベントのタイミングを図示する、例示的略図である。
【００２１】
【図１８】図１８は、本発明の実施形態のある側面による、例示的フロー図である。
【００２２】
【図１９】図１９は、本発明の実施形態のある側面による、例示的フロー図である。
【００２３】
【図２０】図２０は、本発明の実施形態のある側面による、例示的フロー図である。
【００２４】
【図２１】図２１は、本発明の実施形態のある側面による、例示的フロー図である。
【００２５】
【図２２】図２２は、本発明の実施形態のある側面による、例示的フロー図である。
【００２６】
【図２３】図２３は、本発明の実施形態のある側面による、例示的フロー図である。
【００２７】
【図２４】図２４は、本発明の実施形態のある側面による、例示的フロー図である。
【００２８】
【図２５】図２５は、本発明の実施形態のある側面による、例示的フロー図である。
【００２９】
【図２６】図２６は、本発明の実施形態のある側面による、例示的フロー図である。
【００３０】
【図２７】図２７は、本発明の実施形態のある側面による、例示的フロー図である。
【００３１】
【図２８】図２８は、本発明の実施形態のある側面による、例示的フロー図である。
【００３２】
【図２９】図２９は、本発明の実施形態のある側面による、例示的フロー図である。
【００３３】
【図３０】図３０は、本発明の実施形態のある側面による、例示的フロー図である。
【００３４】
【図３１】図３１は、本発明の実施形態のある側面による、例示的フロー図である。
【発明を実施するための形態】
【００３５】
以下の略語は、本開示の全体を通して使用される。
ＡＳＩＣ    特定用途向け集積回路
ＢＰＳＫ    二位相偏移変調
ＣＡ    キャリアアグリゲーション
ＣＳＩ    チャネル状態情報
ＣＤＭＡ    符号分割多重アクセス
ＣＳＳ    共通検索空間
ＣＰＬＤ    複合プログラマブル論理デバイス
ＣＣ    コンポーネントキャリア
ＤＬ    ダウンリンク
ＤＣＩ    ダウンリンク制御情報
ＤＣ    デュアルコネクティビティ
ＥＰＣ    進化型パケットコア
Ｅ−ＵＴＲＡＮ    進化型ユニバーサル地上無線アクセスネットワーク
ＦＰＧＡ    フィールドプログラマブルゲートアレイ
ＦＤＤ    周波数分割多重化
ＨＤＬ    ハードウェア記述言語
ＨＡＲＱ    ハイブリッド自動反復要求
ＩＥ    情報要素
ＬＴＥ    ロング・ターム・エボリューション
ＭＣＧ    マスタセルグループ
ＭｅＮＢ    マスタ進化型ノードＢ
ＭＩＢ    マスタ情報ブロック
ＭＡＣ    媒体アクセス制御
ＭＡＣ    媒体アクセス制御
ＭＭＥ    モビリティ管理エンティティ
ＮＡＳ    非アクセス層
ＯＦＤＭ    直交周波数分割多重化
ＰＤＣＰ    パケットデータ収束プロトコル
ＰＤＵ    パケットデータユニット
ＰＨＹ    物理
ＰＤＣＣＨ    物理ダウンリンク制御チャネル
ＰＨＩＣＨ    物理ＨＡＲＱインジケータチャネル
ＰＵＣＣＨ    物理アップリンク制御チャネル
ＰＵＳＣＨ    物理アップリンク共有チャネル
ＰＣｅｌｌ    一次セル
ＰＣｅｌｌ    一次セル
ＰＣＣ    一次コンポーネントキャリア
ＰＳＣｅｌｌ    一次二次セル
ｐＴＡＧ    一次タイミングアドバンスグループ
ＱＡＭ    直交振幅変調
ＱＰＳＫ    直交位相偏移変調
ＲＢＧ    リソースブロックグループ
ＲＬＣ    無線リンク制御
ＲＲＣ    無線リソース制御
ＲＡ    ランダムアクセス
ＲＢ    リソースブロック
ＳＣＣ    二次コンポーネントキャリア
ＳＣｅｌｌ    二次セル
ＳＣｅｌｌ    二次セル
ＳＣＧ    二次セルグループ
ＳｅＮＢ    二次進化型ノードＢ
ｓＴＡＧ    二次タイミングアドバンスグループ
ＳＤＵ    サービスデータユニット
Ｓ−ＧＷ    サービングゲートウェイ
ＳＲＢ    信号伝達無線ベアラ
ＳＣ−ＯＦＤＭ    単一キャリア−ＯＦＤＭ
ＳＦＮ    システムフレーム数
ＳＩＢ    システム情報ブロック
ＴＡＩ    追跡エリア識別子
ＴＡＴ    時間整合タイマ
ＴＤＤ    時分割複信
ＴＤＭＡ    時分割多重アクセス
ＴＡ    タイミングアドバンス
ＴＡＧ    タイミングアドバンスグループ
ＴＢ    トランスポートブロック
ＵＬ    アップリンク
ＵＥ    ユーザ機器
ＶＨＤＬ    ＶＨＳＩＣハードウェア記述言語
【００３６】
本発明の例示的実施形態は、種々の物理層変調および伝送機構を使用して実装されてもよい。例示的伝送機構として、限定ではないが、ＣＤＭＡ、ＯＦＤＭ、ＴＤＭＡ、ウェーブレット技術、および／または同等物が挙げられ得る。ＴＤＭＡ／ＣＤＭＡおよびＯＦＤＭ／ＣＤＭＡ等のハイブリッド伝送機構もまた、採用されてもよい。種々の変調スキームが、物理層内の信号伝送のために適用されてもよい。変調スキームの実施例として、限定ではないが、位相、振幅、コード、これらの組み合わせ、および／または同等物が挙げられる。例示的無線伝送方法は、ＢＰＳＫ、ＱＰＳＫ、１６−ＱＡＭ、６４−ＱＡＭ、２５６−ＱＡＭ、および／または同等物を使用して、ＱＡＭを実装し得る。物理無線伝送は、伝送要件および無線条件に応じて、変調およびコーディングスキームを動的または半動的に変化させることによって強化され得る。
【００３７】
図１は、本発明の実施形態のある側面による、ＯＦＤＭサブキャリアの例示的セットを描写する、略図である。本実施例に図示されるように、略図内の矢印は、マルチキャリアＯＦＤＭシステム内のサブキャリアを描写し得る。ＯＦＤＭシステムは、ＯＦＤＭ技術、ＳＣ−ＯＦＤＭ技術、または同等物等の技術を使用してもよい。例えば、矢印１０１は、サブキャリア伝送情報シンボルを示す。図１は、例証目的のためのものであって、典型的マルチキャリアＯＦＤＭシステムは、キャリア内により多くのサブキャリアを含んでもよい。例えば、キャリア内のサブキャリアの数は、１０〜１０，０００サブキャリアの範囲内であってもよい。図１は、伝送バンド内の２つのガードバンド１０６および１０７を示す。図１に図示されるように、ガードバンド１０６は、サブキャリア１０３とサブキャリア１０４との間にある。サブキャリアＡ１０２の例示的セットは、サブキャリア１０３と、サブキャリア１０４とを含む。図１はまた、サブキャリアＢ１０５の例示的セットを図示する。図示されるように、サブキャリアＢ１０５の例示的セット内には、任意の２つのサブキャリアの間にガードバンドが存在しない。マルチキャリアＯＦＤＭ通信システム内のキャリアは、連続的キャリア、非連続的キャリア、または連続的および非連続的キャリア両方の組み合わせであってもよい。
【００３８】
図２は、本発明の実施形態のある側面による、２つのキャリアに関する例示的伝送時間および受信時間を描写する、略図である。マルチキャリアＯＦＤＭ通信システムは、例えば、１〜１０キャリアに及ぶ、１つまたはそれを上回るキャリアを含んでもよい。キャリアＡ２０４およびキャリアＢ２０５は、同一または異なるタイミング構造を有してもよい。図２は、２つの同期されたキャリアを示すが、キャリアＡ２０４およびキャリアＢ２０５は、相互に同期されてもよい、またはそうではなくてもよい。異なる無線フレーム構造は、ＦＤＤおよびＴＤＤ複信機構のためにサポートされてもよい。図２は、例示的ＦＤＤフレームタイミングを示す。ダウンリンクおよびアップリンク伝送は、無線フレーム２０１の中に編成されてもよい。本実施例では、無線フレーム持続時間は、１０ミリ秒である。他のフレーム持続時間、例えば、１〜１００ミリ秒の範囲内もまた、サポートされてもよい。本実施例では、各１０ミリ秒無線フレーム２０１は、１０の等サイズのサブフレーム２０２に分割されてもよい。０．５ミリ秒、１ミリ秒、２ミリ秒、および５ミリ秒を含む、他のサブフレーム持続時間もまた、サポートされてもよい。サブフレームは、２つまたはそれを上回るスロット（例えば、スロット２０６および２０７）から成ってもよい。ＦＤＤの実施例に関して、１０のサブフレームが、各１０ミリ秒間隔において、ダウンリンク伝送のために利用可能であってもよく、１０のサブフレームが、アップリンク伝送のために利用可能であってもよい。アップリンクおよびダウンリンク伝送は、周波数ドメイン内で分離されてもよい。スロットは、複数のＯＦＤＭシンボル２０３を含んでもよい。スロット２０６内のＯＦＤＭシンボル２０３の数は、サイクリックプレフィックス長およびサブキャリア間隔に依存し得る。
【００３９】
図３は、本発明の実施形態のある側面による、ＯＦＤＭ無線リソースを描写する、略図である。時間３０４および周波数３０５内のリソースグリッド構造が、図３に図示される。ダウンリンクサブキャリアまたはＲＢの数量（本実施例では、６〜１００ＲＢ）は、少なくとも部分的に、セル内で構成されたダウンリンク伝送帯域幅３０６に依存し得る。最小無線リソースユニットは、リソース要素（例えば、３０１）と呼ばれ得る。リソース要素は、リソースブロック（例えば、３０２）にグループ化されてもよい。リソースブロックは、リソースブロックグループ（ＲＢＧ）（例えば、３０３）と呼ばれるより大きい無線リソースにグループ化されてもよい。スロット２０６内で伝送される信号は、複数のサブキャリアおよび複数のＯＦＤＭシンボルの１つまたはいくつかのリソースグリッドによって記述され得る。リソースブロックは、リソース要素へのある物理チャネルのマッピングを記述するために使用されてもよい。物理リソース要素の他の事前に定義されたグループ化も、無線技術に応じて、システム内に実装されてもよい。例えば、２４のサブキャリアが、５ミリ秒の持続時間の間、無線ブロックとしてグループ化されてもよい。例証的実施例では、リソースブロックは、時間ドメイン内の１つのスロットおよび周波数ドメイン内の１８０ｋＨｚに対応し得る（１５ＫＨｚサブキャリア帯域幅および１２のサブキャリアに関して）。
【００４０】
図５Ａ、図５Ｂ、図５Ｃ、および図５Ｄは、本発明の実施形態のある側面による、アップリンクおよびダウンリンク信号伝送のための例示的略図である。図５Ａは、例示的アップリンク物理チャネルを示す。物理アップリンク共有チャネルを表すベースバンド信号は、以下のプロセスを行い得る。これらの機能は、実施例として図示され、種々の実施形態では、他の機構が実装されてもよいことが予期される。そのような機能として、スクランブリング、複素数値シンボルを生成するためのスクランブリングされたビットの変調、１つまたはいくつかの伝送層上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＳＣ−ＦＤＭＡ信号の生成、および／または同等物が挙げられ得る。
【００４１】
アンテナポート毎の複素数値ＳＣ−ＦＤＭＡベースバンド信号および／または複素数値ＰＲＡＣＨベースバンド信号のキャリア周波数への例示的変調および上方変換は、図５Ｂに示される。フィルタリングが、伝送に先立って採用されてもよい。
【００４２】
ダウンリンク伝送のための例示的構造は、図５Ｃに示される。ダウンリンク物理チャネルを表すベースバンド信号は、以下のプロセスを行い得る。これらの機能は、実施例として図示され、種々の実施形態では、他の機構が実装されてもよいことが予期される。そのような機能として、物理チャネル上で伝送されるべきコードワードのそれぞれ内のコード化されたビットのスクランブリング、複素数値変調シンボルを生成するためのスクランブリングされたビットの変調、１つまたはいくつかの伝送層上への複素数値変調シンボルのマッピング、アンテナポート上での伝送のための各層上での複素数値変調シンボルのプリコーディング、リソース要素へのアンテナポート毎の複素数値変調シンボルのマッピング、アンテナポート毎の複素数値時間ドメインＯＦＤＭ信号の生成、および／または同等物が挙げられる。
【００４３】
アンテナポート毎の複素数値ＯＦＤＭベースバンド信号のキャリア周波数への例示的変調および上方変換は、図５Ｄに示される。フィルタリングが、伝送に先立って採用されてもよい。
【００４４】
図４は、本発明の実施形態のある側面による、基地局４０１および無線デバイス４０６の例示的ブロック図である。通信ネットワーク４００は、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一過性メモリ４０４内に記憶され、少なくとも１つのプロセッサ４０３によって実行可能な少なくとも１セットのプログラムコード命令４０５とを含んでもよい。無線デバイス４０６は、少なくとも１つの通信インターフェース４０７と、少なくとも１つのプロセッサ４０８と、非一過性メモリ４０９内に記憶され、少なくとも１つのプロセッサ４０８によって実行可能な少なくとも１セットのプログラムコード命令４１０とを含んでもよい。基地局４０１内の通信インターフェース４０２は、少なくとも１つの無線リンク４１１を含む、通信経路を介して、無線デバイス４０６内の通信インターフェース４０７との通信に従事するように構成されてもよい。無線リンク４１１は、双方向リンクであってもよい。無線デバイス４０６内の通信インターフェース４０７はまた、基地局４０１内の通信インターフェース４０２との通信に従事するように構成されてもよい。基地局４０１および無線デバイス４０６は複数の周波数キャリアを使用して、無線リンク４１１を経由して、データを送受信するように構成されてもよい。実施形態の種々の側面のうちのいくつかによると、送受信機が、採用されてもよい。送受信機は、送信機および受信機の両方を含む、デバイスである。送受信機は、無線デバイス、基地局、中継ノード、および／または同等物等のデバイス内で採用されてもよい。通信インターフェース４０２、４０７および無線リンク４１１内で実装される無線技術のための例示的実施形態は、図１、図２、図３、図５、および関連付けられた文書に図示される。
【００４５】
インターフェースは、ハードウェアインターフェース、ファームウェアインターフェース、ソフトウェアインターフェース、および／またはそれらの組み合わせであってもよい。ハードウェアインターフェースは、コネクタ、ワイヤ、ドライバ等の電子デバイス、増幅器、および／または同等物を含んでもよい。ソフトウェアインターフェースは、メモリデバイス内に記憶され、プロトコル、プロトコル層、通信ドライバ、デバイスドライバ、それらの組み合わせ、および／または同等物を実装する、コードを含んでもよい。ファームウェアインターフェースは、埋設されるハードウェアと、メモリデバイス内に記憶され、および／またはそれと通信し、接続、電子デバイス動作、プロトコル、プロトコル層、通信ドライバ、デバイスドライバ、ハードウェア動作、それらの組み合わせ、および／または同等物を実装する、コードの組み合わせを含んでもよい。
【００４６】
用語「構成される」とは、デバイスが動作または非動作状態にあるかどうかにかかわらず、デバイスの能力に関し得る。「構成される」はまた、デバイスが動作または非動作状態にあるかどうかにかかわらず、デバイスの動作特性をもたらす、デバイス内の具体的設定を指し得る。言い換えると、ハードウェア、ソフトウェア、ファームウェア、レジスタ、メモリ値、および／または同等物は、デバイスが動作または非動作状態にあるかどうかにかかわらず、デバイスに具体的特性を提供するようにデバイス内で「構成」され得る。「デバイス内で生じさせるための制御メッセージ」等の用語は、制御メッセージが、デバイスが動作または非動作状態にあるかどうかにかかわらず、デバイス内の具体的特性を構成するために使用され得る、パラメータを有することを意味し得る。
【００４７】
実施形態の種々の側面のうちのいくつかによると、ＬＴＥネットワークは、多数の基地局を含み、ユーザプレーンＰＤＣＰ／ＲＬＣ／ＭＡＣ／ＰＨＹおよび制御プレーン（ＲＲＣ）プロトコル終端を無線デバイスに向かって提供してもよい。基地局は、他の基地局と相互接続されてもよい（例えば、Ｘ２インターフェースを採用する）。基地局はまた、例えば、ＥＰＣへのＳ１インターフェースを採用して接続されてもよい。例えば、基地局は、Ｓ１−ＭＭＥインターフェースを採用してＭＭＥと、Ｓ１−Ｕインターフェースを採用してＳ−Ｇとに相互接続されてもよい。Ｓ１インターフェースは、ＭＭＥ／サービングゲートウェイと基地局との間の多対多関係をサポートしてもよい。基地局は、多くのセクタ、例えば、１、２、３、４、または６つのセクタを含んでもよい。基地局は、多くのセル、例えば、１〜５０セルまたはそれを上回って含んでもよい。セルは、例えば、一次セルまたは二次セルとしてカテゴリ化されてもよい。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。本セルは、一次セル（ＰＣｅｌｌ）と称され得る。ダウンリンクでは、ＰＣｅｌｌに対応するキャリアは、ダウンリンク一次コンポーネントキャリア（ＤＬＰＣＣ）であり得る一方、アップリンクでは、アップリンク一次コンポーネントキャリア（ＵＬＰＣＣ）であり得る。無線デバイス能力に応じて、二次セル（ＳＣｅｌｌ）が、ＰＣｅｌｌのセットサービングセルとともに形成されるように構成されてもよい。ダウンリンクでは、ＳＣｅｌｌに対応するキャリアは、ダウンリンク二次コンポーネントキャリア（ＤＬ  ＳＣＣ）であり得る一方、アップリンクでは、アップリンク二次コンポーネントキャリア（ＵＬ  ＳＣＣ）であり得る。ＳＣｅｌｌは、アップリンクキャリアを有してもよい、またはそうではなくてもよい。
【００４８】
ダウンリンクキャリアと、随意に、アップリンクキャリアとを含む、セルは、物理セルＩＤおよびセルインデックスが割り当てられてもよい。キャリア（ダウンリンクまたはアップリンク）は、１つのみのセルに属してもよい。セルＩＤまたはセルインデックスはまた、セルのダウンリンクキャリアまたはアップリンクキャリアを識別し得る（それが使用される状況に応じて）。本明細書では、セルＩＤは、キャリアＩＤとも称され得、セルインデックスは、キャリアインデックスと称され得る。実装では、物理セルＩＤまたはセルインデックスは、セルが割り当てられてもよい。セルＩＤは、ダウンリンクキャリア上で伝送される同期信号を使用して、判定されてもよい。セルインデックスは、ＲＲＣメッセージを使用して、判定されてもよい。例えば、本明細書が、第１のダウンリンクキャリアに関する第１の物理セルＩＤを指すとき、本明細書は、第１の物理セルＩＤが第１のダウンリンクキャリアを含むセルに関するものであることを意味し得る。同一概念は、例えば、キャリアアクティブ化にも適用され得る。本明細書が、第１のキャリアがアクティブ化されることを示すとき、本明細書は、第１のキャリアを含むセルがアクティブ化されることも意味し得る。
【００４９】
実施形態は、必要に応じて、動作するように構成されてもよい。開示される機構は、ある基準が、例えば、無線デバイス、基地局、無線環境、ネットワーク、前述の組み合わせ、および／または同等物内で満たされるときに行われてもよい。例示的基準は、少なくとも部分的に、例えば、トラフィック負荷、初期システム設定、パケットサイズ、トラフィック特性、前述の組み合わせ、および／または同等物に基づいてもよい。１つまたはそれを上回る基準が満たされると、種々の例示的実施形態が、適用されてもよい。したがって、開示されるプロトコルを選択的に実装する例示的実施形態を実装することが可能であり得る。
【００５０】
基地局が、無線デバイスの混合と通信し得る。無線デバイスは、複数の技術および／または同一技術の複数のリリースをサポートしてもよい。無線デバイスは、その無線デバイスカテゴリおよび／または能力に応じて、いくつかの具体的能力を有してもよい。基地局は、複数のセクタを含んでもよい。本開示が、複数の無線デバイスと通信する基地局を指すとき、本開示は、サービスエリア内の総無線デバイスのサブセットを指し得る。本開示は、例えば、所与の能力を伴い、基地局の所与のセクタ内にある、所与のＬＴＥリリースの複数の無線デバイスを指し得る。本開示における複数の無線デバイスは、選択された複数の無線デバイス、および／または開示される方法に従って機能する、サービスエリア内の総無線デバイスのサブセット、および／または同等物を指し得る。サービスエリア内には、例えば、それらの無線デバイスがＬＴＥ技術のより古いリリースに基づいて機能するため、開示される方法に準拠し得ない、複数の無線デバイスが存在し得る。
【００５１】
図６および図７は、本発明の実施形態のある側面による、ＣＡおよびＤＣを用いたプロトコル構造のための例示的略図である。Ｅ−ＵＴＲＡＮは、デュアルコネクティビティ（ＤＣ）動作をサポートしてもよく、それによって、ＲＲＣ＿ＣＯＮＮＥＣＴＥＤ内の複数のＲＸ／ＴＸ  ＵＥは、Ｘ２インターフェースを経由して非理想的バックホールを介して接続される２つのｅＮＢ内に位置する２つのスケジューラによって提供される、無線リソースを利用するように構成され得る。あるＵＥのためのＤＣに関わるｅＮＢは、２つの異なる役割をし得る。すなわち、ｅＮＢは、ＭｅＮＢまたはＳｅＮＢのいずれかとして作用し得る。ＤＣでは、ＵＥは、１つのＭｅＮＢおよび１つのＳｅＮＢに接続されてもよい。ＤＣにおいて実装される機構は、２つを上回るｅＮＢを網羅するように拡張されてもよい。図７は、マスタセルグループ（ＭＣＧ）および二次セルグループ（ＳＣＧ）が構成されるときのＵＥ側ＭＡＣエンティティのための一例示的構造を図示し、これは、実装を制限し得ない。媒体ブロードキャストマルチキャストサービス（ＭＢＭＳ）受信は、便宜上、本図には示されない。
【００５２】
ＤＣでは、特定のベアラが使用する、無線プロトコルアーキテクチャは、ベアラが設定される方法に依存し得る。図６に示されるように、ＭＣＧベアラ、ＳＣＧベアラ、および分割ベアラの３つの代替が、存在し得る。ＲＲＣは、ＭｅＮＢ内に位置してもよく、ＳＲＢは、ＭＣＧベアラタイプとして構成されてもよく、ＭｅＮＢの無線リソースを使用してもよい。ＤＣはまた、ＳｅＮＢによって提供される無線リソースを使用するように構成される少なくとも１つのベアラを有するように説明され得る。ＤＣは、本発明の例示的実施形態において構成／実装されてもよい、またはそうではなくてもよい。
【００５３】
ＤＣの場合、ＵＥは、２つのＭＡＣエンティティ、すなわち、ＭｅＮＢのための１つのＭＡＣエンティティと、ＳｅＮＢのための１つのＭＡＣエンティティとを用いて構成されてもよい。ＤＣでは、ＵＥのためのサービングセルの構成されたセットは、２つのサブセット、すなわち、ＭｅＮＢのサービングセルを含有するマスタセルグループ（ＭＣＧ）と、ＳｅＮＢのサービングセルを含有する二次セルグループ（ＳＣＧ）とを含んでもよい。ＳＣＧに関して、以下のうちの１つまたはそれを上回るものが当てはまり得る。すなわち、ＳＣＧ内の少なくとも１つのセルは、構成されたＵＬ  ＣＣを有し、ＰＳＣｅｌｌと称される（またはＳＣＧのＰＣｅｌｌもしくはＰＣｅｌｌとも呼ばれる）、それらのうちの１つは、ＰＵＣＣＨリソースを用いて構成される。ＳＣＧが構成されると、少なくとも１つのＳＣＧベアラまたは１つの分割ベアラが、存在し得る。ＰＳＣｅｌｌ上の物理層問題もしくはランダムアクセス問題の検出に応じて、またはＳＣＧと関連付けられたＲＬＣ再伝送の最大数に達すると、またはＳＣＧ追加またはＳＣＧ変更の間のＰＳＣｅｌｌ上のアクセス問題の検出に応じて、ＲＲＣ接続再確立プロシージャは、トリガされない場合があり、ＳＣＧのセルに向かうＵＬ伝送は、停止され、ＭｅＮＢは、ＵＥによってＳＣＧ障害タイプが知らされ得、分割ベアラに関しては、ＭｅＮＢを経由したＤＬデータ転送が維持される。ＲＬＣ  ＡＭベアラは、分割ベアラのために構成されてもよい。ＰＣｅｌｌのように、ＰＳＣｅｌｌは、非アクティブ化されない場合がある。ＰＳＣｅｌｌは、ＳＣＧ変更に伴って（例えば、セキュリティキー変更およびＲＡＣＨプロシージャに伴って）変更され得、および／または分割ベアラとＳＣＧベアラとの間の直接ベアラタイプ変更もしくはＳＣＧおよび分割ベアラの同時構成のいずれも、サポートされない。
【００５４】
ＭｅＮＢとＳｅＮＢとの間の相互作用に関して、以下の原理のうちの１つまたはそれを上回るものが、当てはまり得る。すなわち、ＭｅＮＢは、ＵＥのＲＲＭ測定構成を維持し得、（例えば、受信された測定報告またはトラフィック条件またはベアラタイプに基づいて）ＳｅＮＢに、ＵＥのための付加的リソース（サービングセル）を提供するように求めることを決定し得る。ＭｅＮＢからの要求の受信に応じて、ＳｅＮＢは、ＵＥのための付加的サービングセルの構成をもたらし得る、コンテナを作成し得る（またはそのために利用可能なリソースを有していないことを決定する）。ＵＥ能力協調に関して、ＭｅＮＢは、ＡＳ構成およびＵＥ能力（その一部）をＳｅＮＢに提供し得る。ＭｅＮＢおよびＳｅＮＢは、Ｘ２メッセージ内で搬送されるＲＲＣコンテナ（ノード間メッセージ）を採用することによって、ＵＥ構成についての情報を交換し得る。ＳｅＮＢは、その既存のサービングセル（例えば、ＳｅＮＢに向かうＰＵＣＣＨ）の再構成を開始し得る。ＳｅＮＢは、どのセルがＳＣＧ内のＰＳＣｅｌｌかを決定し得る。ＭｅＮＢは、ＳｅＮＢによって提供されるＲＲＣ構成のコンテンツを変更し得る。ＳＣＧ追加およびＳＣＧ  ＳＣｅｌｌ追加の場合、ＭｅＮＢは、ＳＣＧセルのための最新測定結果を提供し得る。ＭｅＮＢおよびＳｅＮＢは両方とも、ＯＡＭによって相互のＳＦＮおよびサブフレームオフセットを把握し得る（例えば、測定ギャップのＤＲＸ整合および識別の目的のために）。実施例では、新しいＳＣＧ  ＳＣｅｌｌを追加するとき、専用ＲＲＣ信号伝達が、ＳＣＧのＰＳＣｅｌｌのＭＩＢから取得されたＳＦＮを除き、ＣＡに関するセルの要求されるシステム情報を送信するために使用され得る。
【００５５】
実施形態の種々の側面のうちのいくつかによると、同一時間整合（ＴＡ）が適用されるアップリンクを有する、サービングセルは、ＴＡグループ（ＴＡＧ）内でグループ化されてもよい。１つのＴＡＧ内のサービングセルは、同一タイミング基準を使用してもよい。所与のＴＡＧに関して、ユーザ機器（ＵＥ）は、所与の時間におけるタイミング基準として、１つのダウンリンクキャリアを使用してもよい。ＵＥは、ＴＡＧのためのタイミング基準として、そのＴＡＧ内でダウンリンクキャリアを使用してもよい。所与のＴＡＧに関して、ＵＥは、同一ＴＡＧに属するアップリンクキャリアのアップリンクサブフレームおよびフレーム伝送タイミングを同期させてもよい。実施形態の種々の側面のうちのいくつかによると、同一ＴＡが適用されるアップリンクを有する、サービングセルは、同一受信機によってホストされるサービングセルに対応し得る。ＴＡグループは、アップリンクが構成された少なくとも１つのサービングセルを含んでもよい。複数のＴＡをサポートするＵＥは、２つまたはそれを上回るＴＡグループをサポートしてもよい。１つのＴＡグループは、ＰＣｅｌｌを含有してもよく、一次ＴＡＧ（ｐＴＡＧ）と呼ばれ得る。複数のＴＡＧ構成では、少なくとも１つのＴＡグループは、ＰＣｅｌｌを含有しなくてもよく、二次ＴＡＧ（ｓＴＡＧ）と呼ばれ得る。同一ＴＡグループ内のキャリアは、同一ＴＡ値および同一タイミング基準を使用してもよい。ＤＣが構成されると、セルグループ（ＭＣＧまたはＳＣＧ）に属するセルは、ｐＴＡＧおよび１つまたはそれを上回るｓＴＡＧを含む、複数のＴＡＧにグループ化されてもよい。
【００５６】
図８は、本発明の実施形態のある側面による、例示的ＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌおよびＳＣｅｌｌ１を含み、ｓＴＡＧは、ＳＣｅｌｌ２およびＳＣｅｌｌ３を含む。実施例３では、ｐＴＡＧは、ＰＣｅｌｌおよびＳＣｅｌｌ１を含み、ｓＴＡＧ１は、ＳＣｅｌｌ２およびＳＣｅｌｌ３を含み、ｓＴＡＧ２は、ＳＣｅｌｌ４を含む。最大４つのＴＡＧが、セルグループ（ＭＣＧまたはＳＣＧ）内でサポートされてもよく、他の例示的ＴＡＧ構成もまた、提供されてもよい。本開示における種々の実施例では、例示的機構は、ｐＴＡＧおよびｓＴＡＧに関して説明される。一例示的ｓＴＡＧに伴う動作が、説明され、同一動作は、他のｓＴＡＧにも適用可能であり得る。例示的機構は、複数のｓＴＡＧを伴う構成に適用されてもよい。
【００５７】
実施形態の種々の側面のうちのいくつかによると、ＴＡ維持、経路損失基準ハンドリング、およびｐＴＡＧのためのタイミング基準は、ＭＣＧおよび／またはＳＣＧ内では、ＬＴＥリリース１０原理に従い得る。ＵＥは、ダウンリンク経路損失を測定し、アップリンク伝送電力を計算する必要があり得る。経路損失基準は、アップリンク電力制御および／またはランダムアクセスプリアンブルの伝送のために使用されてもよい。ＵＥは、経路損失基準セル上で受信された信号を使用して、ダウンリンク経路損失を測定してもよい。ｐＴＡＧ内のＳＣｅｌｌに関して、セルに関する経路損失基準の選択肢は、以下の２つのオプションから選択される、および／またはそれに限定されてもよい。ａ）システム情報ブロック２（ＳＩＢ２）を使用して、アップリンクＳＣｅｌｌにリンクされたダウンリンクＳＣｅｌｌ、およびｂ）ダウンリンクｐＣｅｌｌ。ｐＴＡＧ内のＳＣｅｌｌに関する経路損失基準は、ＳＣｅｌｌ初期構成および／または再構成の一部として、ＲＲＣメッセージを使用して構成可能であり得る。実施形態の種々の側面のうちのいくつかによると、ＳＣｅｌｌ構成のＰｈｙｓｉｃａｌＣｏｎｆｉｇＤｅｄｉｃａｔｅｄＳＣｅｌｌ情報要素（ＩＥ）は、ｐＴＡＧ内のＳＣｅｌｌに関する経路損失基準ＳＣｅｌｌ（ダウンリンクキャリア）を含んでもよい。システム情報ブロック２（ＳＩＢ２）を使用してアップリンクＳＣｅｌｌにリンクされたダウンリンクＳＣｅｌｌは、ＳＣｅｌｌのＳＩＢ２リンクダウンリンクと称され得る。異なるＴＡＧは、異なるバンド内で動作し得る。ｓＴＡＧ内のアップリンクキャリアに関して、経路損失基準は、ＳＣｅｌｌのシステム情報ブロック２（ＳＩＢ２）を使用してアップリンクＳＣｅｌｌにリンクされたダウンリンクＳＣｅｌｌにのみ構成可能であり得る。
【００５８】
ｓＴＡＧのための初期アップリンク（ＵＬ）時間整合を得るために、ｅＮＢは、ＲＡプロシージャを開始してもよい。ｓＴＡＧでは、ＵＥは、タイミング基準セルとして、本ｓＴＡＧから任意のアクティブ化されたＳＣｅｌｌのうちの１つを使用してもよい。例示的実施形態では、ｓＴＡＧ内のＳＣｅｌｌに関するタイミング基準は、最新ＲＡプロシージャに関するプリアンブルが送信されたＳＣｅｌｌのＳＩＢ２リンクダウンリンクであってもよい。ＴＡグループあたり、１つのタイミング基準と、１つの時間整合タイマ（ＴＡＴ）とが存在してもよい。ＴＡＧのためのＴＡＴは、異なる値を用いて構成されてもよい。ＭＡＣエンティティでは、ｐＴＡＧと関連付けられたＴＡＴが満了すると、全ＴＡＴが、満了したと見なされてもよく、ＵＥは、サービングセルのＨＡＲＱバッファをフラッシュしてもよく、ＵＥは、任意の構成されたダウンリンク割当／アップリンクグラントをクリアしてもよく、ＵＥ内のＲＲＣは、全構成されたサービングセルに関するＰＵＣＣＨ／ＳＲＳを解放してもよい。ｐＴＡＧ  ＴＡＴが起動中ではないとき、ｓＴＡＧ  ＴＡＴも、起動中ではなくてもよい。ｓＴＡＧと関連付けられたＴＡＴが満了すると、ａ）ＳＲＳ伝送は、対応するＳＣｅｌｌ上で停止されてもよく、ｂ）ＳＲＳ  ＲＲＣ構成は、解放されてもよく、ｃ）対応するＳＣｅｌｌに関するＣＳＩ報告構成は、維持されてもよく、および／またはｄ）ＵＥ内のＭＡＣは、対応するＳＣｅｌｌのアップリンクＨＡＲＱバッファをフラッシュしてもよい。
【００５９】
ｅＮＢは、アクティブ化されるＳＣｅｌｌに関するＰＤＣＣＨ順序を介して、ＲＡプロシージャを開始してもよい。本ＰＤＣＣＨ順序は、本ＳＣｅｌｌのスケジューリングセル上で送信されてもよい。クロスキャリアスケジューリングがセルのために構成されるとき、スケジューリングセルは、プリアンブル伝送のために採用されるセルと異なってもよく、ＰＤＣＣＨ順序は、ＳＣｅｌｌインデックスを含んでもよい。少なくとも非競合ベースのＲＡプロシージャが、ｓＴＡＧに割り当てられるＳＣｅｌｌのためにサポートされてもよい。
【００６０】
図９は、本発明の実施形態のある側面による、二次ＴＡＧ内のランダムアクセスプロセスにおける例示的メッセージフローである。ｅＮＢは、アクティブ化コマンド６００を伝送し、ＳＣｅｌｌをアクティブ化する。プリアンブル６０２（Ｍｓｇ１）が、ｓＴＡＧに属するＳＣｅｌｌ上のＰＤＣＣＨ順序６０１に応答して、ＵＥによって送信されてもよい。例示的実施形態では、ＳＣｅｌｌに関するプリアンブル伝送は、ＰＤＣＣＨフォーマット１Ａを使用して、ネットワークによって制御されてもよい。ＳＣｅｌｌ上のプリアンブル伝送に応答したＭｓｇ２メッセージ６０３（ＲＡＲ：ランダムアクセス応答）は、ＰＣｅｌｌ共通検索空間（ＣＳＳ）内のＲＡ−ＲＮＴＩにアドレス指定されてもよい。アップリンクパケット６０４は、プリアンブルが伝送されたＳＣｅｌｌ上で伝送されてもよい。
【００６１】
実施形態の種々の側面のうちのいくつかによると、初期タイミング整合は、ランダムアクセスプロシージャを通して達成されてもよい。これは、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴い得る。ランダムアクセスプリアンブルの開始は、ＮＴＡ＝０をとるＵＥでは、対応するアップリンクサブフレームの開始と整合され得る。ｅＮＢは、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、ｅＮＢによって導出されてもよい。ＵＥは、プリアンブルが伝送されるｓＴＡＧの対応するダウンリンクに対して初期アップリンク伝送タイミングを判定してもよい。
【００６２】
ＴＡＧへのサービングセルのマッピングは、サービングｅＮＢによって、ＲＲＣ信号伝達を用いて構成されてもよい。ＴＡＧ構成および再構成のための機構は、ＲＲＣ信号伝達に基づいてもよい。実施形態の種々の側面のうちのいくつかによると、ｅＮＢがＳＣｅｌｌ追加構成を行うとき、関連ＴＡＧ構成が、ＳＣｅｌｌのために構成されてもよい。例示的実施形態では、ｅＮＢは、ＳＣｅｌｌを除去（解放）し、更新されたＴＡＧ  ＩＤを用いて新しいＳＣｅｌｌを追加（構成）する（同一物理セルＩＤおよび周波数を用いて）ことによって、ＳＣｅｌｌのＴＡＧ構成を修正してもよい。更新されたＴＡＧ  ＩＤを伴う新しいＳＣｅｌｌは、最初に、更新されたＴＡＧ  ＩＤが割り当てられた後、非アクティブであってもよい。ｅＮＢは、更新された新しいＳＣｅｌｌをアクティブ化し、アクティブ化されたＳＣｅｌｌ上でスケジューリングパケットを始動させてもよい。例示的実装では、ＳＣｅｌｌと関連付けられたＴＡＧを変更することは可能ではない場合があり、むしろ、ＳＣｅｌｌは、除去される必要があり得、新しいＳＣｅｌｌが、別のＴＡＧと追加される必要があり得る。例えば、ＳＣｅｌｌをｓＴＡＧからｐＴＡＧに移動させる必要がある場合、少なくとも１つのＲＲＣメッセージ、例えば、少なくとも１つのＲＲＣ再構成メッセージが、ＵＥに送信され、ＳＣｅｌｌを解放することによって、ＴＡＧ構成を再構成し、次いで、ＳＣｅｌｌをｐＴＡＧの一部として構成してもよい（ＳＣｅｌｌが、ＴＡＧインデックスを伴わずに追加／構成されるとき、ＳＣｅｌｌは、ｐＴＡＧに明示的に割り当てられてもよい）。ＰＣｅｌｌは、そのＴＡグループを変更し得ず、常時、ｐＴＡＧのメンバであり得る。
【００６３】
ＲＲＣ接続再構成プロシージャの目的は、ＲＲＣ接続を修正する（例えば、ＲＢを確立、修正、および／または解放する、ハンドオーバを行う、測定を設定、修正、および／または解放する、ＳＣｅｌｌを追加、修正、および／または解放する）ことであり得る。受信されたＲＲＣ接続再構成メッセージが、ｓＣｅｌｌＴｏＲｅｌｅａｓｅＬｉｓｔを含む場合、ＵＥは、ＳＣｅｌｌ解放を行ってもよい。受信されたＲＲＣ接続再構成メッセージが、ｓＣｅｌｌＴｏＡｄｄＭｏｄＬｉｓｔを含む場合、ＵＥは、ＳＣｅｌｌ追加または修正を行ってもよい。
【００６４】
ＬＴＥリリース−１０およびリリース−１１ＣＡでは、ＰＵＣＣＨは、ＰＣｅｌｌ（ＰＳＣｅｌｌ）上のみｅＮＢに伝送される。ＬＴＥ−リリース１２およびそれ以前では、ＵＥは、ＰＵＣＣＨ情報を１つのセル（ＰＣｅｌｌまたはＰＳＣｅｌｌ）上で所与のｅＮＢに伝送し得る。
【００６５】
ＣＡ対応ＵＥの数、また、アグリゲーションされたキャリアの数が増加するにつれて、ＰＵＣＣＨの数、また、ＰＵＣＣＨペイロードサイズも、増加し得る。ＰＣｅｌｌ上のＰＵＣＣＨ伝送への対応は、ＰＣｅｌｌ上の高ＰＵＣＣＨ負荷につながり得る。ＳＣｅｌｌ上のＰＵＣＣＨは、ＰＵＣＣＨリソースをＰＣｅｌｌからオフロードするために導入されてもよい。１つを上回るＰＵＣＣＨ、例えば、ＰＣｅｌｌ上のＰＵＣＣＨおよびＳＣｅｌｌ上の別のＰＵＣＣＨが、構成されてもよい。図１０は、本発明の実施形態のある側面による、ＰＵＣＣＨグループへのセルの例示的グループ化である。例示的実施形態では、１つ、２つ、またはそれを上回るセルが、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つまたはそれを上回るセルが、ＰＵＣＣＨを用いて構成されてもよい。例示的構成では、１つのＳＣｅｌｌが、１つのＰＵＣＣＨグループに属してもよい。構成されたＰＵＣＣＨが基地局に伝送される、ＳＣｅｌｌは、ＰＵＣＣＨ  ＳＣｅｌｌと呼ばれ得、共通ＰＵＣＣＨリソースが同一基地局に伝送される、セルグループは、ＰＵＣＣＨグループと呼ばれ得る。
【００６６】
リリース−１２では、ＰＵＣＣＨは、ＰＣｅｌｌおよび／またはＰＳＣｅｌｌ上で構成されることができるが、他のＳＣｅｌｌ上では構成されることができない。例示的実施形態では、ＵＥは、ＵＥがＰＣｅｌｌおよびＳＣｅｌｌ上でのＰＵＣＣＨ構成をサポートすることを示す、メッセージを伝送してもよい。そのようなインジケーションは、ＵＥによるデュアルコネクティビティサポートのインジケーションと別個であってもよい。例示的実施形態では、ＵＥは、ＤＣおよびＰＵＣＣＨグループの両方をサポートしてもよい。例示的実施形態では、両方ではなく、ＤＣまたはＰＵＣＣＨグループのいずれかが、構成されてもよい。別の例示的実施形態では、ＤＣおよびＰＵＣＣＨグループの両方を含む、より複雑な構成が、サポートされてもよい。
【００６７】
ＵＥが、ＰＵＣＣＨグループを構成可能であるとき、かつＵＥが、同時ＰＵＣＣＨ／ＰＵＳＣＨ伝送能力をサポートすることを示す場合、ＵＥがＰＣｅｌｌおよびＳＣｅｌｌの両方上で同時ＰＵＣＣＨ／ＰＵＳＣＨ伝送をサポートすることを含意し得る。複数のＰＵＣＣＨグループが構成されるとき、ＰＵＣＣＨは、同時ＰＵＣＣＨ／ＰＵＳＣＨ伝送を用いて構成されてもよい、またはそうではなくてもよい。
【００６８】
例示的実施形態では、２つのサービングセル上の基地局へのＰＵＣＣＨ伝送は、図１０に示されるように、実現されてもよい。セルの第１のグループは、ＰＣｅｌｌ上でＰＵＣＣＨを採用してもよく、ＰＵＣＣＨグループ１または一次ＰＵＣＣＨグループと呼ばれ得る。セルの第２のグループは、ＳＣｅｌｌ上でＰＵＣＣＨを採用してもよく、ＰＵＣＣＨグループ２または二次ＰＵＣＣＨグループと呼ばれ得る。１つ、２つ、またはそれを上回るＰＵＣＣＨグループが、構成されてもよい。実施例では、セルは、２つのＰＵＣＣＨグループにグループ化されてもよく、各ＰＵＣＣＨグループは、ＰＵＣＣＨリソースを用いるセルを含んでもよい。ＰＣｅｌｌは、一次ＰＵＣＣＨグループのためのＰＵＣＣＨリソースを提供してもよく、二次ＰＵＣＣＨグループ内のＳＣｅｌｌは、二次ＰＵＣＣＨグループ内のセルのためのＰＵＣＣＨリソースを提供してもよい。例示的実施形態では、異なるＰＵＣＣＨグループ内のセル間のクロスキャリアスケジューリングは、構成されなくてもよい。異なるＰＵＣＣＨグループ内のセル間のクロスキャリアスケジューリングが構成されないとき、ＰＨＩＣＨチャネル上のＡＣＫ／ＮＡＣＫは、ＰＵＣＣＨグループ内に限定されてもよい。ダウンリンクおよびアップリンクスケジューリングアクティビティは両方とも、異なるＰＵＣＣＨグループに属するセル間で別個であってもよい。
【００６９】
ＳＣｅｌｌ上のＰＵＣＣＨは、ＨＡＲＱ−ＡＣＫおよびＣＳＩ情報を搬送してもよい。ＰＣｅｌｌは、ＰＵＣＣＨリソースを用いて構成されてもよい。例示的実施形態では、ＳＣｅｌｌ上のＰＵＣＣＨのためのＳＣｅｌｌ  ＰＵＣＣＨ電力制御に関するＲＲＣパラメータは、ＰＣｅｌｌ  ＰＵＣＣＨのものと異なり得る。ＳＣｅｌｌ上のＰＵＣＣＨのための電力制御コマンドの伝送は、ＰＵＣＣＨを搬送するＳＣｅｌｌ上のＤＣＩ内で伝送されてもよい。
【００７０】
ＰＵＣＣＨ伝送に関するＵＥプロシージャは、ＰＵＣＣＨグループ間で異なる、および／または独立し得る。例えば、ＤＬ  ＨＡＲＱ−ＡＣＫタイミングの判定、ＨＡＲＱ−ＡＣＫおよび／またはＣＳＩのためのＰＵＣＣＨリソース判定、ＰＵＣＣＨ上の同時ＨＡＲＱ−ＡＣＫ＋ＣＳＩの高次層構成、１つのサブフレーム内の同時ＨＡＲＱ−ＡＣＫ＋ＳＲＳの高次層構成は、ＰＵＣＣＨ  ＰＣｅｌｌおよびＰＵＣＣＨ  ＳＣｅｌｌに関して異なるように構成されてもよい。
【００７１】
ＰＵＣＣＨグループは、ＲＲＣによって構成されたサービングセルのグループであって、ＰＵＣＣＨの伝送のために、グループ内の同一サービングセルを使用してもよい。一次ＰＵＣＣＨグループは、ＰＣｅｌｌを含有するＰＵＣＣＨグループであってもよい。二次ＰＵＣＣＨグループは、ＰＣｅｌｌを含有しないＰＵＣＣＨセルグループであってもよい。例示的実施形態では、ＳＣｅｌｌは、１つのＰＵＣＣＨグループに属してもよい。１つのＳＣｅｌｌがＰＵＣＣＨグループに属するとき、そのＳＣｅｌｌのためのＡＣＫ／ＮＡＣＫまたはＣＳＩは、そのＰＵＣＣＨグループ内のＰＵＣＣＨを経由して（ＰＵＣＣＨ  ＳＣｅｌｌまたはＰＵＣＣＨ  ＰＣｅｌｌを経由して）伝送されてもよい。ＳＣｅｌｌ上のＰＵＣＣＨは、ＰＣｅｌｌ上のＰＵＣＣＨ負荷を低減させ得る。ＰＵＣＣＨ  ＳＣｅｌｌは、対応するＰＵＣＣＨグループ内のＳＣｅｌｌのＵＣＩ伝送のために採用されてもよい。
【００７２】
例示的実施形態では、１つ、２つ、またはそれを上回るＰＵＣＣＨ上で送信される信号伝達を制御する、柔軟性のあるＰＵＣＣＨ構成が、可能となり得る。ＰＣｅｌｌに加え、ＰＵＣＣＨ伝送のための選択された数のＳＣｅｌｌ（本明細書ではＰＵＣＣＨ  ＳＣｅｌｌと呼ばれる）を構成することが可能であり得る。あるＰＵＣＣＨ  ＳＣｅｌｌ内で伝達される制御信号伝達情報は、ＲＲＣ信号伝達を介してネットワークによって構成される、対応するＰＵＣＣＨグループ内のＳＣｅｌｌのセットに関連してもよい。
【００７３】
ＰＵＣＣＨチャネルによって搬送されるＰＵＣＣＨ制御信号伝達は、オフロードまたはロバスト性目的のために、ＰＣｅｌｌとＳＣｅｌｌとの間で分散されてもよい。ＳＣｅｌｌ内のＰＵＣＣＨをイネーブルにすることによって、所与のＵＥに関する全体的ＣＳＩ報告をＰＣｅｌｌと選択された数のＳＣｅｌｌ（例えば、ＰＵＣＣＨ  ＳＣｅｌｌ）との間で分散させ、それによって、あるセル上の所与のＵＥによるＰＵＣＣＨ  ＣＳＩリソース消費を限定することが可能であり得る。あるＳＣｅｌｌに関するＣＳＩ報告を選択されたＰＵＣＣＨ  ＳＣｅｌｌにマップすることが可能であり得る。ＳＣｅｌｌは、制御情報の伝送のためのある周期性および時間オフセットが割り当てられてもよい。サービングセルに関する周期的ＣＳＩは、ＲＲＣ信号伝達を介して、ＰＵＣＣＨ上（ＰＣｅｌｌまたはＰＵＣＣＨ−ＳＣｅｌｌ上）にマップされてもよい。ＣＳＩ報告分散、ＨＡＲＱフィードバック、および／またはＰＵＣＣＨ  ＳＣｅｌｌを横断したスケジューリング要求の可能性は、柔軟性および能力改良を提供し得る。サービングセルに関するＨＡＲＱフィードバックは、ＲＲＣ信号伝達を介して、ＰＵＣＣＨ上（ＰＣｅｌｌまたはＰＵＣＣＨ  ＳＣｅｌｌ上）にマップされてもよい。
【００７４】
例示的実施形態では、ＰＵＣＣＨ伝送は、ＰＣｅｌｌならびにＣＡ内の１つのＳＣｅｌｌ上で構成されてもよい。ＳＣｅｌｌ  ＰＵＣＣＨは、ＰＵＣＣＨグループの概念を使用して実現されてもよく、アグリゲーションされたセルは、２つまたはそれを上回るＰＵＣＣＨグループにグループ化される。ＰＵＣＣＨグループからの１つのセルは、ＰＵＣＣＨを搬送するように構成されてもよい。５つを上回るキャリアが、構成されてもよい。例示的実施形態では、最大ｎ個のキャリアが、アグリゲーションされてもよい。例えば、ｎは、１６、３２、または６４であってもよい。いくつかのＣＣは、高度ＵＥのみをサポートする（例えば、認可支援アクセスＳＣｅｌｌをサポートする）非下位互換性構成を有してもよい。例示的実施形態では、１つのＳＣｅｌｌＰＵＣＣＨ（例えば、２つのＰＵＣＣＨグループ）が、サポートされてもよい。別の例示的実施形態では、ＰＵＣＣＨを搬送する複数の（１つを上回る）ＳＣｅｌｌを用いるＰＵＣＣＨグループ概念が、採用されてもよい（例えば、２つを上回るＰＵＣＣＨグループが存在することができる）。
【００７５】
例示的実施形態では、所与のＰＵＣＣＨグループは、ＭＣＧおよびＳＣＧの両方のサービングセルを含まなくてもよい。ＰＵＣＣＨのうちの１つは、ＰＣｅｌｌ上に構成されてもよい。例示的実施形態では、サービングセルのＰＵＣＣＨマッピングが、ＲＲＣメッセージによって構成されてもよい。例示的実施形態では、ＳＣｅｌｌＩｎｄｅｘおよびＳｅｒｖＣｅｌｌＩｎｄｅｘの最大値は、３１（０〜３１）であってもよい。実施例では、ｓｔａｇ−Ｉｄの最大値は、３であってもよい。スケジューリングされたセルに関するＣＩＦは、明示的に構成されてもよい。ＰＵＣＣＨ  ＳＣｅｌｌは、ＳＣｅｌｌに関するＰＵＣＣＨ構成を与えることによって構成されてもよい。ＰＵＣＣＨ  ＳＣｅｌｌのＨＡＲＱフィードバックおよびＣＳＩ報告は、そのＰＵＣＣＨ  ＳＣｅｌｌのＰＵＣＣＨ上で送信されてもよい。ＳＣｅｌｌのＨＡＲＱフィードバックおよびＣＳＩ報告は、ＰＵＣＣＨ  ＳＣｅｌｌがそのＳＣｅｌｌに関して信号伝達されない場合、ＰＣｅｌｌのＰＵＣＣＨ上で送信されてもよい。ＳＣｅｌｌのＨＡＲＱフィードバックおよびＣＳＩ報告は、１つのＰＵＣＣＨ  ＳＣｅｌｌのＰＵＣＣＨ上で送信されてもよい。故に、それらは、異なるＰＵＣＣＨ  ＳＣｅｌｌのＰＵＣＣＨ上で送信されなくてもよい。ＵＥは、ＰＵＣＣＨを用いて構成されたサービングセルに関してタイプ２ＰＨを報告してもよい。例示的実施形態では、ＭＡＣアクティブ化／非アクティブ化は、ＰＵＣＣＨ  ＳＣｅｌｌのためにサポートされてもよい。ｅＮＢは、ＳＣｅｌｌに関するアクティブ化／非アクティブ化ステータスを管理してもよい。新しく追加されたＰＵＣＣＨ  ＳＣｅｌｌは、最初に、非アクティブ化されてもよい。
【００７６】
例示的実施形態では、ＰＵＣＣＨグループおよびＴＡＧの独立構成が、サポートされてもよい。図１１および図１２は、ＴＡＧおよびＰＵＣＣＨグループの例示的構成を示す。例えば、１つのＴＡＧは、ＰＵＣＣＨを用いる複数のサービングセルを含有してもよい。例えば、各ＴＡＧは、１つのＰＵＣＣＨグループのセルのみを含んでもよい。例えば、ＴＡＧは、異なるＰＵＣＣＨグループに属するサービングセル（ＰＵＣＣＨを用いない）を含んでもよい。
【００７７】
ＴＡＧとＰＵＣＣＨグループとの間の１対１マッピングが、存在しなくてもよい。例えば、ある構成では、ＰＵＣＣＨ  ＳＣｅｌｌは、一次ＴＡＧに属してもよい。例示的実装では、１つのＰＵＣＣＨグループのサービングセルは、異なるＴＡＧ内にあってもよく、１つのＴＡＧのサービングセルは、異なるＰＵＣＣＨグループ内にあってもよい。ＰＵＣＣＨグループおよびＴＡＧの構成は、ｅＮＢ実装に任されてもよい。別の実施例実装では、ＰＵＣＣＨセルの構成における制限が、規定されてもよい。例えば、例示的実施形態では、所与のＰＵＣＣＨグループ内のセルは、同一ＴＡＧに属してもよい。実施例では、ｓＴＡＧは、１つのＰＵＣＣＨグループのセルのみを含んでもよい。実施例では、ＴＡＧとＰＵＣＣＨグループとの間の１対１マッピングが、実装されてもよい。実装では、セル構成は、実施例のうちのいくつかに限定されてもよい。他の実装では、以下の構成の一部または全部が、可能にされてもよい。
【００７８】
例示的実施形態では、ｐＴＡＧ内のＳＣｅｌｌに関して、タイミング基準は、ＰＣｅｌｌであってもよい。ｓＴＡＧ内のＳＣｅｌｌに関して、タイミング基準は、ｓＴＡＧ内の任意のアクティブ化されたＳＣｅｌｌであってもよい。ｐＴＡＧ内のＳＣｅｌｌ（ＰＵＣＣＨを用いて構成されるかどうかにかかわらず）に関して、経路損失基準は、ＰＣｅｌｌまたはＳＩＢ−２リンクＳＣｅｌｌとなるように構成されてもよい。ｓＴＡＧ内のＳＣｅｌｌに関して、経路損失基準は、ＳＩＢ−２リンクＳＣｅｌｌであってもよい。ｐＴＡＧと関連付けられたＴＡＴが満了すると、ｓＴＡＧと関連付けられたＴＡＴは、満了したと見なされ得る。ＰＵＣＣＨ  ＳＣｅｌｌを含有するｓＴＡＧのＴＡＴが満了すると、ＭＡＣは、ＲＲＣに、ＰＵＣＣＨグループのためのＰＵＣＣＨリソースを解放することを示してもよい。ＰＵＣＣＨ  ＳＣｅｌｌを含有するｓＴＡＧのＴＡＴが、起動中ではないとき、ＰＵＣＣＨ  ＳＣｅｌｌを含むｓＴＡＧに属さない二次ＰＵＣＣＨグループ内のＳＣｅｌｌに関するアップリンク伝送（ＰＵＳＣＨ）は、影響され得ない。ＰＵＣＣＨ  ＳＣｅｌｌを含有するｓＴＡＧのＴＡＴ満了は、同一ＰＵＣＣＨグループ内の他のＳＣｅｌｌが属する他のＴＡＧのＴＡＴ満了をトリガし得ない。ＰＵＣＣＨ  ＳＣｅｌｌを含有しないｓＴＡＧと関連付けられたＴＡＴが、起動中ではないとき、無線デバイスは、ｓＴＡＧ内のＳＣｅｌｌに関するアップリンク伝送を停止してもよく、他のＴＡＧに影響し得ない。
【００７９】
例示的実施形態では、ＭＡＣエンティティは、ＴＡＧあたりで構成可能なタイマｔｉｍｅＡｌｉｇｈｎｍｅｎｔＴｉｍｅｒを有してもよい。ｔｉｍｅＡｌｉｇｈｎｍｅｎｔＴｉｍｅｒは、ＭＡＣエンティティがアップリンク時間整合されるべき関連付けられたＴＡＧに属するサービングセルを考慮する時間の長さを制御するために使用されてもよい。ＭＡＣエンティティは、タイミングアドバンスコマンドＭＡＣ制御要素が受信されると、示されるＴＡＧのためのタイミングアドバンスコマンドを適用し、示されるＴＡＧと関連付けられたｔｉｍｅＡｌｉｇｈｎｍｅｎｔＴｉｍｅｒを始動または再始動させてもよい。ＭＡＣエンティティは、タイミングアドバンスコマンドが、ＴＡＧに属するサービングセルのためのランダムアクセス応答メッセージ内で受信されると、および／またはランダムアクセスプリアンブルが、ＭＡＣエンティティによって選択されなかった場合、本ＴＡＧのためのタイミングアドバンスコマンドを適用し、本ＴＡＧと関連付けられたｔｉｍｅＡｌｉｇｈｎｍｅｎｔＴｉｍｅｒを始動または再始動させてもよい。そうでなければ、本ＴＡＧと関連付けられたｔｉｍｅＡｌｉｇｈｎｍｅｎｔＴｉｍｅｒが起動中ではない場合、本ＴＡＧのためのタイミングアドバンスコマンドは、適用され、本ＴＡＧと関連付けられたｔｉｍｅＡｌｉｇｈｎｍｅｎｔＴｉｍｅｒが始動されてもよい。競合解決が、成功ではないと見なされると、本ＴＡＧと関連付けられたｔｉｍｅＡｌｉｇｈｎｍｅｎｔＴｉｍｅｒは、停止されてもよい。そうでなければ、ＭＡＣエンティティは、受信されたタイミングアドバンスコマンドを無視してもよい。
【００８０】
本発明の例示的実施形態は、複数のＰＵＣＣＨグループの動作をイネーブルにしてもよい。他の例示的実施形態は、ＰＵＣＣＨグループの動作を生じさせるように１つまたはそれを上回るプロセッサによって実行可能な命令を含む、非一過性有形コンピュータ可読媒体を含んでもよい。さらに他の例示的実施形態は、プログラマブルハードウェアをイネーブルにし、デバイス（例えば、無線通信機、ＵＥ、基地局等）にＰＵＣＣＨグループの動作を可能にさせるためのその上にエンコードされた命令を有する、非一過性有形コンピュータ可読機械アクセス可能媒体を備える、製造品を含んでもよい。デバイスは、プロセッサ、メモリ、インターフェース、および／または同等物を含んでもよい。他の例示的実施形態は、基地局、無線デバイス（またはユーザ機器：ＵＥ）、サーバ、スイッチ、アンテナ、および／または同等物等のデバイスを備える、通信ネットワークを含んでもよい。例示的実施形態では、１つまたはそれを上回るＴＡＧは、ＰＵＣＣＨグループ構成とともに構成されてもよい。
【００８１】
図１３は、本発明の実施形態のある側面による、例示的ＭＡＣ  ＰＤＵである。例示的実施形態では、ＭＡＣ  ＰＤＵは、ＭＡＣヘッダと、ゼロまたはそれを上回るＭＡＣサービスデータユニット（ＭＡＣ  ＳＤＵ）と、ゼロまたはそれを上回るＭＡＣ制御要素と、随意に、パディングとを含んでもよい。ＭＡＣヘッダおよびＭＡＣ  ＳＤＵは、可変サイズであってもよい。ＭＡＣ  ＰＤＵヘッダは、１つまたはそれを上回るＭＡＣ  ＰＤＵサブヘッダを含んでもよい。サブヘッダは、ＭＡＣ  ＳＤＵ、ＭＡＣ制御要素、またはパディングのいずれかに対応してもよい。ＭＡＣ  ＰＤＵサブヘッダは、ヘッダフィールドＲ、Ｆ２、Ｅ、ＬＣＩＤ、Ｆ、および／またはＬを含んでもよい。ＭＡＣ  ＰＤＵ内の最後のサブヘッダおよび固定サイズのＭＡＣ制御要素のためのサブヘッダは、４つのヘッダフィールドＲ、Ｆ２、Ｅ、および／またはＬＣＩＤを含んでもよい。パディングに対応するＭＡＣ  ＰＤＵサブヘッダは、４つのヘッダフィールドＲ、Ｆ２、Ｅ、および／またはＬＣＩＤを含んでもよい。
【００８２】
例示的実施形態では、ＬＣＩＤまたは論理チャネルＩＤフィールドは、対応するＭＡＣ  ＳＤＵの論理チャネルインスタンスまたは対応するＭＡＣ制御要素もしくはパディングのタイプを識別してもよい。ＭＡＣ  ＳＤＵのための１つのＬＣＩＤフィールド、ＭＡＣ制御要素、またはＭＡＣ  ＰＤＵ内に含まれるパディングが、存在してもよい。これに加え、１つまたは２つの付加的ＬＣＩＤフィールドが、単一バイトまたは２バイトパディングが要求されるが、ＭＡＣ  ＰＤＵの最後にパディングによって達成されることができないとき、ＭＡＣ  ＰＤＵ内に含まれてもよい。ＬＣＩＤフィールドサイズは、例えば、５ビットであってもよい。Ｌまたは長さフィールドは、対応するＭＡＣ  ＳＤＵまたは可変サイズのＭＡＣ制御要素の長さをバイトで示してもよい。固定サイズのＭＡＣ制御要素に対応する最後のサブヘッダおよびサブヘッダを除き、ＭＡＣ  ＰＤＵサブヘッダあたり１つのＬフィールドが、存在してもよい。Ｌフィールドのサイズは、ＦフィールドおよびＦ２フィールドによって示されてもよい。Ｆまたはフォーマットフィールドは、長さフィールドのサイズを示してもよい。固定サイズのＭＡＣ制御要素に対応する最後のサブヘッダおよびサブヘッダを除き、かつＦ２が１に設定されるときを除き、ＭＡＣ  ＰＤＵサブヘッダあたり１つのＦフィールドが、存在してもよい。Ｆフィールドのサイズは、１ビットであってもよい。実施例では、Ｆフィールドが含まれる場合、および／またはＭＡＣ  ＳＤＵまたは可変サイズのＭＡＣ制御要素のサイズが１２８バイト未満である場合、Ｆフィールドの値は、０に設定され、そうでなければ、１に設定される。Ｆ２またはフォーマット２フィールドは、長さフィールドのサイズを示し得る。ＭＡＣ  ＰＤＵサブヘッダあたり１つのＦ２フィールドが、存在してもよい。Ｆ２フィールドのサイズは、１ビットであってもよい。実施例では、ＭＡＣ  ＳＤＵまたは可変サイズのＭＡＣ制御要素のサイズが、３２７６７バイトより大きい場合、かつ対応するサブヘッダが、最後のサブヘッダではない場合、Ｆ２フィールドの値は、１に設定されてもよく、そうでなければ、０に設定される。Ｅまたは拡張フィールドは、さらなるフィールドがＭＡＣヘッダ内に存在するかどうかを示す、フラグであってもよい。Ｅフィールドは、「１」に設定され、少なくともＲ／Ｆ２／Ｅ／ＬＣＩＤフィールドの別のセットを示してもよい。Ｅフィールドは、「０」に設定され、ＭＡＣ  ＳＤＵ、ＭＡＣ制御要素、またはパディングのいずれかが次のバイトで開始することを示してもよい。Ｒまたは反転ビットは、「０」に設定される。
【００８３】
ＭＡＣ  ＰＤＵサブヘッダは、対応するＭＡＣ  ＳＤＵ、ＭＡＣ制御要素、およびパディングと同一順序を有してもよい。ＭＡＣ制御要素は、任意のＭＡＣ  ＳＤＵの前に置かれてもよい。パディングは、単一バイトまたは２バイトパディングが要求されるとき以外、ＭＡＣ  ＰＤＵの最後に生じ得る。パディングは、任意の値を有してもよく、ＭＡＣエンティティは、それを無視してもよい。パディングがＭＡＣ  ＰＤＵの最後に行われるとき、ゼロまたはそれを上回るパディングバイトが、許可されてもよい。単一バイトまたは２バイトパディングが要求されるとき、パディングに対応する１つまたは２つのＭＡＣ  ＰＤＵサブヘッダが、任意の他のＭＡＣ  ＰＤＵサブヘッダの前のＭＡＣ  ＰＤＵの開始に置かれてもよい。実施例では、最大１つのＭＡＣ  ＰＤＵが、ＭＡＣエンティティあたりのＴＢにつき伝送されてもよく、最大１つのＭＣＨ  ＭＡＣ  ＰＤＵが、ＴＴＩあたり伝送されてもよい。
【００８４】
少なくとも１つのＲＲＣメッセージは、少なくとも１つのセルのための構成パラメータと、ＰＵＣＣＨグループのための構成パラメータとを提供してもよい。１つまたはそれを上回るＲＲＣメッセージ内の情報要素は、構成されたセルとＰＵＣＣＨ  ＳＣｅｌｌとの間のマッピングを提供してもよい。セルは、複数のセルグループにグループ化されてもよく、セルは、構成されたＰＵＣＣＨグループのうちの１つに割り当てられてもよい。ＰＵＣＣＨグループと構成されたＰＵＣＣＨリソースを用いるセルとの間には、１対１関係が存在してもよい。少なくとも１つのＲＲＣメッセージは、ＳＣｅｌｌとＰＵＣＣＨグループとの間のマッピングと、ＰＵＣＣＨ  ＳＣｅｌｌ上のＰＵＣＣＨ構成とを提供してもよい。
【００８５】
ＳＣｅｌｌに関するシステム情報（共通パラメータ）は、専用ＲＲＣメッセージにおいてＲａｄｉｏＲｅｓｏｕｒｃｅＣｏｎｆｉｇＣｏｍｍｏｎＳＣｅｌｌ内で搬送されてもよい。ＰＵＣＣＨ関連情報のうちのいくつかは、ＳＣｅｌｌの共通情報内（例えば、ＲａｄｉｏＲｅｓｏｕｒｃｅＣｏｎｆｉｇＣｏｍｍｏｎＳＣｅｌｌ内）に含まれてもよい。ＳＣｅｌｌおよびＰＵＣＣＨリソースの専用構成パラメータは、例えば、ＲａｄｉｏＲｅｓｏｕｒｃｅＣｏｎｆｉｇＤｅｄｉｃａｔｅｄＳＣｅｌｌを使用して、専用ＲＲＣ信号伝達によって構成されてもよい。
【００８６】
ＩＥ  ＰＵＣＣＨ−ＣｏｎｆｉｇＣｏｍｍｏｎおよびＩＥ  ＰＵＣＣＨ−ＣｏｎｆｉｇＤｅｄｉｃａｔｅｄは、それぞれ、共通およびＵＥ特有ＰＵＣＣＨ構成を規定するために使用されてもよい。
【００８７】
実施例では、ＰＵＣＣＨ−ＣｏｎｆｉｇＣｏｍｍｏｎは、ｄｅｌｔａＰＵＣＣＨ−Ｓｈｉｆｔ：ＥＮＵＭＥＲＡＴＥＤ｛ｄｓ１、ｄｓ２、ｄｓ３｝、ｎＲＢ−ＣＱＩ：ＩＮＴＥＧＥＲ（０．．９８）；ｎＣＳ−ＡＮ：ＩＮＴＥＧＥＲ（０．．７）、および／またはｎ１ＰＵＣＣＨ−ＡＮ：ＩＮＴＥＧＥＲ（０．．２０４７）を含んでもよい。パラメータ
【化１】
0006437665.tif 000002
は、ＰＵＣＣＨの物理層パラメータであってもよい。
【００８８】
ＰＵＣＣＨ−ＣｏｎｆｉｇＤｅｄｉｃａｔｅｄが、採用されてもよい。ＰＵＣＣＨ−ＣｏｎｆｉｇＤｅｄｉｃａｔｅｄは、ａｃｋＮａｃｋＲｅｐｅｔｉｔｉｏｎＣＨＯＩＣＥ｛ｒｅｌｅａｓｅ：ＮＵＬＬ，ｓｅｔｕｐ：ＳＥＱＵＥＮＣＥ｛ｒｅｐｅｔｉｔｉｏｎＦａｃｔｏｒ：ＥＮＵＭＥＲＡＴＥＤ｛ｎ２，ｎ４，ｎ６，ｓｐａｒｅ１｝、ｎ１ＰＵＣＣＨ−ＡＮ−Ｒｅｐ：ＩＮＴＥＧＥＲ（０．．２０４７）｝｝、ｔｄｄ−ＡｃｋＮａｃｋＦｅｅｄｂａｃｋＭｏｄｅ：ＥＮＵＭＥＲＡＴＥＤ｛ｂｕｎｄｌｉｎｇ，ｍｕｌｔｉｐｌｅｘｉｎｇ｝ＯＰＴＩＯＮＡＬ｝を含んでもよい。ａｃｋＮａｃｋＲｅｐｅｔｉｔｉｏｎｊパラメータは、ＡＣＫ／ＮＡＣＫ反復が構成されるかどうかを示す。ｎ２は、ｒｅｐｅｔｉｔｏｎＦａｃｏｒパラメータ
【化２】
0006437665.tif 000003
に関する反復係数２に対応し、ｎ４は、４に対応する。ｎ１ＰＵＣＣＨ−ＡＮ−Ｒｅｐパラメータは、アンテナポートＰ０およびアンテナポートＰ１に関する
【化３】
0006437665.tif 000004
であってもよい。ｄｄ−ＡｃｋＮａｃｋＦｅｅｄｂａｃｋＭｏｄｅパラメータは、使用されるＴＤＤ  ＡＣＫ／ＮＡＣＫフィードバックモードのうちの１つを示してもよい。値ｂｕｎｄｌｉｎｇは、ＡＣＫ／ＮＡＣＫバンドリングの使用に対応し得る一方、値ｍｕｌｔｉｐｌｅｘｉｎｇは、ＡＣＫ／ＮＡＣＫ多重化に対応し得る。同一値が、ＰＵＣＣＨならびにＰＵＳＣＨ上のＡＣＫ／ＮＡＣＫフィードバックモードの両方に適用されてもよい。
【００８９】
パラメータＰＵＣＣＨ−ＣｏｎｆｉｇＤｅｄｉｃａｔｅｄは、同時ＰＵＣＣＨおよびＰＵＳＣＨ伝送が構成されるかどうかを示す、同時ＰＵＣＣＨ−ＰＵＳＣＨパラメータを含んでもよい。Ｅ−ＵＴＲＡＮは、ｎｏｎＣｏｎｔｉｇｕｏｕｓＵＬ−ＲＡ−ＷｉｔｈｉｎＣＣ−Ｉｎｆｏが、ＰＣｅｌｌが構成されるバンド内でｓｕｐｐｏｒｔｅｄに設定されるとき、ＰＣｅｌｌに関する本フィールドを構成してもよい。Ｅ−ＵＴＲＡＮは、ｎｏｎＣｏｎｔｉｇｕｏｕｓＵＬ−ＲＡ−ＷｉｔｈｉｎＣＣ−Ｉｎｆｏが、ＰＳＣｅｌｌが構成されるバンド内でｓｕｐｐｏｒｔｅｄに設定されるとき、ＰＳＣｅｌｌに関する本フィールドを構成してもよい。Ｅ−ＵＴＲＡＮは、ｎｏｎＣｏｎｔｉｇｕｏｕｓＵＬ−ＲＡ−ＷｉｔｈｉｎＣＣ−Ｉｎｆｏが、ＰＵＣＣＨＳＣｅｌｌが構成されるバンド内でｓｕｐｐｏｒｔｅｄに設定されるとき、ＰＵＣＣＨＳＣｅｌｌに関する本フィールドを構成してもよい。
【００９０】
ＵＥは、無線能力をｅＮＢに伝送し、ＵＥがＰＵＣＣＨグループの構成をサポートするかどうかを示してもよい。ＵＥ能力メッセージ内の同時ＰＵＣＣＨ−ＰＵＳＣＨは、ＰＣｅｌｌおよびＳＣｅｌｌの両方に適用されてもよい。同時ＰＵＣＣＨ＋ＰＵＳＣＨは、ＰＣｅｌｌおよびＰＵＣＣＨ  ＳＣｅｌｌのために別個に（別個のＩＥを使用して）構成されてもよい。例えば、ＰＣｅｌｌおよびＰＵＣＣＨ  ＳＣｅｌｌは、同時ＰＵＣＣＨ＋ＰＵＳＣＨに関連する、異なるまたは同一構成を有してもよい。
【００９１】
ｅＮＢは、セル負荷、キャリア品質（例えば、測定報告を使用して）、キャリア構成、および／または他のパラメータを考慮して、現在のＳＣｅｌｌまたは候補ＳＣｅｌｌ間でＰＵＣＣＨ  ＳＣｅｌｌを選択してもよい。機能性の観点から、ＰＵＣＣＨセルグループ管理プロシージャは、ＰＵＣＣＨセルグループ追加、ＰＵＣＣＨセルグループ解放、ＰＵＣＣＨセルグループ変更、および／またはＰＵＣＣＨセルグループ再構成を含んでもよい。ＰＵＣＣＨセルグループ追加プロシージャは、二次ＰＵＣＣＨセルグループを追加する（例えば、ＰＵＣＣＨ  ＳＣｅｌｌおよび１つまたはそれを上回るＳＣｅｌｌを二次ＰＵＣＣＨセルグループ内に追加する）ために使用されてもよい。例示的実施形態では、セルは、１つまたはそれを上回るＲＲＣメッセージを採用して、解放および追加されてもよい。別の例示的実施形態では、セルは、第１のＲＲＣメッセージを採用して解放され、次いで、第２のＲＲＣメッセージを採用して追加されてもよい。
【００９２】
ＰＵＣＣＨ  ＳＣｅｌｌを含むＳＣｅｌｌは、構成されるとき、非アクティブ化状態であってもよい。ＰＵＣＣＨ  ＳＣｅｌｌは、アクティブ化ＭＡＣ  ＣＥによって、ＲＲＣ構成プロシージャ後、アクティブ化されてもよい。ｅＮＢは、ＭＡＣ  ＣＥアクティブ化コマンドをＵＥに伝送してもよい。ＵＥは、ＭＡＣ  ＣＥアクティブ化コマンドの受信に応答して、ＳＣｅｌｌをアクティブ化してもよい。
【００９３】
例示的実施形態では、タイマは、いったん始動されると、停止または満了するまで、起動中である。そうでなければ、起動していなくてもよい。タイマは、起動中ではない場合、始動されることができる、または起動中である場合、再始動される。例えば、タイマは、その初期値から始動または再始動されてもよい。
【００９４】
ＬＴＥアドバンストは、リリース１０では、キャリアアグリゲーション（ＣＡ）を導入した。リリース１０ＣＡでは、一次セル（ＰＣｅｌｌ）は、常時、アクティブ化される。１つまたはそれを上回る二次セル（ＳＣｅｌｌ）が、アクティブ化または非アクティブ化状態にあることができる。ＳＣｅｌｌアクティブ化／非アクティブ化プロセスが、リリース１０では、バッテリ電力節約を達成するために導入された。ＳＣｅｌｌが非アクティブ化されると、ＵＥは、ダウンリンク信号の受信を停止し、ＳＣｅｌｌ上での伝送を停止し得る。リリース１０ＣＡでは、ＳＣｅｌｌのデフォルト状態は、ＳＣｅｌｌが構成／追加されたとき、非アクティブ化される。ＭＡＣ  ＣＥアクティブ化コマンドを採用する付加的アクティブ化プロシージャが、ＳＣｅｌｌをアクティブ化するために必要とされ得る。ＳＣｅｌｌは、アクティブ化／非アクティブ化ＭＡＣ  ＣＥまたはｓＣｅｌｌＤｅａｃｔｉｖａｔｉｏｎＴｉｍｅｒのいずれかによって、非アクティブ化されてもよい。ＵＥおよびｅＮＢは、ＳＣｅｌｌを横断して共通値を伴う、ＳＣｅｌｌあたり１つのｓＣｅｌｌＤｅａｃｔｉｖａｔｉｏｎＴｉｍｅｒを維持する。ｅＮＢは、無線デバイスのために、ＳＣｅｌｌのアクティブ化／非アクティブ化ステータスを維持する。
【００９５】
ＬＴＥアドバンストリリース１２では、デュアルコネクティビティ（ＤＣ）が、導入された。ＤＣでは、ＵＥは、マスタｅＮＢ（ＭｅＮＢ）および二次ｅＮＢ（ＳｅＮＢ）とのコネクティビティを維持する。サービングセルは、マスタＣＧ（ＭＣＧ）および二次ＣＧ（ＳＣＧ）等のセルグループ（ＣＧ）にグループ化されてもよい。ＭｅＮＢ内の一次セルは、ＰＣｅｌｌと呼ばれる。ＳｅＮＢ内のセルは、ＰＳＣｅｌｌと呼ばれる。ＰＳＣｅｌｌは、ＰＵＣＣＨ、ＲＡＣＨ、ＲＬＭ等のＰＣｅｌｌによってサポートされる類似機能をサポートしてもよい。ＰＳＣｅｌｌが非アクティブ化される場合、多くのプロセスは、ＳＣＧ内で影響され得、例えば、ＲＡＣＨおよびＰＵＣＣＨ配信である。したがって、リリース１２ＤＣでは、ＳＣＧ内のＰＳＣｅｌｌおよびＭＣＧ内のＰＣｅｌｌは、アクティブ化状態に保たれる。ＤＣでは、アクティブ化／非アクティブ化プロセスは、ＣＧおよびｅＮＢ毎に行われてもよい。アクティブ化／非アクティブ化関連情報は、ＭｅＮＢとＳｅＮＢとの間で交換されなくてもよい。ＤＣを用いることで、ＰＵＣＣＨを用いるセル（例えば、ＰＣｅｌｌおよびＰＳＣｅｌｌ）は、構成された後、常時、アクティブ化状態にある。本プロセスは、ｅＮＢ横断アクティブ化／非アクティブ化の必要性を防ぎ得る。
【００９６】
ｅＮＢのセルは、複数のＰＵＣＣＨグループにグループ化されてもよく、それぞれ、ＰＵＣＣＨ  ＳＣｅｌｌ上にその独自のＰＵＣＣＨリソースを有する。ｅＮＢは、ＲＲＣメッセージを無線デバイスに伝送することによって、無線デバイスのためのＰＵＣＣＨグループを構成する。ＰＵＣＣＨ  ＳＣｅｌｌのためのアクティブ化／非アクティブ化プロセスの実装は、リリース１０または１２アクティブ化／非アクティブ化プロセスが実装される場合、いくつかの問題を提示し得る。例えば、ＰＵＣＣＨ  ＳＣｅｌｌが、非アクティブ化され、対応するＰＵＣＣＨグループ内の１つまたはそれを上回るＳＣｅｌｌが、依然としてアクティブであるとき、ＰＵＣＣＨ伝送をハンドリングするための方法およびシステムを実装することが必要とされ得る。新規ＰＵＣＣＨ  ＳＣｅｌｌアクティブ化／非アクティブ化プロシージャが、ＰＵＣＣＨ  ＳＣｅｌｌが構成されるときに実装されてもよい。加えて、新規ＰＵＣＣＨ  ＳＣｅｌｌアクティブ化／非アクティブ化プロシージャは、ＰＵＣＣＨが非アクティブ化されるシナリオをハンドリングするために実装されてもよい。
【００９７】
ＰＵＣＣＨ  ＳＣｅｌｌは、ＰＳＣｅｌｌの機能性の多くを含んでもよい。ＰＵＣＣＨ  ＳＣｅｌｌの非アクティブ化に関連する問題のいくつかは、ＰＵＣＣＨ  ＳＣｅｌｌが、ＬＴＥアドバンストの以前のリリースにおけるＰＣｅｌｌまたはＰＳＣｅｌｌのように、常時、アクティブに保たれる場合、解決され得る。そのような解決策は、ＰＵＣＣＨ  ＳＣｅｌｌが構成された後、ＵＥが、常時、ＰＵＣＣＨ  ＳＣｅｌｌをアクティブ化されたまま保つ必要があるため、ＵＥ内のバッテリ電力消費を増加させ得る。
【００９８】
ＤＣにおけるＰＵＣＣＨ  ＳＣｅｌｌおよびＰＳＣｅｌｌのための同一アクティブ化および非アクティブ化プロセスの実装は、非効率的実装をもたらし得る。既存のＣＡ技術に類似するバッテリ電力節約利点を達成するために、ＰＵＣＣＨ  ＳＣｅｌｌの非アクティブ化をイネーブルにすることが有益であり得る。ＰＵＣＣＨ  ＳＣｅｌｌが、その構成されるＰＵＣＣＨリソースを使用して、対応するＰＵＣＣＨセルグループ内のサービングセルに関するアップリンク制御情報を配信する。ＰＵＣＣＨ  ＵＣＩ配信の必要がないとき、例えば、同一ＰＵＣＣＨセルグループ内の他のサービングセルが、非アクティブ化されるとき、ＰＵＣＣＨ  ＳＣｅｌｌは、非アクティブ化されてもよい。ＰＵＣＣＨ  ＳＣｅｌｌのアクティブ化／非アクティブ化をサポートすることは、バッテリ電力節約利点を提供し得る。常時、例えば、対応するＰＵＣＣＨグループ内のセル上でのデータ伝送が存在しないとき、ＰＵＣＣＨ  ＳＣｅｌｌをアクティブ化されたまま保つ必要はない。ＰＵＣＣＨ  ＳＣｅｌｌ非アクティブ化プロシージャは、対応するＰＵＣＣＨグループ内にあるＳＣｅｌｌに関する新しい含意を導入し得る。アクティブＳＣｅｌｌが、アクティブ化されたＰＵＣＣＨ  ＳＣｅｌｌへのアクセスを有していない場合がある状況を回避または低減させることは、有益であり得る。ＰＵＣＣＨ  ＳＣｅｌｌがＵＥ内のバッテリ電力消費を低減させるためにアクティブ化／非アクティブ化され得る、システムおよびプロセスを開発することも有益であり得る。実装は、ＰＵＣＣＨ  ＳＣｅｌｌが対応するＰＵＣＣＨグループ内の他のＳＣｅｌｌに関連する制御情報を搬送することを考慮してもよい。
【００９９】
ＨＡＲＱ／ＣＱＩ／ＳＲ等のＰＵＣＣＨ制御情報が、ＰＵＣＣＨ  ＳＣｅｌｌが非アクティブ化されるときでも、ＰＵＣＣＨ  ＳＣｅｌｌ上で送信され得る、解決策が、提供されてもよい。非アクティブ化されたＰＵＣＣＨ  ＳＣｅｌｌ上でのＰＵＣＣＨ制御情報の伝送を可能にすることは、ＰＵＣＣＨ  ＳＣｅｌｌが、非アクティブ化されたとき、アップリンク信号を伝送可能であることを要求し得る、またはそのような伝送が必要とされるとき、ＰＵＣＣＨ  ＳＣｅｌｌのアクティブ化を要求し得る。そのような解決策は、複雑すぎて実装することができない場合があり、既存の物理およびＭＡＣ層プロシージャおよび／またはハードウェアに多くの変更を要求し得る。ＰＵＣＣＨ制御情報の伝送のためにＰＵＣＣＨ  ＳＣｅｌｌを部分的にアクティブ化することは、電力消費および送受信機複雑性を増加させ得、望ましくあり得ない。
【０１００】
本発明の例示的実施形態は、ＬＴＥネットワーク、ｅＮＢ、およびＵＥにおけるＰＵＣＣＨ  ＳＣｅｌｌアクティブ化／非アクティブ化プロセスのための効率的システムおよびプロセスを提供する、解決策を説明する。例示的実施形態は、ネットワーク、ｅＮＢ、およびＵＥが、ＳＣｅｌｌのためのアクティブ化および非アクティブ化プロセスを実装するための効率的機構を提供する。これは、既存のｅＮＢおよびＵＥプロセスへの強化を要求し得る。実施形態は、付加的要件をｅＮＢおよびＵＥ実装に追加し得るが、あまりに多くの複雑性をｅＮＢおよびＵＥ実装に追加せずに、バッテリ電力消費を低減させ得る。
【０１０１】
本発明の例示的実施形態では、ＭＡＣエンティティが、１つまたはそれを上回るＳＣｅｌｌを用いて構成される場合、ネットワークは、構成されたＳＣｅｌｌをアクティブ化および非アクティブ化してもよい。ＳｐＣｅｌｌは、構成されるとき、常時、アクティブ化されてもよい。ネットワークは、アクティブ化／非アクティブ化ＭＡＣ制御要素を送信することによって、ＳＣｅｌｌをアクティブ化および非アクティブ化してもよい。さらに、ＭＡＣエンティティは、構成されたＳＣｅｌｌのためにｓＣｅｌｌＤｅａｃｔｉｖａｔｉｏｎＴｉｍｅｒタイマを維持してもよい。同一初期タイマ値が、ｓＣｅｌｌＤｅａｃｔｉｖａｔｉｏｎＴｉｍｅｒのインスタンスに適用され、ＲＲＣによって構成される。構成されたＳＣｅｌｌは、最初に、追加に応じて、ハンドオーバ後、非アクティブ化されてもよい。
【０１０２】
例示的実施形態では、ＰＵＣＣＨ  ＳＣｅｌｌが、ＲＲＣ層によって構成されるとき、ＰＵＣＣＨ  ＳＣｅｌｌの初期状態は、非アクティブ化状態であってもよい。ｅＮＢは、ＭＡＣアクティブ化ＣＥを伝送することによって、必要とされるとき、ＰＵＣＣＨ  ＳＣｅｌｌをアクティブ化してもよい。例示的実施形態では、ＰＵＣＣＨ  ＳＣｅｌｌが非アクティブ化されると、ＰＵＣＣＨリソース構成は、保たれ得る（そして解放されない）。対応するＰＵＣＣＨグループの構成は、ＰＵＣＣＨ  ＳＣｅｌｌまたはＰＵＣＣＨグループ内の他のＳＣｅｌｌを非アクティブ化する間、維持されてもよい。ＰＵＣＣＨ  ＳＣｅｌｌのＲＲＣ構成は、非アクティブ化されるときに留保されるため、ＰＵＣＣＨ伝送の再アクティブ化は、非アクティブ化後、付加的ＲＲＣ再構成プロシージャを要求しなくてもよい。いくつかの実施形態では、ＰＵＣＣＨ  ＳＣｅｌｌを含むＴＡＧが満了する場合、ＰＵＣＣＨは、解放されてもよく、ＲＲＣ再構成が、ＰＵＣＣＨ  ＳＣｅｌｌ上でＰＵＣＣＨリソースを再構成するために必要とされてもよい。
【０１０３】
ＳＣｅｌｌアクティブ化／非アクティブ化プロセスは、ＬＴＥアドバンストリリース１０以降において導入された。ＭＡＣエンティティが、１つまたはそれを上回るＳＣｅｌｌを用いて構成される場合、ネットワークは、構成されたＳＣｅｌｌをアクティブ化および非アクティブ化してもよい。ＳｐＣｅｌｌは、常時、アクティブ化されてもよい。ネットワークは、アクティブ化／非アクティブ化ＭＡＣ制御要素のうちの１つまたはそれを上回るものを送信することによって、ＳＣｅｌｌをアクティブ化および非アクティブ化してもよい。ＭＡＣエンティティは、構成されたＳＣｅｌｌ毎にｓＣｅｌｌＤｅａｃｔｉｖａｔｉｏｎＴｉｍｅｒタイマを維持してもよく、その満了に応じて、関連付けられたＳＣｅｌｌを非アクティブ化してもよい。同一初期タイマ値が、ｓＣｅｌｌＤｅａｃｔｉｖａｔｉｏｎＴｉｍｅｒの各インスタンスに適用されてもよく、ＲＲＣによって構成される。ｓＣｅｌｌＤｅａｃｔｉｖａｔｉｏｎＴｉｍｅｒ  ＩＥが、ＲＲＣメッセージ内のＭａｃ−ＭａｉｎＣｏｎｆｉｇ専用パラメータに含まれる。構成されたＳＣｅｌｌは、追加に応じて、ハンドオーバ後、最初に、非アクティブ化されてもよい。
【０１０４】
アクティブ化／非アクティブ化ＭＡＣ制御要素の種々の実装が、可能性として考えられ得る。例示的実施形態では、アクティブ化／非アクティブ化ＭＡＣ制御要素は、事前に割り当てられたＬＣＩＤを用いて、ＭＡＣ  ＰＤＵサブヘッダによって識別される。これは、固定サイズを有し、Ｃ−フィールドおよび１つまたはそれを上回るＲ−フィールドを含有する、１つまたはそれを上回るオクテットを含んでもよい。アクティブ化／非アクティブ化ＭＡＣ制御要素は、以下のように定義されてもよい。Ｃｉ：その中に規定されるようなＳＣｅｌｌＩｎｄｅｘ  ｉを用いて構成されるＳＣｅｌｌが存在する場合、本フィールドは、ＳＣｅｌｌＩｎｄｅｘ  ｉを伴うＳＣｅｌｌのアクティブ化／非アクティブ化ステータスを示し、そうでなければ、ＭＡＣエンティティは、Ｃｉフィールドを無視してもよい。Ｃｉフィールドは、「１」に設定されると、ＳＣｅｌｌＩｎｄｅｘ  ｉを伴うＳＣｅｌｌが、アクティブ化されてもよいことを示す。Ｃｉフィールドは、「０」に設定されると、ＳＣｅｌｌＩｎｄｅｘ  ｉを伴うＳＣｅｌｌが、非アクティブ化されてもよいことを示す。Ｒ：反転ビットは、「０」に設定される。他の実施形態が、実装されてもよい。例えば、ＵＥが、５または７を上回るキャリアを用いて構成されるとき、フォーマットは、より長いビットマップを含む、１つを上回るバイトを含んでもよい。
【０１０５】
種々の非アクティブ化タイマ管理プロセスが、実装されてもよい。例示的実施形態では、アクティブ化されたＳＣｅｌｌ上のＰＤＣＣＨが、アップリンクグラントまたはダウンリンク割当を示す場合、すなわち、アクティブ化されたＳＣｅｌｌをスケジューリングするサービングセル上のＰＤＣＣＨが、アクティブ化されたＳＣｅｌｌのためのアップリンクグラントまたはダウンリンク割当を示す場合、ＵＥは、ＳＣｅｌｌと関連付けられたｓＣｅｌｌＤｅａｃｔｉｖａｔｉｏｎＴｉｍｅｒを再始動させてもよい。他の例示的ｓＣｅｌｌＤｅａｃｔｉｖａｔｉｏｎＴｉｍｅｒ実施形態もまた、実装されてもよい。ＰＵＣＣＨ  ＳＣｅｌｌの非アクティブ化タイマは、ディスエーブルにされてもよい。
【０１０６】
現在のＬＴＥアドバンスト送受信機動作では、ＭＡＣエンティティは、ＴＴＩおよび構成されたＳＣｅｌｌ毎に、ＳＣｅｌｌのアクティブ化／非アクティブ化に関連するある機能を行ってもよい。ＭＡＣエンティティが、本ＴＴＩにおいてアクティブ化／非アクティブ化ＭＡＣ制御要素を受信し、ＳＣｅｌｌをアクティブ化する場合、ＭＡＣエンティティは、ＴＴＩにおいて、アクティブ化タイミングに従って、ＳＣｅｌｌをアクティブ化し、すなわち、ＳＣｅｌｌと関連付けられたｓＣｅｌｌＤｅａｃｔｉｖａｔｉｏｎＴｉｍｅｒを始動または再始動させ、ＰＨＲ（電力ヘッドルーム）をトリガしてもよい。ＭＡＣエンティティが、本ＴＴＩにおいてアクティブ化／非アクティブ化ＭＡＣ制御要素を受信し、ＳＣｅｌｌを非アクティブ化する場合、すなわち、アクティブ化されたＳＣｅｌｌと関連付けられたｓＣｅｌｌＤｅａｃｔｉｖａｔｉｏｎＴｉｍｅｒが、本ＴＴＩにおいて満了する場合、ＴＴＩにおいて、非アクティブ化タイミングに従って、ＳＣｅｌｌと関連付けられたｓＣｅｌｌＤｅａｃｔｉｖａｔｉｏｎＴｉｍｅｒを停止し、および／またはＳＣｅｌｌと関連付けられた全ＨＡＲＱバッファをフラッシュする。
【０１０７】
ＳＣｅｌｌが非アクティブ化される場合、ＵＥは、以下のアクションを行ってもよい。すなわち、ＳＣｅｌｌ上のＳＲＳを伝送しない、ＳＣｅｌｌに関するＣＱＩ／ＰＭＩ／ＲＩ／ＰＴＩを報告しない、ＳＣｅｌｌ上のＵＬ−ＳＣＨ上で伝送しない、ＳＣｅｌｌ上のＲＡＣＨ上で伝送しない、ＳＣｅｌｌ上のＰＤＣＣＨを監視しない、ＳＣｅｌｌに関してＰＤＣＣＨを監視しない。ＳＣｅｌｌが非アクティブ化されると、ＳＣｅｌｌ上の継続中のランダムアクセスプロシージャは、該当する場合、中止される。
【０１０８】
３ＧＰＰ技術仕様第ＴＳ３６．２１３版「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｌａｙｅｒ  Ｐｒｏｃｅｄｕｒｅｓ」は、二次セルアクティブ化／非アクティブ化のためのタイミングに対処する。３ＧＰＰ  ＴＳ３６．２１３Ｖ１１．２．０（２０１３−０２）（リリース１１）の第４．３節は、ＵＥがサブフレームｎにおいて二次セルに関するＭＡＣアクティブ化コマンドを受信すると、ＭＡＣ層内の対応するアクションがサブフレームｎ＋８において適用され得ることを説明している。サブフレームｎにおいて、ＵＥが二次セルに関するＭＡＣ非アクティブ化コマンドを受信する、または二次セルの非アクティブ化タイマが満了すると、ＭＡＣ層内の対応するアクションが、サブフレームｎ＋８において適用され得る、ＣＳＩ報告に関連するアクションを除き、サブフレームｎ＋８までに適用され得る。
【０１０９】
３ＧＰＰ  ＴＳ３６．２１３Ｖ１１．２．０（２０１３−０２）（リリース１１）において定義された要件に関するいくつかのタイミング問題に起因して、第４．３節は、後続リリースにおいて更新された。３ＧＰＰ  ＴＳ３６．２１３の第４．３節（Ｖ１１．３．０／２０１３−０２からＶ１２．４／２０１４−１２：最新のリリースまでの全リリースにおいて）は、ＵＥのためのタイミング要件のいくつかを緩和する。更新された第４．３節は、ＵＥがサブフレームｎにおいて二次セルに関するＭＡＣアクティブ化コマンドを受信すると、ＭＡＣ層内の対応するアクションが、サブフレームｎ＋８において適用され得る、ＣＳＩ報告に関連するアクションおよび二次セルと関連付けられたｓＣｅｌｌＤｅａｃｔｉｖａｔｉｏｎＴｉｍｅｒに関連するアクションを除き、３ＧＰＰ  ＴＳ３６．１３３において定義された最小要件までに、そしてサブフレームｎ＋８以降に適用され得ることを説明している。サブフレームｎにおいて、ＵＥが、二次セルに関するＭＡＣ非アクティブ化コマンドを受信する、または二次セルと関連付けられたｓＣｅｌｌＤｅａｃｔｉｖａｔｉｏｎＴｉｍｅｒが満了すると、ＭＡＣ層内の対応するアクションは、サブフレームｎ＋８において適用され得るＣＳＩ報告に関連するアクションを除き、３ＧＰＰ  ＴＳ３６．１３３において定義された最小要件までに適用され得る。３ＧＰＰ  ＴＳ３６．１３３は、非アクティブ化されたＳＣｅｌｌに関するＳＣｅｌｌアクティブ化遅延要件を説明している。非アクティブ化遅延は、ＳＣｅｌｌに関するＵＥ条件に応じて、８ミリ秒より長くかかり得る。
【０１１０】
現在のＬＴＥアドバンスト仕様は、ＵＥがサブフレームｎにおいて二次セルに関するＭＡＣアクティブ化コマンドを受信すると、ＣＳＩ報告に関連するアクションおよび二次セルと関連付けられたｓＣｅｌｌＤｅａｃｔｉｖａｔｉｏｎＴｉｍｅｒに関連するアクションが、サブフレームｎ＋８において適用されることを要求する。現在のＬＴＥアドバンスト仕様は、サブフレームｎにおいて、ＵＥが二次セルに関するＭＡＣ非アクティブ化コマンドを受信する、または他の非アクティブ化条件が満たされる（例えば、二次セルと関連付けられたｓＣｅｌｌＤｅａｃｔｉｖａｔｉｏｎＴｉｍｅｒが満了する）と、ＣＳＩ報告に関連するアクションが、サブフレームｎ＋８において適用されることを要求する。
【０１１１】
現在のＬＴＥアドバンスト送受信機動作では、ＵＥがサブフレームｎにおいてＳＣｅｌｌに関するＭＡＣアクティブ化コマンドを受信すると、ＵＥは、サブフレームｎ＋８においてＳＣｅｌｌに関するＣＱＩ／ＰＭＩ／ＲＩ／ＰＴＩの報告を開始し、サブフレームｎ＋８においてＳＣｅｌｌと関連付けられたｓＣｅｌｌＤｅａｃｔｉｖａｔｉｏｎＴｉｍｅｒを始動または再始動させる。ＵＥおよびｅＮＢの両方のためのこれらのアクションのタイミングを定義することは、重要である。例えば、ｓＣｅｌｌＤｅａｃｔｉｖａｔｉｏｎＴｉｍｅｒは、ｅＮＢおよびＵＥの両方において維持され、ＵＥおよびｅＮＢの両方が、同一ＴＴＩにおいて、本タイマを停止、始動、および／または再始動させることが重要である。そうでなければ、ＵＥ内のｓＣｅｌｌＤｅａｃｔｉｖａｔｉｏｎＴｉｍｅｒは、ｅＮＢ内の対応するｓＣｅｌｌＤｅａｃｔｉｖａｔｉｏｎＴｉｍｅｒと同期し得ない。また、ｅＮＢは、同一ＴＴＩにおいて、および／またはＵＥがＣＳＩの伝送を開始した後、所定のタイミングに従って、ＣＳＩ（ＣＱＩ／ＰＭＩ／ＲＩ／ＰＴＩ）の監視および受信を開始する。ＵＥおよびｅＮＢにおけるＣＳＩタイミングが、共通標準または無線インターフェース信号伝達に基づいて協調されない場合、ネットワーク動作は、非効率的動作および／または誤差をもたらし得る。ＣＳＩは、例えば、チャネル品質インジケータ（ＣＱＩ）、プリコーディングマトリクスインジケータ（ＰＭＩ）、および／またはランクインジケータ（ＲＩ）を含んでもよい。
【０１１２】
例示的ＣＱＩ指数およびその解釈は、ＱＰＳＫ、１６ＱＡＭ、および６４ＱＡＭに基づいてＣＱＩを報告するための図１４Ａ（テーブル１）に与えられる。例示的ＣＱＩ指数およびその解釈は、ＱＰＳＫ、１６ＱＡＭ、６４ＱＡＭ、および２５６ＱＡＭに基づいてＣＱＩを報告するための図１４Ｂ（テーブル２）にも与えられる。これらのテーブルは、例示のためだけのものであって、他のテーブルが、ＣＱＩフィードバックを提供するために開発されてもよい。例示的実施形態では、時間および周波数における非制限観察間隔に基づいて、ＵＥは、アップリンクサブフレームｎ内で報告されるＣＱＩ値毎に、ＣＱＩ指数に対応する変調スキームおよびトランスポートブロックサイズの組み合わせを伴い、ＣＳＩ参照リソースと称されるダウンリンク物理リソースブロックのグループを占有する、単一ＰＤＳＣＨトランスポートブロックが、０．１を超えないトランスポートブロック誤差確率を伴って受信され得るという条件を満たす、テーブル１またはテーブル２内の１〜１５の最高ＣＱＩ指数、またはＣＱＩ指数１が条件を満たさない場合、ＣＱＩ指数０を導出し得る。
【０１１３】
例示的実施形態では、ＵＥが、ＣＱＩまたは一般にＣＳＩを基地局に伝送／報告するとき、ＵＥは、有効または無効ＣＳＩを伝送してもよい。例えば、ＵＥは、範囲外値を示す、０のＣＱＩ指数を伝送してもよい。例示的実施形態では、ＵＥがＣＳＩを伝送することが示されるとき、これは、有効または無効ＣＳＩおよび／または範囲内または範囲外ＣＳＩの伝送を指す。有効または無効ＣＳＩの明示的伝送が意図されるとき、有効または無効ＣＳＩが伝送されることが明示的に示される。例示的実施形態では、ＵＥは、ＵＥが、所与のセルに関するＣＳＩを正常に検出し、それを測定可能となるまで、最初に、無効ＣＳＩを伝送してもよい。ｅＮＢが、無効ＣＳＩを受信すると、ｅＮＢは、その実装に従って、適切なアクションを行ってもよい。実施例では、ＵＥがダウンリンク信号を測定不能であるとき、無効ＣＱＩを報告してもよい。実施例では、ＵＥが閾値を下回るダウンリンク信号の測定を得るとき、無効ＣＱＩを報告してもよい。
【０１１４】
図１５Ａおよび１５Ｂは、現在のＬＴＥアドバンスト送受信機に従う、異なるイベントのタイミングを図示する、例示的略図である。ＭＡＣエンティティが、サブフレーム（ＴＴＩ）ｎにおいてアクティブ化ＭＡＣ  ＣＥを受信し、ＳＣｅｌｌをアクティブ化する（例えば、ＳＣｅｌｌをアクティブ化するアクティブ化／非アクティブ化ＭＡＣ  ＣＥ）。ＭＡＣエンティティは、サブフレームｎ＋８においてＳＣｅｌｌと関連付けられたｓＣｅｌｌＤｅａｃｔｉｖａｔｉｏｎＴｉｍｅｒを始動または再始動させる。ＭＡＣエンティティは、サブフレームｎ＋８においてＳＣｅｌｌに関するＣＳＩ（ＣＱＩ／ＰＭＩ／ＲＩ／ＰＴＩ）報告の報告を開始する。以下に列挙される他のアクティブ化アクション（構成される場合）は、最小定義遅延要件までに、そしてサブフレームｎ＋８以降に適用される。他のアクションとして、ＳＣｅｌｌ上でのＳＲＳ伝送、ＳＣｅｌｌ上でのＰＤＣＣＨ監視、ＳＣｅｌｌに関するＰＤＣＣＨ監視、ＰＨＲのトリガのうちの１つまたは多くが挙げられる。例えば、他のアクションは、サブフレームｎ＋８において、またはサブフレームｎ＋１２、ｎ＋１３、もしくはｎ＋ｋにおいて後に適用されてもよく、ｋは、あるシナリオのために事前に定義／事前に構成される０と上限との間の数である。他のアクションは、必ずしも、同一サブフレーム内で生じることが必要なわけではない。ｋに関する例示的上限は、以下に説明される。
【０１１５】
例示的シナリオでは、二次セルアクティブ化ＭＡＣ  ＣＥがサブフレームｎにおいて受信されると、ＵＥは、以下の条件がＳＣｅｌｌに関して満たされることを前提として、サブフレームｎ＋２４上でまたはその前に、二次セルのためのアップリンク信号を伝送可能となり得る。
−ＳＣｅｌｌアクティブ化コマンドの受信前に、最大値（５ｍｅａｓＣｙｃｌｅＳＣｅｌｌ、５ＤＲＸサイクル）に等しい周期の間、
−ＵＥが、有効測定を送信し、アクティブ化されているＳＣｅｌｌに関して報告しており、
−アクティブ化されているＳＣｅｌｌが、セル識別条件に従って、検出可能なままであって、
−アクティブ化されているＳＣｅｌｌがまた、セル識別条件に従って、ＳＣｅｌｌアクティブ化遅延の間も検出可能なままである。
【０１１６】
そうでなければ、サブフレームｎにおいてＳＣｅｌｌアクティブ化コマンドの受信に応じて、ＵＥは、ＳＣｅｌｌが最初の試行において正常に検出され得ることを前提として、サブフレームｎ＋３４までに、有効ＣＳＩ報告を伝送し、アクティブ化されているＳＣｅｌｌに関するアクティブ化コマンドに関連する他のアクションを適用可能であり得る。
【０１１７】
例示的実施形態では、ＳＣｅｌｌをアクティブ化する間、任意の他のＳＣｅｌｌが、ＵＥによって、アクティブ化、非アクティブ化、構成、および／または非構成される場合、ＵＥアクティブ化遅延は、増加し得る。例えば、アクティブ化遅延の増加は、他の１つまたはそれを上回るＳＣｅｌｌが、ＳＣｅｌｌがアクティブ化されている間にアクティブ化、非アクティブ化、構成、または非構成される回数に依存し得る。
【０１１８】
上記で規定された最小要件に対応する遅延にわたって、ＣＳＩ測定に関して受信された参照信号が存在しない場合、ＵＥは、参照信号を受信後、次の利用可能なアップリンク報告リソース上でアクティブ化されたＳＣｅｌｌに関する対応する有効ＣＳＩを報告してもよい。
【０１１９】
サブフレームｎ＋２４またはｎ＋３４において有効ＣＳＩを報告するためのアップリンクリソースが存在しない場合、ＵＥは、対応する有効ＣＳＩを報告するための次の利用可能なアップリンクリソースを使用してもよい。
【０１２０】
有効ＣＳＩは、ＵＥ測定に基づき、ある条件が、ＳＣｅｌｌアクティブ化遅延全体にわたって満たされ、ＣＱＩ報告のために定義された条件が満たされることを前提として、ＣＱＩ指数＝０（範囲外）を除き、任意のＣＱＩ値に対応する。上記で定義されたＣＳＩ報告に加え、ＵＥはまた、いったんＳＣｅｌｌがアクティブ化されると、対応するアクションのための最初の機会において、ＳＣｅｌｌに関して規定されたアクティブ化コマンドに関連する他のアクションを適用してもよい。
【０１２１】
実際は、ＵＥは、送受信機状態、無線インターフェース品質等に応じて、上記に規定された最小要件より短いまたはより長い非アクティブ化遅延を有してもよい。アクティブ化遅延は、ＵＥ（無線デバイス）による二次セルに関する検出試行が成功するときに依存し得る。ＵＥは、無線インターフェースおよびＵＥ条件に応じて、前述のＵＥＳＣｅｌｌアクティブ化遅延より短いＵＥＳＣｅｌｌアクティブ化遅延を有してもよい。ＵＥおよび／またはネットワークは、ＵＥによるＳＣｅｌｌアクティブ化遅延短縮から利益を享受し得る。
【０１２２】
ＳＣｅｌｌをアクティブ化するために、ＵＥは、同期信号が取得されない場合、ＰＳＳ／ＳＳＳ（同期信号）信号を取得する必要があり得る。例示的実施形態では、ＳＣｅｌｌアクティブ化のための以下の異なるシナリオが存在し得る。ａ）コールドスタート１：ＳＣｅｌｌ  ＲＦは、アクティブ化されておらず、タイミング情報が、未知であって、バンド内連続的ＣＡが不可能である、ｂ）コールドスタート２：ＳＣｅｌｌ  ＲＦは、アクティブ化されておらず、タイミング情報が、既知である、ｃ）ウォームスタート：ＲＦが、すでにアクティブであって、タイミング情報が、既知である。例えば、ＳＣｅｌｌ  ＲＦチェーンがアクティブ化されていないが、ＳＣｅｌｌタイミング情報が既知である、コールドスタート２のための最大許容アクティブ化時間は、２４ミリ秒であり得る。４ミリ秒は、ＵＥが、アクティブ化コマンド（ＭＡＣ制御要素）をデコードし、ＡＣＫを伝送するために必要とされ得、２０ミリ秒は、ＲＦウォームアップ、ＡＧＣ整定、ならびに周波数および時間追跡ループウォームアップのために必要とされ得る。ＲＦウォームアップおよびＡＧＣ整定は、付加的技法を適用することによって、数ミリ秒（＜４ミリ秒）またはさらにより短い時間周期内で達成されてもよい。
【０１２３】
現在、ＭＡＣエンティティは、アクティブ化ＭＡＣ  ＣＥを受信し、ＳＣｅｌｌをアクティブ化する（例えば、ＳＣｅｌｌをアクティブ化するアクティブ化／非アクティブ化ＭＡＣ  ＣＥ）。ＭＡＣエンティティは、サブフレームｎ＋８においてＳＣｅｌｌと関連付けられたｓＣｅｌｌＤｅａｃｔｉｖａｔｉｏｎＴｉｍｅｒを始動または再始動させる。ＭＡＣエンティティは、二次セルが適切に取得されたかどうかにかかわらず、サブフレームｎ＋８においてＳＣｅｌｌに関するＣＳＩ（ＣＱＩ／ＰＭＩ／ＲＩ／ＰＴＩ）報告の報告を開始する。
【０１２４】
例示的図１５Ａに図示されるように、ＵＥは、有効ＣＳＩが利用可能になるまで、ＳＣｅｌｌに関する無効／範囲外ＣＳＩの報告を開始してもよい。例示的図１５Ｂに示されるように、ＵＥは、サブフレームｎ＋８＋ｋにおいて有効ＣＳＩの報告を開始し、ｋは、有効ＣＳＩが利用可能になるときに依存する。ＣＱＩ報告伝送のための開始時間は、異なるＵＥ実装に依存しない。これは、ＰＣｅｌｌ上でのＰＵＣＣＨでコーディングプロセスを強化する。有効ＣＱＩ結果が送信されるときの最小要件が、規定される。論じられるように、ＵＥは、いくつかのシナリオでは、最小要件を超え得る。そのような確率は、可能な限り低減され得る。例示的実施形態では、ＣＱＩ報告が構成される場合、範囲外ＣＱＩ／ＣＳＩが、ＵＥがＳＣｅｌｌに関するＣＳＩ測定を行うことが可能になる前に報告されてもよい。ＵＥは、ＴＭ９以外の伝送モード（ＴＭ）のために、サブフレームｎ＋２４［＋Ｘ］までに、そしてＴＭ９のためのｎ＋２４［＋Ｘ］以降の第１のＣＳＩ−ＲＳサブフレームから４ミリ秒後、有効ＣＳＩを伝送可能であってもよい。Ｘは、所定のパラメータであってもよく、例えば、１０に等しくてもよい。
【０１２５】
ＵＥが、ＳＣｅｌｌのアクティブ化に応じて、ＳＣｅｌｌに関する有効ＣＱＩ結果を有していない、ある周期が存在し得る。周期は、ＵＥがセルを正常に検出するとき、および／またはＵＥがＣＱＩ測定を開始するときに依存し得、これは、無線インターフェース条件、信号（例えば、ＣＳＩ  ＲＳ）タイミング、および／またはＵＥ実装に応じて、変動し得る。ＣＱＩ報告伝送のための開始時間は、異なるＵＥ実装に依存しない。ＵＥは、サブフレームｎ＋８からＣＱＩの報告を開始してもよく、ＳＣｅｌｌに関して利用可能な有効ＣＱＩ結果が存在しないとき、固定値（例えば、範囲外）が、報告されてもよい。これは、ＣＱＩサイズ不確実性がアップリンクチャネルのｅＮＢデコードを複雑にする可能性を低減させるであろう。タイミング要件が、ＵＥが、遅くともアクティブ化後、ＳＣｅｌｌに関する有効ＣＱＩ結果を有するとき、設定されてもよい。ＵＥ実装は、本タイミング要件を超える確率を低減させ得る。
【０１２６】
図１５Ｂは、ＵＥがより短いアクティブ化遅延を有し、有効ＣＳＩが利用可能であるときの別の実施例を示す。ＵＥは、サブフレームｎ＋８から開始する有効ＣＳＩの報告を開始してもよい。
【０１２７】
ＵＥがサブフレームｎ＋８においてＣＳＩの報告を開始するとき、必ずしも、ＵＥがサブフレームｎ＋８においてＣＳＩを伝送することを含意するわけではない。ＵＥは、サブフレームｎ＋８から開始するＵＥに配分された第１の利用可能なＣＳＩリソースにおいてＣＳＩを伝送してもよい。例えば、ＵＥは、第１の利用可能なＣＳＩリソースが利用可能となるときに応じて、サブフレームｎ＋８、ｎ＋１０等において第１のＣＳＩを伝送してもよい。
【０１２８】
本発明のいくつかの例示的実施形態は、図１５Ａおよび１５Ｂの信号タイミングを改良し、少なくとも１つのＰＵＣＣＨ  ＳＣｅｌｌが構成されるときのＣＳＩおよび他のアップリンク制御信号伝達伝送機構を強化する。
【０１２９】
図１６Ａおよび１６Ｂは、本発明の実施形態のある側面による、ＳＣｅｌｌが非アクティブ化されるときのいくつかのイベントのタイミングを図示する、例示的略図である。例示的シナリオでは、ＵＥは、ＭＡＣエンティティが、本ＴＴＩ  ｎにおいてアクティブ化／非アクティブ化ＭＡＣ制御要素を受信し、ＳＣｅｌｌを非アクティブ化するため、ＳＣｅｌｌを非アクティブ化し得る。別の例示的シナリオでは、ＵＥは、アクティブ化されたＳＣｅｌｌと関連付けられたｓＣｅｌｌＤｅａｃｔｉｖａｔｉｏｎＴｉｍｅｒが、ＴＴＩ  ｎにおいて満了するため、ＳＣｅｌｌを非アクティブ化し得る。図１６Ａおよび１６Ｂに示されるように、ＵＥは、サブフレームｎ＋８においてＣＳＩの報告を停止する。ＵＥは、サブフレームｎからｎ＋８（ｎ＋ｐ、ｐは、０〜８の整数である）のいずれかにおいて他の非アクティブ化タスクを行ってもよい。他の非アクティブ化タスクは、ＳＣｅｌｌと関連付けられたｓＣｅｌｌＤｅａｃｔｉｖａｔｉｏｎＴｉｍｅｒを停止する、ＳＣｅｌｌと関連付けられたＨＡＲＱバッファをフラッシュする、ＳＣｅｌｌ上でＳＲＳを伝送しない、ＳＣｅｌｌ上のＵＬ−ＳＣＨ上で伝送しない、ＳＣｅｌｌ上のＲＡＣＨ上で伝送しない、ＳＣｅｌｌ上のＰＤＣＣＨを監視しない、ＳＣｅｌｌに関するＰＤＣＣＨを監視しないことのいずれかを含んでもよい。
【０１３０】
あるアクション（例えば、ＣＳＩ報告およびｓＣｅｌｌＤｅａｃｔｉｖａｔｉｏｎＴｉｍｅｒ管理）の現在のタイミングは、本明細書に論じられるように、二次セル上のＰＵＣＣＨのためのサポートがＬＴＥアドバンストに導入されるとき、複雑な送受信機設計、非効率的動作、および／または誤差をもたらす。本発明の例示的実施形態は、無線デバイスおよび無線ネットワークにおけるアクティブ化タイミングに関連する問題に対処する。本発明の例示的実施形態は、現在のＬＴＥアドバンスト送受信機を改良し、ＬＴＥアドバンスト送受信機におけるアクティブ化および非アクティブ化機構を強化する。
【０１３１】
本発明の例示的実施形態は、無線デバイスおよび／または無線ネットワーク内のＬＴＥアドバンスト送受信機における現在のアクティブ化および非アクティブ化タイミングに対する改良を提供する。無線デバイスおよび／または無線ネットワーク内のＬＴＥアドバンスト送受信機における１つまたはそれを上回るアクションのタイミングは、ネットワークおよび／または無線デバイス性能を改良し、望ましくない条件を低減または防止するように更新される。
【０１３２】
ｅＮＢのセルは、複数のＰＵＣＣＨグループにグループ化されてもよい。ＰＵＣＣＨグループは、ＰＵＣＣＨ  ＳＣｅｌｌ上にそのＰＵＣＣＨリソースを有してもよい。ｅＮＢは、ＲＲＣメッセージを無線デバイスに伝送することによって、無線デバイスのためのＰＵＣＣＨグループを構成する。ＰＵＣＣＨ  ＳＣｅｌｌのためのアクティブ化／非アクティブ化プロセスの実装は、リリース１０または１２アクティブ化／非アクティブ化プロセスが実装される場合、いくつかの問題を提示し得る。新規ＳＣｅｌｌアクティブ化／非アクティブ化プロシージャが、ＰＵＣＣＨ  ＳＣｅｌｌがアクティブ化および／または非アクティブ化されるときに実装されてもよい。
【０１３３】
本発明の例示的実施形態では、ＵＥがサブフレームｎにおいてＳＣｅｌｌに関するＭＡＣアクティブ化コマンドを受信すると、ＵＥは、サブフレームｎ＋８においてＳＣｅｌｌと関連付けられたｓＣｅｌｌＤｅａｃｔｉｖａｔｉｏｎＴｉｍｅｒを始動または再始動させる。ＳＣｅｌｌに関するＣＱＩ／ＰＭＩ／ＲＩ／ＰＴＩを報告するための開始時間の要件は、サブフレームｎ＋８に制限されなくてもよい。
【０１３４】
例示的実施形態では、８サブフレームの固定遅延が、ｓＣｅｌｌＤｅａｃｔｉｖａｔｉｏｎＴｉｍｅｒおよび多くの他のアクションを再始動させるために使用される。本発明から逸脱することなく、ｓＣｅｌｌＤｅａｃｔｉｖａｔｉｏｎＴｉｍｅｒおよび多くの他のアクションを再始動させるために、８サブフレームの代わりに、他の固定遅延を実装してもよい。例えば、４、６、１０、１２等のサブフレームの固定遅延が、採用されてもよい。
【０１３５】
例示的実施形態では、ＰＵＣＣＨ  ＳＣｅｌｌがＴＡＧにおいてアクティブ化されると、ＴＡＧは、アップリンク同期されることが検討される。例えば、ＰＵＣＣＨ  ＳＣｅｌｌは、ｐＴＡＧまたはアップリンク同期されたｓＴＡＧにおいてアクティブ化されてもよい。図１７は、本発明の例示的実施形態による、いくつかのイベントのタイミングを図示する、例示的略図を示す。本発明の例示的実施形態では、ＵＥがサブフレームｎにおいてＰＵＣＣＨ  ＳＣｅｌｌに関するＭＡＣアクティブ化コマンドを受信すると、ＵＥは、サブフレームｎ＋８においてＰＵＣＣＨ  ＳＣｅｌｌと関連付けられたｓＣｅｌｌＤｅａｃｔｉｖａｔｉｏｎＴｉｍｅｒを始動または再始動させる。ＳＣｅｌｌに関するＣＱＩ／ＰＭＩ／ＲＩ／ＰＴＩを報告するための開始時間の要件は、サブフレームｎ＋８に制限されなくてもよい。ＵＥの状態、無線インターフェース品質、およびＵＥ実装に応じて、ＵＥは、サブフレームｎ後の任意の時間において、ＰＵＣＣＨ  ＳＣｅｌｌを取得してもよい。
【０１３６】
例示的実施形態では、アップリンクＣＳＩの伝送は、サブフレームｎ＋８＋ｋにおいて開始してもよい（例えば、ｋは、０を上回るまたはそれに等しい）。パラメータｋは、少なくとも、無線デバイスによるＰＵＣＣＨ  ＳＣｅｌｌに関する検出試行が成功したときに依存し得る。パラメータｋは、ＰＵＣＨ  ＳＣｅｌｌのアクティブ化遅延に依存し得る。ＵＥがＰＵＣＣＨ  ＳＣｅｌｌを正常に検出し、ＵＥがＰＵＣＣＨ  ＳＣｅｌｌ上でのアップリンク伝送の準備ができると、ＵＥは、サブフレームｎ＋８＋ｋにおいて、そして第１の利用可能なＰＵＣＣＨリソースにおいて、ＰＵＣＣＨの伝送を開始してもよい。例示的シナリオでは、ＵＥは、測定が利用可能ではない、またはダウンリンク信号の測定が閾値を下回る場合、最初に、固定ＣＳＩ（例えば、無効または範囲外ＣＳＩ）を伝送してもよい。ＵＥは、ＰＵＣＣＨ  ＳＣｅｌｌを検出すると、ＰＵＣＣＨ  ＣＳＩ信号を含む、アップリンク信号を伝送可能となり得る。ＰＵＣＣＨ  ＳＣｅｌｌが検出された後、ＵＥは、ＣＳＩの測定を開始する。ＣＳＩ測定は、２〜３つのサブフレームにわたってもよい。次いで、ＵＥは、ＰＵＣＣＨ  ＳＣｅｌｌに関する無線インターフェース測定情報が利用可能であるとき、測定されたＣＳＩ（例えば、有効ＣＳＩ）を伝送してもよい。例示的シナリオでは、ＵＥは、サブフレームｎ＋８の前にＰＵＣＣＨを検出し、ｎ＋８の前にＣＳＩを測定してもよく、次いで、ＵＥは、サブフレームｎ＋８において測定されたＣＳＩ（例えば、有効ＣＳＩ）の伝送を開始してもよい。これは、例えば、ＵＥが、ＵＥとすでに同期されており、ＰＵＣＣＨ  ＳＣｅｌｌのＣＳＩを迅速に測定することができるときに生じ得る。
【０１３７】
ＰＵＣＣＨ二次セルのアクティブ化は、ＰＵＣＣＨ二次セルがサブフレームｉ＋１においてＣＳＩを伝送可能となるとき、サブフレームｉにおいて完了されたと見なされる。ＰＵＣＣＨ二次セルが、サブフレームｉ＋１においてＣＳＩを伝送可能であって、サブフレームｉ＋１からＣＳＩの伝送を開始するとき、ＵＥは、サブフレームｉ＋１上でまたはその後にＰＵＣＣＨ  ＳＣｅｌｌ上の第１の利用可能なＣＳＩリソースにおいてＣＳＩを伝送することを含意する。
【０１３８】
検出および／またはＣＳＩ測定周期は、ランダムであってもよく、多くの要因に依存する。ＵＥは、ＰＵＣＣＨＳセルを正常に検出するまで、複数回の検出試行を行ってもよい。ＵＥ実装は、ＰＵＣＣＨＳセルを検出し、ｎ＋８の前に、さらには、ｎ＋４の前に測定を開始してもよい。測定がｎ＋４の前に開始される場合、ＵＥは、ｎ＋８において有効ＣＱＩ結果を有していてもよく、ｎ＋８においてＣＱＩを送信する準備ができていてもよい。例えば、ＣＱＩ測定のためのＣＲＳは、いくつかの伝送モードのために全てのＴＴＩにおいて利用可能である。ＣＱＩ測定が、構成可能周期性、例えば、５〜８０ミリ秒を伴うＣＳＩ  ＲＳに基づく、ＴＭ９に関して、有効ＣＱＩを伴わない周期は、ＵＥがＣＳＩ  ＲＳ機会を逸した場合、４ミリ秒よりはるかに長くなることが可能性として考えられる。周期は、ＣＱＩ測定のためのＵＥ処理時間を考慮して、第１のサブフレームがＣＳＩ  ＲＳ利用可能＋４ミリ秒を有するまでの長さであってもよい。ＵＥが有効ＣＱＩ結果を有する時点は、伝送モードおよびＣＳＩ  ＲＳ構成に依存し得る。
【０１３９】
例示的実施形態では、アップリンクＣＳＩの伝送は、サブフレームｎ＋８＋ｋにおいて開始し、少なくとも、無線デバイスによるＰＵＣＣＨ  ＳＣｅｌｌに関する検出試行が成功し、ＣＳＩ測定が利用可能であるときに依存し得る。ＣＳＩ開始サブフレームは、少なくとも部分的に、ＵＥが無線インターフェース信号を正常に測定し、ＣＳＩ（例えば、有効ＣＳＩ）を伝送する準備ができるときに依存し得る。ＵＥは、サブフレームｎ＋ｋ＋８においてＣＳＩの伝送を開始してもよい。
【０１４０】
パラメータｋは、変数であって、ＵＥがＣＳＩ伝送を開始するときのサブフレームｎ＋８後のサブフレームの数を示す。パラメータｋは、ＵＥの状態、無線インターフェース品質、ＵＥ実装、および／またはＣＳＩ測定に依存し得る。
【０１４１】
異なるシナリオでは、例えば、ＰＵＣＣＨ検出は、ある周期より長く、例えば、４０、５０、７０のサブフレームより長くかかり得る（これらは、例示的範囲であって、限定ではない）。これは、無線インターフェース信号品質が低いとき、ＵＥがコールドスタートから開始するとき、ＵＥが複数の検出試行を行うとき、および／または任意の他のＵＥもしくはシステム実装関連原因によって生じ得る。そのようなシナリオは、より優れたＵＥおよび／またはｅＮＢ実装によって低減され得る。そのようなシナリオでは、ｅＮＢは、サブフレームｎ＋ｋにおいてＵＥのための二次ＰＵＣＣＨ信号のデコードを開始してもよく、ＵＥは、ＰＵＣＣＨ  ＳＣｅｌｌを検出可能であって、ＣＳＩ伝送の準備ができるまで、ＣＳＩを受信しなくてもよい。ＣＳＩ伝送遅延の長さに応じて、ｅＮＢは、状況を是正するためのいくつかのアクションを行ってもよい。例示的実施形態では、ｅＮＢは、ある周期後、ＣＳＩを受信しないとき、ＰＵＣＣＨ  ＳＣｅｌｌを非アクティブ化してもよい。
【０１４２】
例示的実施形態では、無線デバイス（ＵＥ）は、複数のセル内の１つまたはそれを上回る二次セルの構成パラメータを含む、少なくとも１つのメッセージを受信してもよい。複数のセルは、複数の物理アップリンク制御チャネル（ＰＵＣＣＨ）グループにグループ化される。ＰＵＣＣＨグループは、一次ＰＵＣＣＨグループおよび二次ＰＵＣＣＨグループを含む。二次ＰＵＣＣＨグループは、１つまたはそれを上回る二次セル内のＰＵＣＣＨ二次セルを含む。無線デバイスは、サブフレームｎにおいてアクティブ化／非アクティブ化媒体アクセス制御制御要素（ＭＡＣ  ＣＥ）を受信する。アクティブ化／非アクティブ化ＭＡＣ  ＣＥは、ＰＵＣＣＨ二次セルのアクティブ化を示す。例示的実施形態では、無線デバイスは、サブフレームｎ＋８においてＰＵＣＣＨ二次セルと関連付けられた非アクティブ化タイマを始動または再始動させてもよい。無線デバイスは、サブフレームｎ＋８＋ｋにおいてＰＵＣＣＨ二次セル上でチャネル状態情報（ＣＳＩ）フィールドの伝送を開始してもよい。パラメータｋは、少なくとも部分的に、無線デバイスによるＰＵＣＣＨ二次セルに関する検出試行が成功するときに依存する、整数であってもよい。パラメータｋはまた、少なくとも部分的に、ＰＵＣＣＨ二次セルに関する測定されたＣＳＩが利用可能であるときに依存し得る。
【０１４３】
本発明の例示的実施形態では、無線デバイスは、サブフレームｍにおいてアクティブ化／非アクティブ化媒体アクセス制御制御要素（ＭＡＣ  ＣＥ）を受信してもよい。アクティブ化／非アクティブ化ＭＡＣ  ＣＥは、一次ＰＵＣＣＨグループ内の二次セルのアクティブ化を示してもよい。無線デバイスは、サブフレームｍ＋８において二次セルと関連付けられた非アクティブ化タイマを始動または再始動させてもよい。ＵＥは、サブフレームｍ＋８においてＰＵＣＣＨ二次セル上でチャネル状態情報（ＣＳＩ）フィールドの伝送を開始してもよい。無線デバイスは、最初に、固定ＣＳＩ（例えば、無効および／または範囲外）を伝送し、次いで、利用可能になると、二次セルに関する測定されたＣＳＩを伝送してもよい。有効ＣＳＩがサブフレームｍ＋８において利用可能である場合、ＵＥは、サブフレームｍ＋８において有効ＣＳＩの伝送を開始してもよい。無線デバイスは、ＳＣｅｌｌに関するＭＡＣアクティブ化コマンドがサブフレームｍにおいて受信されると、サブフレームｍ＋８において一次ＰＵＣＣＨグループ内のＳＣｅｌｌに関するＣＳＩの伝送を開始してもよい。一方、無線デバイスは、本明細書の例示的実施形態に説明されるように、サブフレームｍ＋８＋ｋにおいてＰＵＣＣＨ  ＳＣｅｌｌに関するＣＳＩの伝送を開始してもよい。
【０１４４】
本発明の例示的実施形態では、無線デバイスは、サブフレームｐにおいてアクティブ化／非アクティブ化媒体アクセス制御制御要素（ＭＡＣ  ＣＥ）を受信してもよい。アクティブ化／非アクティブ化ＭＡＣ  ＣＥは、二次ＰＵＣＣＨセルグループ内の第１の二次セルのアクティブ化を示してもよい。第１の二次セルは、ＰＵＣＣＨ  ＳＣｅｌｌと異なる。無線デバイスは、サブフレームｐ＋８において二次セルと関連付けられた非アクティブ化タイマを始動または再始動させてもよい。ＵＥは、ＰＵＣＣＨ  ＳＣｅｌｌがアクティブ化され、ＰＵＣＣＨアップリンク伝送の準備ができる場合、サブフレームｐ＋８においてＰＵＣＣＨ二次セル上でチャネル状態情報（ＣＳＩ）フィールドの伝送を開始してもよい。ＵＥは、ＰＵＣＣＨ  ＳＣｅｌｌがアクティブ化されるが、ＰＵＣＣＨアップリンク伝送の準備がまだできていない場合、サブフレームｐ＋８＋ｋにおいてＰＵＣＣＨ二次セル上でチャネル状態情報（ＣＳＩ）フィールドの伝送を開始してもよい。例示的実施形態では、サブフレームにおいて受信されたＭＡＣ  ＣＥは、ＰＵＣＣＨ  ＳＣｅｌｌ、二次ＰＵＣＣＨグループ内の少なくとも１つの二次セル、および／または一次セルグループ内の少なくとも１つの二次セルを含む、複数のＳＣｅｌｌのアクティブ化を示してもよい。
【０１４５】
例示的実施形態では、ｅＮＢは、アクティブ化コマンドを伝送し、リリース１０から１２の二次セル構成を用いてＵＥ内のＳＣｅｌｌをアクティブ化してもよい。ｅＮＢは、ｅＮＢがサブフレームａにおいてアクティブ化コマンドを伝送すると、サブフレームａ＋８から開始する二次セルに関するＣＳＩを受信してもよい。例示的実施形態では、ｅＮＢは、アクティブ化コマンドを伝送し、リリース１３以降を用いてＵＥ内のＳＣｅｌｌをアクティブ化してもよく、二次セルは、一次ＰＵＣＣＨセルグループ内にある。ｅＮＢは、ｅＮＢがサブフレームｂにおいてアクティブ化コマンドを伝送すると、サブフレームｂ＋８から開始する二次セルに関するＣＳＩを受信してもよい。例示的実施形態では、ｅＮＢは、アクティブ化コマンドを伝送し、リリース１３以降を用いてＵＥ内のＳＣｅｌｌをアクティブ化してもよく、二次セルは、ＰＵＣＣＨ  ＳＣｅｌｌである。ｅＮＢは、ｅＮＢがサブフレームｃにおいてアクティブ化コマンドを伝送すると、サブフレームｃ＋８＋ｋから開始するＰＵＣＣＨ  ＳＣｅｌｌに関するＣＳＩを受信してもよい。ｅＮＢは、ＵＥ内のＳＣｅｌｌに関するＲＲＣ構成に応じて、対応するＰＵＣＣＨリソースにおけるＣＳＩフィールドのデコードを開始してもよい。
【０１４６】
例示的実施形態では、ＰＵＣＣＨ  ＳＣｅｌｌが非アクティブ化されるとき、ＵＥは、ＰＵＣＣＨ伝送を直ちに停止しなくてもよい。アクティブ化されたＰＵＣＣＨ  ＳＣｅｌｌのＰＵＣＣＨリソースは、ＰＵＣＣＨ  ＳＣｅｌｌおよび二次ＰＵＣＣＨグループ内の他のアクティブ化されたＳＣｅｌｌのＣＳＩのアップリンク伝送のために採用される。アクティブ化されたＰＵＣＣＨ  ＳＣｅｌｌのＰＵＣＣＨリソースはまた、ＰＵＣＣＨ  ＳＣｅｌｌおよび二次ＰＵＣＣＨグループ内の任意の他のアクティブ化されたＳＣｅｌｌ上で受信されたダウンリンクパケットに関するＡＣＫ／ＮＡＣＫのアップリンク伝送のために採用される。本発明の例示的実施形態では、ＵＥが、サブフレームｎにおいてＰＵＣＣＨ  ＳＣｅｌｌに関する非アクティブ化ＭＡＣコマンドを受信する、または非アクティブ化条件が、サブフレームｎにおいて満たされる（例えば、非アクティブ化タイマが満了する）場合、ＵＥは、サブフレームｎ＋１からサブフレームｎ＋８までのサブフレームの任意の１つにおいて、以下の非アクティブ化機構の多くを行ってもよい。サブフレームｎ＋１からサブフレームｎ＋８までのサブフレームの任意の１つにおいて行われる非アクティブ化機構は、ＰＵＣＣＨ  ＳＣｅｌｌ上でＳＲＳを伝送しない、ＰＵＣＣＨ  ＳＣｅｌｌ上のＵＬ−ＳＣＨ上で伝送しない、ＰＵＣＣＨ  ＳＣｅｌｌ上のＲＡＣＨ上で伝送しない、ＰＵＣＣＨ  ＳＣｅｌｌ上のＰＤＣＣＨを監視しない、および／またはＰＵＣＣＨ  ＳＣｅｌｌに関するＰＤＣＣＨを監視しないことを含んでもよい。
【０１４７】
本発明の例示的実施形態では、非アクティブ化機構のうちのいくつかは、サブフレームｎ＋８においてのみ行われてもよい。ＵＥは、サブフレームｎ＋８においてＰＵＣＣＨ  ＳＣｅｌｌ上のＰＵＣＣＨ上でのＣＳＩの伝送を停止してもよい。これは、ＵＥが、サブフレームｎ＋８の前にＰＵＣＣＨ  ＳＣｅｌｌ内のアクティブ化されたＳＣｅｌｌに関するＣＳＩの報告を停止しないことを含意する。ＵＥは、サブフレームｎ＋８においてＰＵＣＣＨ  ＳＣｅｌｌ内のアクティブ化されたＳＣｅｌｌに関するＣＳＩの報告を停止する。ＵＥは、サブフレームｎ＋８においてＰＵＣＣＨ  ＳＣｅｌｌに関するＣＳＩの伝送を停止してもよい。例示的実施形態では、ＰＵＣＣＨグループ内の別のアクティブ化されたＳＣｅｌｌが存在する場合、ＵＥは、サブフレームｎ＋８において別のアクティブ化されたＳＣｅｌｌに関するＣＳＩの伝送を停止してもよい。
【０１４８】
本発明の例示的実施形態は、ｅＮＢ内のデコードプロセスを簡略化し、ＰＵＣＣＨ  ＳＣｅｌｌ上でＰＵＣＣＨ信号を受信し得る。ＰＵＣＣＨ  ＳＣｅｌｌが所与のＵＥ内で非アクティブ化されると、同一ＰＵＣＣＨ  ＳＣｅｌｌは、他のＵＥ内でアクティブ化状態のままであってもよい。他のＵＥは、ＰＵＣＣＨ  ＳＣｅｌｌのＰＵＣＣＨリソース上で信号を継続的に伝送し得る一方、所与のＵＥは、非アクティブ化に起因して、ＰＵＣＣＨ信号伝送を停止する必要がある。ｅＮＢが、所与のＵＥがＰＵＣＣＨ信号伝送を停止したときを把握していない場合、ｅＮＢは、ＵＥがそのような伝送を停止したときを推測する必要がある。これは、ｅＮＢにおけるデコードプロセスを複雑にし得る。多くのＵＥは、同一ＰＵＣＣＨ  ＯＦＤＭリソースブロックを共有してもよい。本発明の例示的実施形態では、所与のＵＥおよびｅＮＢの両方が、正確にサブフレームｎ＋８においてＰＵＣＣＨ信号ＣＳＩ伝送が停止する必要があることを把握する。ＵＥは、正確にサブフレームｎ＋８において非アクティブ化されたＰＵＣＣＨ  ＳＣｅｌｌのＰＵＣＣＨリソース上の二次ＰＵＣＣＨグループ内の全アクティブ化されたＳＣｅｌｌに関するＣＳＩ伝送を停止する。ｅＮＢはまた、サブフレームｎ＋８においてＰＵＣＣＨ  ＳＣｅｌｌのＰＵＣＣＨリソース上でＵＥによって伝送されるＰＵＣＣＨ信号のデコードを停止する必要があることも把握する。ＰＵＣＣＨ  ＳＣｅｌｌ上でＳＲＳを伝送しない、ＰＵＣＣＨ  ＳＣｅｌｌ上のＵＬ−ＳＣＨ上で伝送しない、ＰＵＣＣＨ  ＳＣｅｌｌ上のＲＡＣＨ上で伝送しない、ＰＵＣＣＨ  ＳＣｅｌｌ上でＰＤＣＣＨを監視しない、および／またはＰＵＣＣＨ  ＳＣｅｌｌに関するＰＤＣＣＨを監視しない等の他の非アクティブ化機構も、サブフレームｎ＋１からサブフレームｎ＋８までのサブフレームの任意の１つにおいて停止されてもよい。これらの停止機構の正確なタイミングは、これらの停止機構がｅＮＢにおいて複雑なデコードプロセスを要求しないため、ｅＮＢによって要求されない。
【０１４９】
図１８は、本発明の実施形態のある側面による、例示的フロー図である。無線デバイスは、１８１０において、少なくとも１つのメッセージを基地局から受信してもよい。メッセージは、複数のセルの構成パラメータを含んでもよい。複数のセルは、一次セルおよび／またはＰＵＣＣＨ二次セルを含んでもよい。一次セルは、基地局に伝送される一次物理アップリンク制御チャネル（ＰＵＣＣＨ）を含んでもよい。ＰＵＣＣＨ二次セルは、基地局に伝送される二次ＰＵＣＣＨを含んでもよい。ある実施形態によると、複数のセルは、一次ＰＵＣＣＨグループおよび二次ＰＵＣＣＨグループを含む、複数のＰＵＣＣＨグループにグループ化されてもよい。一次ＰＵＣＣＨグループは、一次セルを含んでもよい。二次ＰＵＣＣＨグループは、ＰＵＣＣＨ二次セルを含んでもよい。
【０１５０】
１８２０において、無線デバイスは、サブフレームｎにおいて、ＰＵＣＣＨ二次セルのアクティブ化を示す媒体アクセス制御制御要素を受信してもよい。
【０１５１】
１８３０において、無線デバイスは、例えば、サブフレームｎ＋８＋ｋからＰＵＣＣＨ二次セルに関するチャネル状態情報（ＣＳＩ）フィールドの伝送を開始してもよく、ｋは、少なくとも部分的に、ＰＵＣＣＨ二次セルが無線デバイスによって正常に検出されたときに依存する、整数（０、１、２、３等）であってもよい。ある実施形態によると、無線デバイスは、サブフレームｎ＋８＋ｋから二次ＰＵＣＣＨグループ内のアクティブ化されたセルのＣＳＩフィールドの伝送を開始してもよい。
【０１５２】
ある実施形態によると、無線デバイスは、サブフレームｎ＋８においてＰＵＣＣＨ二次セルと関連付けられた非アクティブ化タイマを始動させてもよい。ある実施形態によると、無線デバイスは、サブフレームｎ＋８＋ｋにおいてＣＳＩフィールドの伝送のためのアップリンクリソースが存在しない場合、ＣＳＩフィールドを伝送するための次の利用可能なアップリンクリソースを採用してもよい。ある実施形態によると、範囲外ＣＱＩを含むＣＳＩフィールドは、ゼロと異なるチャネル品質指数（ＣＱＩ）を伴う有効ＣＳＩフィールドが利用可能ではないときに伝送されてもよい。
【０１５３】
ある実施形態によると、ＰＵＣＣＨ二次セルは、セルアクティブ化遅延の間に検出可能なままであってもよい。ある実施形態によると、ＰＵＣＣＨ二次セルは、最初の試行において検出されてもよい。
【０１５４】
図１９は、本発明の実施形態のある側面による、例示的フロー図である。基地局は、１９１０において、少なくとも１つのメッセージを無線デバイスに伝送してもよい。メッセージは、複数のセルの構成パラメータを含んでもよい。複数のセルは、一次セルおよび／またはＰＵＣＣＨ二次セルを含んでもよい。一次セルは、基地局によって受信される一次物理アップリンク制御チャネル（ＰＵＣＣＨ）を含んでもよい。ＰＵＣＣＨ二次セルは、基地局によって受信される二次ＰＵＣＣＨを含んでもよい。１９２０において、基地局は、サブフレームｎにおいて、無線デバイス内のＰＵＣＣＨ二次セルのアクティブ化を示す媒体アクセス制御制御要素を伝送してもよい。１９３０において、基地局は、無線デバイスから、例えば、サブフレームｎ＋８＋ｋからのＰＵＣＣＨ二次セルに関するチャネル状態情報（ＣＳＩ）フィールドの受信を開始してもよく、ｋは、少なくとも部分的に、ＰＵＣＣＨ二次セルが無線デバイスによって正常に検出されたときに依存する、整数であってもよい。
【０１５５】
図２０は、本発明の実施形態のある側面による、例示的フロー図である。無線デバイスは、２０１０において、少なくとも１つのメッセージを基地局から受信してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは、一次ＰＵＣＣＨを用いる一次セルを含んでもよい。二次ＰＵＣＣＨグループは、二次ＰＵＣＣＨを用いるＰＵＣＣＨ二次セルを含んでもよい。
【０１５６】
２０２０において、無線デバイスは、サブフレームｍにおいて、一次ＰＵＣＣＨグループ内の二次セルのアクティブ化を示す第１の媒体アクセス制御制御要素（ＭＡＣ  ＣＥ）を受信してもよい。２０３０において、無線デバイスは、例えば、サブフレームｍ＋８から二次セルのチャネル状態情報（ＣＳＩ）フィールドの伝送を開始してもよい。２０４０において、無線デバイスは、サブフレームｎにおいて、ＰＵＣＣＨ二次セルのアクティブ化を示す第２のＭＡＣ  ＣＥを受信してもよい。２０５０において、無線デバイスは、サブフレームｎ＋８＋ｋからＰＵＣＣＨ二次セルに関するＣＳＩフィールドの伝送を開始してもよく、ｋは、少なくとも部分的に、ＰＵＣＣＨ二次セルが無線デバイスによって正常に検出されたときに依存する、整数であってもよい。
【０１５７】
ある実施形態によると、無線デバイスは、サブフレームｎ＋８＋ｋから二次ＰＵＣＣＨグループ内の第１の二次セルのＣＳＩフィールドの伝送を開始してもよく、第２のＭＡＣ  ＣＥはさらに、第１の二次セルのアクティブ化を示す。ある実施形態によると、無線デバイスは、サブフレームｎ＋８＋ｋにおいてＣＳＩフィールドのＣＳＩフィールドを伝送するためのアップリンクリソースが存在しない場合、ＰＵＣＣＨ二次セルに関するＣＳＩフィールドを伝送するための次の利用可能なアップリンクリソースを採用してもよい。ある実施形態によると、無線デバイスは、サブフレームｎ＋８＋ｋから二次ＰＵＣＣＨグループ内のアクティブ化されたセルのＣＳＩフィールドの伝送を開始してもよい。ある実施形態によると、無線デバイスは、ゼロと異なるチャネル品質指数（ＣＱＩ）を伴う有効ＣＳＩフィールドが利用可能ではないときに、範囲外ＣＱＩを含むＣＳＩフィールドを伝送してもよい。
【０１５８】
ある実施形態によると、無線デバイスは、サブフレームｍ＋８において二次セルと関連付けられた第１の非アクティブ化タイマを始動させてもよい。無線デバイスはまた、サブフレームｎ＋８においてＰＵＣＣＨ二次セルと関連付けられた第２の非アクティブ化タイマを始動させてもよい。ある実施形態によると、ＰＵＣＣＨ二次セルは、セルアクティブ化遅延の間に検出可能なままであってもよい。ある実施形態によると、ＰＵＣＣＨ二次セルは、最初の試行において検出されてもよい。
【０１５９】
図２１は、本発明の実施形態のある側面による、例示的フロー図である。基地局は、２１１０において、少なくとも１つのメッセージを無線デバイスに伝送してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび／または二次ＰＵＣＣＨグループを含んでもよい。一次ＰＵＣＣＨグループは、一次ＰＵＣＣＨを用いる一次セルを含んでもよい。二次ＰＵＣＣＨグループは、二次ＰＵＣＣＨを用いるＰＵＣＣＨ二次セルを含んでもよい。
【０１６０】
２１２０において、基地局は、サブフレームｍにおいて、無線デバイス内の一次ＰＵＣＣＨグループ内の二次セルのアクティブ化を示す第１の媒体アクセス制御制御要素（ＭＡＣ  ＣＥ）を伝送してもよい。２１３０において、基地局は、サブフレームｍ＋８から二次セルのチャネル状態情報（ＣＳＩ）フィールドの受信を開始してもよい。２１４０において、基地局は、サブフレームｎにおいて無線デバイス内のＰＵＣＣＨ二次セルグループのアクティブ化を示す第２のＭＡＣ  ＣＥを伝送してもよい。２１４０において、基地局は、無線デバイスから、例えば、サブフレームｎ＋８＋ｋからのＰＵＣＣＨ二次セルに関するＣＳＩフィールドの受信を開始してもよく、ｋは、少なくとも部分的に、ＰＵＣＣＨ二次セルが無線デバイスによって正常に検出されたときに依存する、整数である。
【０１６１】
図２２は、本発明の実施形態のある側面による、例示的フロー図である。無線デバイスは、２２１０において、少なくとも１つのメッセージを基地局から受信してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは、一次ＰＵＣＣＨを用いる一次セルを含んでもよい。二次ＰＵＣＣＨグループは、二次ＰＵＣＣＨを用いるＰＵＣＣＨ二次セルを含んでもよい。
【０１６２】
２２２０において、無線デバイスは、サブフレームｍにおいて、一次ＰＵＣＣＨグループ内の二次セルと、ＰＵＣＣＨ二次セルとを含む、複数の二次セルのアクティブ化を示す第１の媒体アクセス制御制御要素（ＭＡＣ  ＣＥ）を受信してもよい。２２３０において、無線デバイスは、サブフレームｍ＋８から二次セルのチャネル状態情報（ＣＳＩ）フィールドの伝送を開始してもよい。２２４０において、無線デバイスは、サブフレームｍ＋８＋ｋからＰＵＣＣＨ二次セルに関するＣＳＩフィールドの伝送を開始してもよく、ｋは、少なくとも部分的に、ＰＵＣＣＨ二次セルが無線デバイスによって正常に検出されたときに依存する、整数であってもよい。ある実施形態によると、無線デバイスは、ゼロと異なるチャネル品質指数（ＣＱＩ）を伴う有効ＣＳＩフィールドが利用可能ではないときに、範囲外ＣＱＩを含むＣＳＩフィールドを伝送してもよい。ある実施形態によると、無線デバイスは、サブフレームｍ＋８＋ｋから二次ＰＵＣＣＨグループ内の第１の二次セルのＣＳＩフィールドの伝送を開始してもよく、第１のＭＡＣ  ＣＥはさらに、第１の二次セルのアクティブ化を示す。
【０１６３】
ある実施形態によると、無線デバイスは、サブフレームｍ＋８において二次セルと関連付けられた第１の非アクティブ化タイマを始動させてもよい。無線デバイスはまた、サブフレームｍ＋８においてＰＵＣＣＨ二次セルと関連付けられた第２の非アクティブ化タイマを始動させてもよい。
【０１６４】
図２３は、本発明の実施形態のある側面による、例示的フロー図である。基地局は、２３１０において、少なくとも１つのメッセージを無線デバイスに伝送してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび／または二次ＰＵＣＣＨグループを含んでもよい。一次ＰＵＣＣＨグループは、一次ＰＵＣＣＨを用いる一次セルを含んでもよい。二次ＰＵＣＣＨグループは、二次ＰＵＣＣＨを用いるＰＵＣＣＨ二次セルを含んでもよい。
【０１６５】
２３２０において、基地局は、サブフレームｍにおいて、無線デバイス内の複数の二次セルのアクティブ化を示す第１の媒体アクセス制御制御要素（ＭＡＣ  ＣＥ）を伝送してもよい。複数のセルは、一次ＰＵＣＣＨグループ内の二次セルと、ＰＵＣＣＨ二次セルとを含んでもよい。２３３０において、基地局は、例えば、サブフレームｍ＋８から二次セルのチャネル状態情報（ＣＳＩ）フィールドの受信を開始してもよい。２３３０において、基地局は、無線デバイスから、例えば、サブフレームｍ＋８＋ｋからのＰＵＣＣＨ二次セルに関するＣＳＩフィールドの受信を開始してもよく、ｋは、少なくとも部分的に、ＰＵＣＣＨ二次セルが無線デバイスによって正常に検出されたときに依存する、整数であってもよい。
【０１６６】
図２４は、本発明の実施形態のある側面による、例示的フロー図である。無線デバイスは、２４１０において、少なくとも１つのメッセージを基地局から受信してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは、基地局に伝送される一次ＰＵＣＣＨを用いる一次セルを含んでもよい。二次ＰＵＣＣＨグループは、基地局に伝送される二次ＰＵＣＣＨを用いるＰＵＣＣＨ二次セルを含んでもよい。ある実施形態によると、構成パラメータは、複数の共通パラメータを含んでもよい。加えて、構成パラメータは、非アクティブ化タイマ値を含む、複数の専用パラメータを含んでもよい。
【０１６７】
２４２０において、無線デバイスは、サブフレームｎにおいて、二次ＰＵＣＣＨグループ内の二次セルのアクティブ化を示す媒体アクセス制御制御要素を受信してもよい。ある実施形態によると、媒体アクセス制御制御要素は、ビットマップを含んでもよい。
【０１６８】
２４３０において、無線デバイスは、例えば、サブフレームｎ＋８＋ｋから二次セルに関するチャネル状態情報（ＣＳＩ）フィールドの伝送を開始してもよい。ＰＵＣＣＨ二次セルのアクティブ化がサブフレームｎ＋８の前に完了された場合、ｋは、ゼロに等しくあり得る。ＰＵＣＣＨ二次セルのアクティブ化がサブフレームｎ＋８においてまたはその後に完了された場合、ｋは、０を上回り得、ＰＵＣＣＨ二次セルのアクティブ化が完了されたときに依存し得る。ある実施形態によると、二次セルと関連付けられた非アクティブ化タイマは、サブフレームｎ＋８において、開始されてもよい。ある実施形態によると、無線デバイスは、サブフレームｎ＋８＋ｋにおいて、ＣＳＩフィールドのＣＳＩフィールドを報告するためのアップリンクリソースが存在しない場合、サブフレームｎ＋８＋ｋにおいて、ＣＳＩフィールドのＣＳＩフィールドを報告するために次の利用可能なアップリンクリソースを採用する。ある実施形態によると、二次ＰＵＣＣＨグループ内のアクティブ化されたセルのＣＳＩフィールドの伝送は、サブフレームｎ＋８＋ｋから開始されてもよい。ある実施形態によると、範囲外ＣＱＩを含むＣＳＩフィールドは、ゼロと異なるチャネル品質指数を伴う有効ＣＳＩフィールドが利用可能ではないとき、伝送されてもよい。
【０１６９】
図２５は、本発明の実施形態のある側面による、例示的フロー図である。基地局は、２５１０において、少なくとも１つのメッセージを無線デバイスに伝送してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは、基地局によって受信される一次ＰＵＣＣＨを用いる一次セルを含んでもよい。二次ＰＵＣＣＨグループは、基地局によって受信される二次ＰＵＣＣＨを用いるＰＵＣＣＨ二次セルを含んでもよい。ある実施形態によると、構成パラメータは、複数の共通パラメータを含んでもよい。加えて、構成パラメータは、非アクティブ化タイマ値を含む、複数の専用パラメータを含んでもよい。
【０１７０】
２５２０において、基地局は、サブフレームｎにおいて、二次ＰＵＣＣＨグループ内の二次セルのアクティブ化を示す媒体アクセス制御制御要素を伝送してもよい。ある実施形態によると、媒体アクセス制御制御要素は、ビットマップを含んでもよい。
【０１７１】
２５３０において、基地局は、例えば、サブフレームｎ＋８＋ｋから二次セルに関するチャネル状態情報（ＣＳＩ）フィールドの受信を開始してもよい。ＰＵＣＣＨ二次セルのアクティブ化がサブフレームｎ＋８の前に完了された場合、ｋは、ゼロに等しくあり得る。ＰＵＣＣＨ二次セルのアクティブ化がサブフレームｎ＋８においてまたはその後に完了された場合、ｋは、０を上回り得、ＰＵＣＣＨ二次セルのアクティブ化が完了されたときに依存し得る。ある実施形態によると、二次セルと関連付けられた非アクティブ化タイマは、サブフレームｎ＋８において開始されてもよい。ある実施形態によると、無線デバイスは、サブフレームｎ＋８＋ｋにおいてＣＳＩフィールドのＣＳＩフィールドを報告するためのアップリンクリソースが存在しない場合、サブフレームｎ＋８＋ｋにおいてＣＳＩフィールドのＣＳＩフィールドを報告するために次の利用可能なアップリンクリソースを採用してもよい。ある実施形態によると、二次ＰＵＣＣＨグループ内のアクティブ化されたセルのＣＳＩフィールドの伝送は、サブフレームｎ＋８＋ｋから開始されてもよい。ある実施形態によると、範囲外ＣＱＩを含むＣＳＩフィールドは、ゼロと異なるチャネル品質指数を伴う有効ＣＳＩフィールドが利用可能ではないとき、伝送されてもよい。
【０１７２】
図２６は、本発明の実施形態のある側面による、例示的フロー図である。無線デバイスは、２６１０において、少なくとも１つのメッセージを基地局から受信してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは、一次ＰＵＣＣＨを用いる一次セルを含んでもよい。二次ＰＵＣＣＨグループは、二次ＰＵＣＣＨを用いるＰＵＣＣＨ二次セル（ＳＣｅｌｌ）を含んでもよい。ある実施形態によると、構成パラメータは、複数の共通パラメータを含んでもよい。ある実施形態によると、構成パラメータは、複数の共通パラメータを含んでもよい。加えて、構成パラメータは、非アクティブ化タイマ値を含む、複数の専用パラメータを含んでもよい。
【０１７３】
２６２０において、無線デバイスは、サブフレームｎにおいて、複数のＳＣｅｌｌのアクティブ化を示す媒体アクセス制御制御要素を受信してもよい。複数のＳＣｅｌｌは、一次ＰＵＣＣＨグループ内の第１のＳＣｅｌｌと、二次ＰＵＣＣＨグループ内の第２のＳＣｅｌｌとを含んでもよい。ある実施形態によると、媒体アクセス制御制御要素は、ビットマップを含んでもよい。
【０１７４】
２６３０において、無線デバイスは、例えば、サブフレームｎ＋８から第１のＳＣｅｌｌに関するチャネル状態情報（ＣＳＩ）フィールドの伝送を開始してもよい。２６４０において、無線デバイスは、例えば、サブフレームｎ＋８＋ｋから第２のＳＣｅｌｌに関するＣＳＩフィールドの伝送を開始してもよい。ＰＵＣＣＨ  ＳＣｅｌｌのアクティブ化がサブフレームｎ＋８の前に完了された場合、ゼロに等しくあり得る。ＰＵＣＣＨ  ＳＣｅｌｌのアクティブ化が、サブフレームｎ＋８においてまたはその後に完了された場合、ｋは、０を上回り、ＰＵＣＣＨ  ＳＣｅｌｌのアクティブ化が完了されたときに依存し得る。ある実施形態によると、第１のＳＣｅｌｌと関連付けられた第１の非アクティブ化タイマは、サブフレームｎ＋８において開始してもよい。第２のＳＣｅｌｌと関連付けられた第２の非アクティブ化タイマもまた、サブフレームｎ＋８において開始されてもよい。ある実施形態によると、無線デバイスは、ＣＳＩフィールドを報告するためのアップリンクリソースが存在しない場合、サブフレームｎ＋８＋ｋにおいて第２のＳＣｅｌｌに関するｔｈｅＣＳＩフィールドのＣＳＩフィールドを報告するために次の利用可能なアップリンクリソースを採用してもよい。ある実施形態によると、二次ＰＵＣＣＨグループ内のアクティブ化されたセルのＣＳＩフィールドの伝送は、サブフレームｎ＋８＋ｋから開始してもよい。ある実施形態によると、範囲外ＣＱＩを含むＣＳＩフィールドは、ゼロと異なるチャネル品質指数を伴う有効ＣＳＩフィールドが利用可能ではないとき、伝送されてもよい。
【０１７５】
図２７は、本発明の実施形態のある側面による、例示的フロー図である。基地局は、２５１０において、少なくとも１つのメッセージを無線デバイスに伝送してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは、一次ＰＵＣＣＨを用いる一次セルを含んでもよい。二次ＰＵＣＣＨグループは、二次ＰＵＣＣＨを用いるＰＵＣＣＨ二次セルを含んでもよい。ある実施形態によると、構成パラメータは、複数の共通パラメータおよび／または非アクティブ化タイマ値を含む、複数の専用パラメータを含んでもよい。
【０１７６】
２７２０において、複数のＳＣｅｌｌのアクティブ化を示す媒体アクセス制御制御要素は、サブフレームｎにおいて伝送されてもよい。複数のＳＣｅｌｌは、一次ＰＵＣＣＨグループ内の第１のＳＣｅｌｌと、二次ＰＵＣＣＨグループ内の第２のＳＣｅｌｌとを含んでもよい。ある実施形態によると、媒体アクセス制御制御要素は、ビットマップを含んでもよい。
【０１７７】
２７３０において、無線デバイスから、サブフレームｎ＋８からの第１のＳＣｅｌｌに関するチャネル状態情報（ＣＳＩ）フィールドの受信が、開始されてもよい。２７４０において、無線デバイスから、サブフレームｎ＋８＋ｋからの第２のＳＣｅｌｌに関するＣＳＩフィールドの受信が、開始されてもよい。ＰＵＣＣＨ  ＳＣｅｌｌのアクティブ化がサブフレームｎ＋８の前に完了された場合、ｋは、ゼロに等しくあり得る。ＰＵＣＣＨ  ＳＣｅｌｌのアクティブ化がサブフレームｎ＋８においてまたはその後に完了された場合、ｋは、０を上回り得、ＰＵＣＣＨ  ＳＣｅｌｌのアクティブ化が完了されたときに依存し得る。ある実施形態によると、第１のＳＣｅｌｌと関連付けられた第１の非アクティブ化タイマは、サブフレームｎ＋８において開始されてもよい。加えて、第２のＳＣｅｌｌと関連付けられた第２の非アクティブ化タイマは、サブフレームｎ＋８において開始されてもよい。ある実施形態によると、基地局は、無線デバイスからサブフレームｎ＋８＋ｋにおいてＣＳＩフィールドの第２のＳＣｅｌｌに関するＣＳＩフィールドを受信するためのアップリンクリソースが存在しない場合、無線デバイスからＣＳＩフィールドを受信するための次の利用可能なアップリンクリソースにおいて、サブフレームｎ＋８＋ｋにおけるＣＳＩフィールドの第２のＳＣｅｌｌに関するＣＳＩフィールドを受信してもよい。ある実施形態によると、範囲外ＣＱＩを含むＣＳＩフィールドは、ゼロと異なるチャネル品質指数を伴う有効ＣＳＩフィールドが利用可能ではないとき、受信されてもよい。
【０１７８】
本明細書では、ＰＵＣＣＨ二次セルのアクティブ化は、ＰＵＣＣＨ二次セルがサブフレームｉ＋１においてＣＳＩを伝送可能になるとき、サブフレームｉにおいて完了されたと見なされ得る。ＰＵＣＣＨ二次セルが、サブフレームｉ＋１においてＣＳＩを伝送可能であって、サブフレームｉ＋１からＣＳＩの伝送を開始すると、ＵＥは、サブフレームｉ＋１上でまたはその後にＰＵＣＣＨ  ＳＣｅｌｌ上で第１の利用可能なＣＳＩリソースにおいてＣＳＩを伝送することが含意され得る。
【０１７９】
図２８は、本発明の実施形態のある側面による、例示的フロー図である。無線デバイスは、２８１０において、少なくとも１つのメッセージを基地局から受信してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは基地局に伝送される、一次ＰＵＣＣＨを用いる一次セルを含んでもよい。二次ＰＵＣＣＨグループは、基地局に伝送される二次ＰＵＣＣＨを用いるＰＵＣＣＨ二次セルを含んでもよい。ある実施形態によると、少なくとも１つのメッセージは、非アクティブ化タイマパラメータを含む複数の専用パラメータを含んでもよい。
【０１８０】
２８２０において、無線デバイスは、サブフレームｎにおいて、ＰＵＣＣＨ二次セルの非アクティブ化を示す媒体アクセス制御（ＭＡＣ）コマンドを受信してもよい。ある実施形態によると、ＭＡＣコマンドは、ビットマップを含んでもよい。ある実施形態によると、ＭＡＣコマンドはさらに、第１の二次セルの非アクティブ化を示してもよい。
【０１８１】
２８３０において、無線デバイスは、例えば、サブフレームｎ＋８において、二次ＰＵＣＣＨグループ内の第１の二次セルに関するチャネル状態情報の伝送を停止してもよい。第１の二次セルは、ＰＵＣＣＨ二次セルと異なってもよい。ある実施形態によると、無線デバイスは、サブフレームｎ＋８においてまたはその前に第１の二次セルと関連付けられた非アクティブ化タイマを停止してもよい。ある実施形態によると、無線デバイスは、サブフレームｎ＋８においてまたはその前に第１の二次セルのダウンリンク制御チャネルの監視を停止してもよい。ある実施形態によると、無線デバイスは、ＰＵＣＣＨ二次セル上でのアップリンク伝送を停止する前に第１の二次セル上でのアップリンク伝送を停止してもよい。
【０１８２】
図２９は、本発明の実施形態のある側面による、例示的フロー図である。基地局は、２９１０において、少なくとも１つのメッセージを無線デバイスに伝送してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは、基地局に伝送される一次ＰＵＣＣＨを用いる一次セルを含んでもよい。二次ＰＵＣＣＨグループは、基地局に伝送される二次ＰＵＣＣＨを用いるＰＵＣＣＨ二次セルを含んでもよい。２９２０において、基地局は、サブフレームｎにおいて、無線デバイス内のＰＵＣＣＨ二次セルの非アクティブ化を示す媒体アクセス制御（ＭＡＣ）コマンドを伝送してもよい。２９３０において、基地局は、無線デバイスから、例えば、サブフレームｎ＋８において二次ＰＵＣＣＨグループ内の第１の二次セルに関するチャネル状態情報の受信を停止してもよい。第１の二次セルは、ＰＵＣＣＨ二次セルと異なってもよい。
【０１８３】
図３０は、本発明の実施形態のある側面による、例示的フロー図である。無線デバイスは、３０１０において、少なくとも１つのメッセージを基地局から受信してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは、基地局に伝送される一次ＰＵＣＣＨを用いる一次セルを含んでもよい。二次ＰＵＣＣＨグループは、基地局に伝送される二次ＰＵＣＣＨを用いるＰＵＣＣＨ二次セルを含んでもよい。ある実施形態によると、少なくとも１つのメッセージは、非アクティブ化タイマパラメータを含む複数の専用パラメータを含んでもよい。
【０１８４】
３０２０において、無線デバイスは、サブフレームｎにおいて、第１の二次セルおよびＰＵＣＣＨ二次セルの非アクティブ化を示す媒体アクセス制御（ＭＡＣ）コマンドを受信してもよい。ある実施形態によると、ＭＡＣコマンドは、ビットマップを含む。
【０１８５】
３０３０において、無線デバイスは、サブフレームｎ＋８においてＰＵＣＣＨ二次セル上でのアップリンク伝送を停止してもよい。３０４０において、無線デバイスは、サブフレームｎ＋８の前に第１の二次セル上でのアップリンク伝送を停止してもよい。ある実施形態によると、無線デバイスは、サブフレームｎ＋８においてまたはその前に第１の二次セルと関連付けられた非アクティブ化タイマを停止してもよい。ある実施形態によると、無線デバイスは、サブフレームｎ＋８においてまたはその前に第１の二次セルのダウンリンク制御チャネルの監視を停止してもよい。ある実施形態によると、ＰＵＣＣＨ二次セルの非アクティブ化タイマは、ディスエーブルにされてもよい。
【０１８６】
図３１は、本発明の実施形態のある側面による、例示的フロー図である。基地局は、３１１０において、少なくとも１つのメッセージを無線デバイスに伝送してもよい。メッセージは、複数のセルの構成パラメータを含んでもよい。複数のセルは、複数の物理アップリンク制御チャネル（ＰＵＣＣＨ）グループにグループ化されてもよい。ＰＵＣＣＨグループは、一次ＰＵＣＣＨグループおよび二次ＰＵＣＣＨグループを含んでもよい。一次ＰＵＣＣＨグループは、基地局に伝送される一次ＰＵＣＣＨを用いる一次セルを含んでもよい。二次ＰＵＣＣＨグループは、基地局に伝送される二次ＰＵＣＣＨを用いるＰＵＣＣＨ二次セルを含んでもよい。３１２０において、基地局は、サブフレームｎにおいて、無線デバイス内のＰＵＣＣＨ二次セルの非アクティブ化を示す媒体アクセス制御（ＭＡＣ）コマンドを伝送してもよい。３１３０において、基地局は、無線デバイスから、例えば、サブフレームｎ＋８において二次ＰＵＣＣＨグループ内の第１の二次セルに関するチャネル状態情報の受信を停止してもよい。第１の二次セルは、ＰＵＣＣＨ二次セルと異なってもよい。３１２０において、基地局は、サブフレームｎにおいて、無線デバイス内の第１の二次セルおよび／またはＰＵＣＣＨ二次セルの非アクティブ化を示す媒体アクセス制御（ＭＡＣ）コマンドを伝送してもよい。３１３０において、基地局は、サブフレームｎ＋８において無線デバイスからのＰＵＣＣＨ二次セル上でのアップリンク受信を停止してもよい。３１４０において、基地局は、サブフレームｎ＋８の前に無線デバイスからの第１の二次セル上でのアップリンク受信を停止してもよい。
【０１８７】
一次ＰＵＣＣＨグループは、ＰＣｅｌｌを含む、サービングセルのグループを含んでもよく、そのＰＵＣＣＨ信号伝達は、ＰＣｅｌｌ上のＰＵＣＣＨと関連付けられてもよい。ＰＵＣＣＨグループは、一次ＰＵＣＣＨグループおよび／または二次ＰＵＣＣＨグループのいずれかを含んでもよい。ＰＵＣＣＨ  ＳＣｅｌｌは、ＰＵＣＣＨを用いて構成される二次セルを含んでもよい。二次ＰＵＣＣＨグループは、ＳＣｅｌｌのグループを含んでもよく、そのＰＵＣＣＨ信号伝達は、ＰＵＣＣＨ  ＳＣｅｌｌ上のＰＵＣＣＨと関連付けられる。タイミングアドバンスグループは、ＲＲＣによって構成され、ＵＬが構成されたセルに関して、同一タイミング参照セルおよび／または同一タイミングアドバンス値を使用する、サービングセルのグループを含んでもよい。一次タイミングアドバンスグループは、ＰＣｅｌｌを含有するタイミングアドバンスグループを含んでもよい。二次タイミングアドバンスグループは、ＰＣｅｌｌを含有しないタイミングアドバンスグループを含んでもよい。ＰＵＣＣＨは、ＰＣｅｌｌ、ＰＵＣＣＨ  ＳＣｅｌｌ（そのようにＣＡにおいて構成される場合）、および／またはＰＳＣｅｌｌ（ＤＣにおいて）上で伝送されてもよい。
【０１８８】
キャリアアグリゲーションに関して、ＵＥのためのサービングセルの構成されたセットは、１つのＰＣｅｌｌと、１つまたはそれを上回るＳＣｅｌｌとから成ってもよい。ＤＣが構成されない場合、１つの付加的ＰＵＣＣＨが、ＳＣｅｌｌ、すなわち、ＰＵＣＣＨ  ＳＣｅｌｌ上で構成されてもよい。ＰＵＣＣＨ  ＳＣｅｌｌが構成されると、ＲＲＣは、一次ＰＵＣＣＨグループまたは二次ＰＵＣＣＨグループへの各サービングセルのマッピングを構成してもよい（例えば、ＳＣｅｌｌ毎に、ＰＣｅｌｌおよび／またはＰＵＣＣＨ  ＳＣｅｌｌが、ＡＣＫ／ＮＡＫの伝送およびＣＳＩ報告のために採用されるかどうか）。
【０１８９】
アクティブ化／非アクティブ化機構の実施例として、ＰＵＣＣＨ  ＳＣｅｌｌが非アクティブ化される間、二次ＰＵＣＣＨグループのＳＣｅｌｌがアクティブ化され得ないことを確実にする、Ｅ−ＵＴＲＡＮが挙げられる。ＰＵＣＣＨ  ＳＣｅｌｌを除き、１つの非アクティブ化タイマが、ＳＣｅｌｌ毎に維持されてもよいが、１つの共通値が、ＲＲＣによってＣＧ毎に構成され得る。
【０１９０】
例示的実施形態では、非アクティブ化されたＳＣｅｌｌのＳＣｅｌｌアクティブ化遅延要件に関して、要件は、１つのダウンリンクＳＣｅｌｌを用いて構成されたＵＥに適用されてもよい。これは、Ｅ−ＵＴＲＡ  ＦＤＤ、Ｅ−ＵＴＲＡ  ＴＤＤ、および／またはＥ−ＵＴＲＡ  ＴＤＤ−ＦＤＤキャリアアグリゲーションにも適用可能であり得る。ＵＥが非アクティブ化されたＳＣｅｌｌをアクティブ化可能にし得る遅延は、規定された条件に依存し得る。サブフレームｎにおけるＳＣｅｌｌアクティブ化コマンドの受信に応じて、ＵＥは、以下の条件がＳＣｅｌｌに関して満たされていることを前提として、サブフレームｎ＋２４までに有効ＣＳＩ報告を伝送し、アクティブ化されているＳＣｅｌｌに関するアクティブ化コマンドに関連するアクションを適用可能となり得る。すなわち、ＳＣｅｌｌアクティブ化コマンドの受信前に、最大値（５ｍｅａｓＣｙｃｌｅＳＣｅｌｌ、５ＤＲＸサイクル）に等しい周期の間、ＵＥが、有効測定を送信し、アクティブ化されているＳＣｅｌｌに関して報告しており、および／またはアクティブ化されているＳＣｅｌｌが、セル識別条件に従って、検出可能なままであって、および／またはアクティブ化されているＳＣｅｌｌがまた、セル識別条件に従って、ＳＣｅｌｌアクティブ化遅延の間も検出可能なままである。そうでなければ、サブフレームｎにおいてＳＣｅｌｌアクティブ化コマンドの受信に応じて、ＵＥは、ＳＣｅｌｌが最初の試行において正常に検出され得ることを前提として、サブフレームｎ＋３４までに、有効ＣＳＩ報告を伝送し、アクティブ化されているＳＣｅｌｌに関するアクティブ化コマンドに関連する他のアクションを適用可能であり得る。
【０１９１】
非アクティブ化されたＰＵＣＣＨ  ＳＣｅｌｌのＳＣｅｌｌアクティブ化遅延要件に関して、要件は、１つのダウンリンクＳＣｅｌｌを用いて構成されており、そしてＰＵＣＣＨがアクティブ化されているＳＣｅｌｌに関して構成されるとき、ＵＥに適用されてもよい。ＵＥが、ＳＣｅｌｌ上で伝送するための有効ＴＡを有する場合、ＵＥは、サブフレームｎ＋Ｔａｃｔｉｖａｔｅ＿ｂａｓｉｃまでに有効ＣＳＩ報告を伝送し、ＰＵＣＣＨ  ＳＣｅｌｌ上でアクティブ化されているＳＣｅｌｌに関するＳＣｅｌｌアクティブ化コマンドに関連するアクションを適用可能であり得、ＴＡは、ＰＵＣＣＨ  ＳＣｅｌｌを含有するＴＡＧと関連付けられたＴｉｍｅＡｌｉｇｈｍｅｎｔＴｉｍｅｒが起動中であって、および／またはＴａｃｔｉｖａｔｅ＿ｂａｓｉｃがＳＣｅｌｌアクティブ化遅延であることを前提として、有効と見なされる。
【０１９２】
本明細書では、「ａ」および「ａｎ」および類似語句は、「少なくとも１つ」および「１つまたはそれを上回る」として解釈されるべきである。本明細書では、用語「ｍａｙ（〜してもよい）」は、「ｍａｙ，  ｆｏｒ  ｅｘａｍｐｌｅ（例えば、〜してもよい）」として解釈されるべきである。言い換えると、用語「ｍａｙ（〜してもよい）」は、用語「ｍａｙ（〜してもよい）」に続く語句が、種々の実施形態のうちの１つまたはそれを上回るものに採用されてもよい、またはそうではなくてもよい、多数の好適な可能性のうちの１つの実施例であることを示す。ＡおよびＢが、設定され、Ａの全要素がまた、Ｂの要素である場合、Ａは、Ｂのサブセットと呼ばれる。本明細書では、非空のセットおよびサブセットのみが、考慮される。例えば、Ｂ＝｛セル１、セル２｝の可能性として考えられるサブセットは、｛セル１｝、｛セル２｝、および｛セル１、セル２｝である。
【０１９３】
本明細書では、パラメータ（情報要素：ＩＥ）は、１つまたはそれを上回るオブジェクトを含んでもよく、それらのオブジェクトはそれぞれ、１つまたはそれを上回る他のオブジェクトを含んでもよい。例えば、パラメータ（ＩＥ）Ｎが、パラメータ（ＩＥ）Ｍを含み、パラメータ（ＩＥ）Ｍが、パラメータ（ＩＥ）Ｋを含み、パラメータ（ＩＥ）Ｋが、パラメータ（情報要素）Ｊを含む場合、例えば、Ｎは、Ｋを含み、Ｎは、Ｊを含む。例示的実施形態では、１つまたはそれを上回るメッセージが、複数のパラメータを含むとき、複数のパラメータ内のパラメータは、１つまたはそれを上回るメッセージのうちの少なくとも１つ内に存在するが、１つまたはそれを上回るメッセージのそれぞれに存在する必要はないことを含意する。
【０１９４】
開示される実施形態に説明される要素の多くは、モジュールとして実装されてもよい。モジュールは、定義された機能を行い、他の要素への定義されたインターフェースを有する、隔離可能要素として本明細書に定義される。本開示に説明されるモジュールは、ハードウェア、ハードウェア、ファームウェア、ウエットウエア（すなわち、生物学的要素を伴うハードウェア）と組み合わせたソフトウェア、またはそれらの組み合わせにおいて実装されてもよく、それらは全て、挙動的均等物である。例えば、モジュールは、ハードウェア機械（Ｃ、Ｃ＋＋、Ｆｏｒｔｒａｎ、Ｊａｖａ（登録商標）、ＢＡＳＩＣ、Ｍａｔｌａｂ、または同等物等）またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔ等のモデル化／シミュレーションプログラムによって実行されるように構成される、コンピュータ言語で書かれたソフトウェアルーチンとして実装されてもよい。加えて、離散もしくはプログラマブルアナログ、デジタル、および／または量子ハードウェアを組み込む物理ハードウェアを使用して、モジュールを実装することが可能であり得る。プログラマブルハードウェアの実施例として、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が挙げられる。コンピュータ、マイクロコントローラ、およびマイクロプロセッサは、アセンブリ、Ｃ、Ｃ＋＋、または同等物等の言語を使用してプログラムされる。ＦＰＧＡ、ＡＳＩＣ、およびＣＰＬＤは、多くの場合、プログラマブルデバイス上のより少ない機能性を用いて内部ハードウェアモジュール間の接続を構成する、ＶＨＳＩＣハードウェア記述言語（ＶＨＤＬ）またはＶｅｒｉｌｏｇ等のハードウェア記述言語（ＨＤＬ）を使用してプログラムされる。最後に、前述の技術は、多くの場合、機能モジュールの結果を達成するために組み合わせて使用されることを強調する必要がある。
【０１９５】
本特許文書の開示は、著作権保護を受ける内容を組み込む。本所有権者は、特許文書または特許開示書のいかなる者によるにも、法律によって要求される限定された目的のために、複写物が特許商標庁の特許ファイルまたは記録として世に出現している限り異論はないが、他の場合に全ての著作権は完全に留保する。
【０１９６】
種々の実施形態が前述されたが、それらは、限定ではなく、実施例として提示されていることを理解されたい。形態および詳細における種々の変更が、精神および範囲から逸脱することなく、本明細書に成されることができることは、当業者に明白となるであろう。実際、前述の説明を熟読後、代替実施形態を実装する方法が、当業者に明白となるであろう。したがって、本実施形態は、前述の例示的実施形態のいずれによっても限定されない。特に、例示的目的のために、前述の説明は、ＦＤＤ通信システムを使用する実施例に焦点を当てていることに留意されたい。しかしながら、当業者は、本発明の実施形態がまた、１つまたはそれを上回るＴＤＤセルを備えるシステム内にも実装されてもよいことを認識するであろう（例えば、フレーム構造２および／またはフレーム構造３認可支援アクセス）。開示される方法およびシステムは、無線または有線システム内に実装されてもよい。本発明に提示される種々の実施形態の特徴は、組み合わせられてもよい。一実施形態の１つまたは多くの特徴（方法またはシステム）は、他の実施形態内に実装されてもよい。限定数の例示的組み合わせのみ、強化伝送および受信システムならびに方法をもたらすために種々の実施形態内で組み合わせられ得る特徴の可能性を当業者に示すために示される。
【０１９７】
加えて、機能性および利点を強調している任意の図は、単に例示目的で提示されていることを理解されたい。開示されるアーキテクチャは、示されるものと以外の方法で利用され得るように、十分に柔軟性があって、かつ構成可能である。例えば、任意のフロー図に列挙されるアクションは、いくつかの実施形態では、並べ替えられる、または随意にのみ使用されてもよい。
【０１９８】
さらに、本開示の要約の目的は、米国特許商標庁および一般公衆、特に、特許または法律の用語もしくは表現に精通していない科学者、技術者、および実践者が、本願の技術的開示の性質および本質を大まかに調べることによって、素早く判断できるようにするものである。本開示の要約は、本発明の範囲をいかようにも限定することを意図するものではない。
【０１９９】
最後に、請求項のみが、米国特許法（３５Ｕ．Ｓ．Ｃ）第１１２条第６段落の下で解釈される「〜するための手段（ｍｅａｎｓ  ｆｏｒ）」または「〜するためのステップ（ｓｔｅｐ  ｆｏｒ）」という表現用語を含んでいるのは、本出願人の意図である。「〜するための手段（ｍｅａｎｓ  ｆｏｒ）」または「〜するためのステップ（ｓｔｅｐ  ｆｏｒ）」という語句を明示的に含んでいない請求項は、米国特許法（３５Ｕ．Ｓ．Ｃ）第１１２条の下で解釈するべきではない。
【図１】
0006437665.tif 000005
【図２】
0006437665.tif 000006
【図３】
0006437665.tif 000007
【図４】
0006437665.tif 000008
【図５】
0006437665.tif 000009
【図６】
0006437665.tif 000010
【図７】
0006437665.tif 000011
【図８】
0006437665.tif 000012
【図９】
0006437665.tif 000013
【図１０】
0006437665.tif 000014
【図１１】
0006437665.tif 000015
【図１２】
0006437665.tif 000016
【図１３】
0006437665.tif 000017
【図１４】
0006437665.tif 000018
【図１５】
0006437665.tif 000019
【図１６】
0006437665.tif 000020
【図１７】
0006437665.tif 000021
【図１８】
0006437665.tif 000022
【図１９】
0006437665.tif 000023
【図２０】
0006437665.tif 000024
【図２１】
0006437665.tif 000025
【図２２】
0006437665.tif 000026
【図２３】
0006437665.tif 000027
【図２４】
0006437665.tif 000028
【図２５】
0006437665.tif 000029
【図２６】
0006437665.tif 000030
【図２７】
0006437665.tif 000031
【図２８】
0006437665.tif 000032
【図２９】
0006437665.tif 000033
【図３０】
0006437665.tif 000034
【図３１】
0006437665.tif 000035